(57)【要約】【課題】短尺の基板だけを用いて実質的に１つの基板を構成し、環境温度変化、発光素子等の発熱、等があっても熱膨張に起因する画像劣化を生じない光書き込み装置等を提供すること。【解決手段】多数の発光素子が一方向に列設された基板を複数、前記発光素子の並び方向にＡ互いに位置をずらして配置した構成を具備した光書き込み装置において、前記発光素子の並び方向で隣接する一方の基板２ａと他方の基板２ｂと直接又は接続部材３を介して固定した。【選択図】図１
2006315406.tif 000002
【特許請求の範囲】
【請求項１】
多数の発光素子が一方向に列設された基板を複数、前記発光素子の並び方向に互いに位置をずらして配置した構成を具備した光書き込み装置において、
前記発光素子の並び方向で隣接する一方の基板と他方の基板とを固定したことを特徴とする光書き込み装置。
【請求項２】
多数の発光素子が一方向に列設された基板を複数、前記発光素子の並び方向で互いに位置をずらして配置した構成を具備した光書き込み装置において、
前記発光素子の並び方向で隣接する一方の基板から他方の基板との間に前記基板と別体の付帯部材が介在するとき、前記付帯部材と前記基板を含む各部材相互間の各固定位置を、前記発光素子の並び方向での同一の位置となる線上にしたことを特徴とする光書き込み装置。
【請求項３】
請求項２記載の光書き込み装置において、
前記付帯部材は、前記基板と共に発光素子アレイユニットを構成し、前記付帯部材として、前記基板を保持する保持体、前記一方の基板側と前記他方の基板側とを繋ぐ接続部材を含むことを特徴とする光書き込み装置。
【請求項４】
請求項３記載の光書き込み装置において、
複数の発光素子アレイユニットを前記発光素子の並び方向で互いに位置をずらして隣接させ、隣接した発光素子アレイユニット間を前記接続部材を介して接続し、
前記隣接する一方の発光素子アレイユニットにおける前記基板を前記保持体、前記保持体を前記接続部材に固定するそれぞれの固定位置と、
前記隣接する他方の発光素子アレイユニットにおける前記基板を前記保持体、前記保持体を前記接続部材に固定するそれぞれの固定位置を前記発光素子の並び方向で同一の位置となる線上に合致させていることを特徴とする光書き込み装置。
【請求項５】
請求項４記載の光書き込み装置において、
３個以上の前記発光素子アレイユニットを具備し、隣り合う３つの任意の発光素子アレイユニットのうち、前記発光素子の並び方向での中央に位置する発光素子アレイユニットと、この中央に位置する発光素子アレイユニットの前記発光素子の並び方向での一端側、他端側においてそれぞれ隣接する発光素子アレイユニット同士の固定に関し、
前記一端側で隣接する２つの発光素子アレイユニットについてそれぞれ、前記基板と前記保持体、前記保持体と前記接続部材との固定位置を前記前記発光素子の並び方向で同一の位置となる線上に合致させ、
前記他端側で隣接する２つの発光素子アレイユニットについても前記一端側における固定に準じて固定したことを特徴とする光書き込み装置。
【請求項６】
請求項３ないし５の何れか１つに記載の光書き込み装置おいて、
前記各基板は、前記保持体からそれぞれ一部が突出した状態で固定されていて、前記保持体と前記接続部材との固定位置に代えて、前記基板の突出した部分同士を固定する固定位置としたことを特徴とする光書き込み装置。
【請求項７】
請求項１ないし６の何れか１つに記載の光書き込み装置において、
前記発光素子の並び方向で隣接する一方の基板から他方の基板に至る１又は複数の固定位置が前記各基板上の書き込みドットの切り替わり位置に合致していることを特徴とする光書き込み装置。
【請求項８】
請求項１ないし７の何れか１つに記載の光書き込み装置において、
前記発光素子の並び方向で隣接する各基板の前記発光素子の並び方向での相対位置関係を調節するアレイ位置調節手段を有することを特徴とする光書き込み装置。
【請求項９】
請求項８記載の光書き込み装置において、
前記アレイ位置調節手段は、前記発光素子の並び方向で隣接する対の接続部材を互いに調節ねじを介して連結し、その対の接続部材の一方を互いに隣接する前記基板又は前記発光素子アレイユニットの一方に固定し、対の接続部材の他方をその互いに隣接する前記基板又は前記発光素子アレイユニットの他方に固定することにより構成されていることを特徴とする光書き込み装置。
【請求項１０】
請求項１ないし９の何れか１つに記載の光書き込み装置において、
前記発光素子の並び方向で隣接する一方の基板に対して他方の基板を当該基板の厚さ方向に相当するピント合わせ方向に変位させることができるピント調節手段を具備したことを特徴とする光書き込み装置。
【請求項１１】
請求項１０記載の光書き込み装置において、
前記ピント調節手段は、
前記発光素子の並び方向で隣接する一方の基板と前記他方の基板にそれぞれ固定された板状の接続部材と、
前記接続部材に対向配置されていて前記他方の基板側で前記接続部材に固定されていると共に不動部材にも固定されている調節板と、
前記一方の基板側の前記接続部材と前記調節板との間隔を変化させて当該接続部材に外力を与える第１外力手段を有し、
前記第１外力手段により与えられる前記の外力により前記接続部材を、当該接続部材と前記調節板との固定位置を支点として変形変位させて前記一方の基板に対して前記他方の基板をピント合わせ方向に変位させ前記他方の基板の発光素子から出射される光のピント調節を行なうことができることを特徴とする光書き込み装置。
【請求項１２】
請求項１０又は１１記載の光書き込み装置において、
前記第１外力手段により外力が与えられる接続部材上の位置が、前記他方の基板と対向する位置にあることを特徴とする光書き込み装置。
【請求項１３】
請求項１０ないし１２の何れか１つに記載の光書き込み装置において、
前記ピント調節手段が、前記一方の基板と前記他方の基板との中点を通る線を対称軸として、左右に設けられていることを特徴とする光書き込み装置。
【請求項１４】
請求項１ないし９の何れか１つに記載の光書き込み装置において、
前記発光素子の並び方向で隣接する一方の基板を基準として他方の基板を揺動させて当該他方の基板の前記発光素子から出射される光が前記一方の基板の発光素子から出射される光に近づき或いは遠ざかる副走査方向に調節可能な副走査調節手段を具備していることを特徴とする光書き込み装置。
【請求項１５】
請求項１４記載の光書き込み装置において、
前記副走査調節手段は、
前記発光素子の並び方向で隣接する一方の基板と前記他方の基板にそれぞれ固定された板状の接続部材と、
前記接続部材に対向配置されていて不動部材に固定されると共に、前記他方の基板と前記接続部材との固定位置で前記接続部材に固定されている調節板と、
前記一方の基板の部位で前記接続部材と前記調節板との間隔を広狭調節する第２外力手段と、
前記固定位置と前記第２外力手段との中間位置で前記接続部材と前記調節板に共通に接する支点部材とを具備していることを特徴とする光書き込み装置。
【請求項１６】
請求項１４又は１５に記載の光書き込み装置において、
前記副走査調節手段が、前記一方の基板と前記他方の基板との中点を通る線を対称軸として、左右に設けられていることを特徴とする光書き込み装置。
【請求項１７】
請求項１ないし９の何れか１つに記載の光書き込み装置において、
前記発光素子の並び方向で隣接する一方の基板に対して他方の基板を当該基板の厚さ方向に相当するピント合わせ方向に変位させるピント調節手段と、
前記発光素子の並び方向で隣接する一方の基板を基準として前記他方の基板を揺動させて当該他方の基板から出射される光が前記一方の基板から出射される光に近づき或いは遠ざかる副走査方向に調節可能な副走査調節手段を具備していることを特徴とする光書き込み装置。
【請求項１８】
請求項１７記載の光書き込み装置において、
前記ピント調節手段は、発光素子の並び方向で隣接する一方の基板と他方の基板にそれぞれ固定された板状の接続部材と、前記接続部材に対向配置されていて前記他方の基板側の固定位置で前記接続部材に固定されていると共に不動部材にも固定されている調節板と、前記一方の基板の部位で前記接続部材と前記調節板との間隔を広狭調節する第３外力手段を具備し、
前記副走査調節手段は、
前記第３外力手段の一部を支点として前記接続部材の前記一方の基板側の端部に外力を作用させて前記接続部材と前記調節板との間隔を広狭調節する第４外力手段を具備することを特徴とする光書き込み装置。
【請求項１９】
請求項１７ないし１８の何れか１つに記載の光書き込み装置において、
前記ピント調節手段及び前記副走査調節手段が、前記一方の基板と前記他方の基板との中点を通る線を対称軸として、左右に設けられていることを特徴とする光書き込み装置。
【請求項２０】
請求項１０ないし１９の何れか１つに記載の光書き込み装置において、
基板に対して前記付帯部材は可動状態に取り付けられていて、前記ピント調節手段、前記副走査調節手段と共に前記基板、前記付帯部材、前記ピント調節手段、前記副走査調節手段は全体が一体的に構成されていて、
この一体的な構成のうち、任意の１つの第３調節板についてのみ１点で、前記不動部材として設けられた共通支持部材に対し固定されていることを特徴とする光書き込み装置。
【請求項２１】
請求項２０記載の光書き込み装置において、
前記基板は前記付帯部材と共に、前記発光素子の並び方向上の任意の位置で補助支持手段により前記共通支持部材に対して支持されていることを特徴とする光書き込み装置。
【請求項２２】
請求項２１記載の光書き込み装置において、
前記補助支持手段は、前記基板及び前記付帯部材を前記発光素子の並び方向について可動、前記副走査方向若しくはピント方向について位置調節可能に支持していることを特徴とする光書き込み装置。
【請求項２３】
請求項２０又は２２記載の光書き込み装置において、
前記共通支持部材は、前記発光素子の並び方向での両端部にそれぞれ、当該共通支持部材を被取り付け部に取り付けると共に当該共通支持部材を前記ピント合わせ方向に調節することのできる取り付け手段を有していることを光書き込み装置。
【請求項２４】
請求項１１ないし２３の何れか１つに記載の光書き込み装置において、
前記外力手段は、前記接続部材と前記調節板との間に設けられたねじ手段からなることを特徴とする光書き込み装置。
【請求項２５】
複数個の発光素子アレイユニットを感光体の主走査方向に沿って配置し、前記各発光素子アレイユニットに列設された発光素子からの照射光によって前記感光体を露光して静電潜像を書き込む光書き込み装置において、
前記各発光素子アレイユニットの継ぎ目で前記感光体に対する主走査方向の露光量が均一になるように前記発光素子アレイユニットの継ぎ目部に位置する発光素子の発光量を補正する発光量補正手段を設けたことを特徴とする光書き込み装置。
【請求項２６】
請求項２５記載の光書き込み装置において、
前記発光量補正手段が、前記発光量の補正を前記継ぎ目部で接続された各発光素子アレイユニットの少なくとも一方の端部に位置する発光素子の発光量を調節する手段であることを特徴とする光書き込み装置。
【請求項２７】
請求項２６記載の光書き込み装置において、
前記発光量補正手段が、
前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドット中心同士の間隔（以下、実間隔という）が前記任意の発光素子アレイユニットにおいて隣接する２つの発光素子からの照射光のドットの中心同士の間隔（以下、基準間隔という）よりも大きいときは、前記発光量の補正を、
該継ぎ目部で接続された各発光素子アレイユニットの少なくとも一方の端部に位置する発光素子の発光量を増加させるように調節して行なう手段を有することを特徴とする光書き込み装置。
【請求項２８】
請求項２６記載の光書き込み装置において、
前記発光量補正手段が、
前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドット中心同士の間隔（以下、実間隔という）が前記任意の発光素子アレイユニットにおいて隣接する２つの発光素子からの照射光のドット中心同士の間隔（以下、基準間隔という）よりも小さいときは、
前記発光量の補正を、該継ぎ目部で接続された各発光素子アレイユニットの少なくとも一方の端部に位置する発光素子の発光量を減少させるように調節して行なう手段を有することを特徴とする光書き込み装置。
【請求項２９】
複数個の発光素子アレイユニットを感光体の主走査方向に沿って配置し、前記各発光素子アレイユニットに列設された発光素子からの照射光によって前記感光体を露光して静電潜像を書き込む光書き込み装置において、
前記継ぎ目部で接続された各発光素子アレイユニットの少なくとも一方の発光素子アレイユニットによる書き込み範囲を前記主走査方向へシフトさせる書き込み範囲シフト手段を設けたことを特徴とする光書き込み装置。
【請求項３０】
請求項２９記載の光書き込み装置において、
前記書き込み範囲シフト手段が、
前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドットの中心同士の間隔（以下、実間隔という）が前記任意の発光素子アレイユニットにおいて隣接する２つの発光素子からの照射光のドットの中心同士の間隔（以下、基準間隔という）の２倍以上のときは、
前記書き込み範囲が前記主走査方向で離間しかつ前記実間隔が前記基準間隔の２倍未満となるように、前記各発光素子アレイユニットの少なくとも一方による書き込み範囲をシフトさせることを特徴とする光書き込み装置。
【請求項３１】
請求項２９記載の光書き込み装置において、
前記書き込み範囲シフト手段が、前記継ぎ目部で接続された一方の発光素子アレイユニットによる書き込み範囲と、他方の発光素子アレイユニットによる書き込み範囲とが主走査方向上で重なるときは、
前記書き込み範囲が前記主走査方向で離間しかつ前記実間隔が前記基準間隔の２倍未満となるように、前記各発光素子アレイユニットの少なくとも一方による書き込み範囲をシフトさせることを特徴とする光書き込み装置。
【請求項３２】
請求項２５記載の光書き込み装置において、
前記発光量補正手段が、前記発光量の補正を前記継ぎ目部で接続された各発光素子アレイユニットの少なくとも一方の端部に位置する発光素子の発光量を調節する手段であり、
前記継ぎ目部で接続された各発光素子アレイユニットの少なくとも一方の発光素子アレイユニットによる書き込み範囲を前記主走査方向へシフトさせる書き込み範囲シフト手段を設けたことを特徴とする光書き込み装置。
【請求項３３】
請求項３２記載の光書き込み装置において、
前記書き込み範囲シフト手段が、
前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドットの中心同士の間隔（以下、実間隔という）が前記任意の発光素子アレイユニットにおいて隣接する２つの発光素子からの照射光のドットの中心同士の間隔（以下、基準間隔という）よりも大きいとき、または前記書き込み範囲同士が主走査方向上で重なり合うときは、
前記書き込み範囲が前記主走査方向で離間しかつ前記実間隔が前記基準間隔以下となるように、前記各発光素子アレイユニットの少なくとも一方による書き込み範囲をシフトさせる手段であり、
前記発光量補正手段が、
前記実間隔が前記基準間隔よりも小さいときは各発光素子アレイユニットの少なくとも一方による書き込み範囲の端部に対応する発光素子の発光量を減少させるように調節する手段であることを特徴とする光書き込み装置。
【請求項３４】
請求項３２記載の光書き込み装置において、
前記継ぎ目部で接続された一方の発光素子アレイユニットによる書き込み範囲と他方の発光素子アレイユニットによる書き込み範囲について、これら各書き込み範囲の前記継ぎ目部側の端部に対応する発光素子からの照射光のドットの中心同士の間隔を実間隔とし、前記任意の発光素子アレイユニットにおいて隣接する２つの発光素子からの照射光のドットの中心同士の間隔を基準間隔とするとき、
前記書き込み範囲シフト手段が、
前記実間隔が前記基準間隔の２倍以上のとき、前記書き込み範囲同士が主走査方向で重なり合うとき、前記実間隔が前記基準間隔未満であるときの何れかの場合に、前記実間隔が前記基準間隔以上かつ前記基準間隔の２倍未満となるように、前記各発光素子アレイユニットの少なくとも一方による書き込範囲をシフトさせる手段であり、
前記発光量補正手段が、
前記実間隔が前記基準間隔よりも大きいときは、前記継ぎ目部で接続された各発光素子アレイユニットの少なくとも一方の端部に位置する発光素子の発光量を増加させる手段であることを特徴とする光書き込み装置。
【請求項３５】
請求項３２記載の光書き込み装置において、
前記継ぎ目部で接続された一方の発光素子アレイユニットによる書き込み範囲と他方の発光素子アレイユニットによる書き込み範囲について、これら各書き込み範囲の前記継ぎ目部側の端部に対応する発光素子からの照射光のドットの中心同士の間隔を実間隔とし、前記任意の発光素子アレイユニットにおいて隣接する２つの発光素子からの照射光のドットの中心同士の間隔を基準間隔とするとき、
前記書き込み範囲シフト手段が、
前記継ぎ目部で接続された一方の発光素子アレイユニットによる書き込み範囲と、他方の発光素子アレイユニットによる書き込み範囲同士が主走査方向上で重なり合うとき、または前記実間隔が前記基準間隔の２倍以上のときの何れかの場合に、
前記書き込み範囲が前記主走査方向で離間しかつ前記実間隔が前記基準間隔の２倍未満となるように、前記各発光素子アレイユニットの少なくとも一方による書き込み範囲をシフトさせる手段であり、
前記発光量補正手段が、
前記実間隔が前記基準間隔よりも小さいときは、前記継ぎ目部で接続された各発光素子アレイユニットの少なくとも一方の端部に位置する発光素子の発光量を減少させるように調節し、
前記実間隔が前記基準間隔よりも大きいときは、該継ぎ目部で接続された各発光素子アレイユニットの少なくとも一方の端部に位置する発光素子の発光量を増加させるように調節する手段であることを特徴とする光書き込み装置。
【請求項３６】
請求項２５ないし２８、３３ないし３５の何れか１つに記載の光書き込み装置において、
前記発光量補正手段が、前記発光量の調節を前記発光素子の発光パワーを補正して行なう手段であることを特徴とする光書き込み装置。
【請求項３７】
請求項２５ないし２８、３３ないし３５の何れか１つに記載の光書き込み装置において、
前記発光量補正手段が、前記発光量の調節を前記発光素子の発光時間を補正して行なう手段であることを特徴とする光書き込み装置。
【請求項３８】
一様に帯電された感光体を、光書き込み装置からの光で走査して画像を書き込み、この画像書き込みにより形成された潜像を、可視像化して画像を得る画像形成装置において、
請求項１ないし３７の何れか１つに記載の光書き込み装置を前記光書き込み装置としていることを特徴とする画像形成装置。
【請求項３９】
多数の発光素子を一方向に列状に並べて配列した基板を複数、前記主走査方向に互いに位置をずらして配置した構成を具備した光書き込み装置を画像形成装置に取り付ける際の光書き込み装置の位置調節方法であって、
前記光書き込み装置を前記画像形成装置本体に対して変位させることにより、前記主走査方向で隣接する一方の基板について、当該基板の厚さ方向に相当するピント合わせ方向の位置決めを行なった後、
前記発光素子の並び方向で隣接する他方の基板について、前記光書き込み装置に対して変位させて当該基板の厚さ方向に相当するピント合わせ方向の位置決めを行なうことを特徴とする光書き込み装置の位置調節方法。
【請求項４０】
請求項３９記載の光書き込み装置の位置調節方法において、
前記発光素子の並び方向で隣接する他方の基板について前記ピント合わせ方向の位置決めの後、前記一方の基板を基準として前記他方の基板を揺動させて当該他方の基板側の前記発光素子から出射される光が前記一方の基板から出射される光に近づき或いは遠ざかる副走査方向の位置決めを行なうことを特徴とする光書き込み装置の位置調節方法。
【請求項４１】
複数個の発光素子アレイユニットを感光体の主走査方向に沿って配置し、前記各発光素子アレイユニットに列設された発光素子からの照射光によって前記感光体を露光して静電潜像を書き込むに際し、前記各発光素子アレイユニットの継ぎ目で前記感光体に対する主走査方向の露光量が均一になるように前記発光素子アレイユニットの継ぎ目部に位置する発光素子の発光状態を調節する光書き込み装置の発光状態調節方法であって、
前記継ぎ目部で接続された各発光素子アレイユニットによる各書き込み範囲端部に位置する発光素子同士の間隔（以下、実間隔という）と前記発光素子の間隔（以下、基準間隔という）との間にずれがある場合に、前記各発光素子アレイユニットの少なくとも一方による書き込み範囲を前記発光素子単位でシフトさせることにより前記ずれの量を狭めた後、
さらに残余のずれがあるときに、この残余のずれによる前記露光量の不均一が解消されるように、前記継ぎ目部で接続された各発光素子アレイユニットの少なくとも一方の端部に位置する発光素子の発光量を変えることにより調節することを特徴とする光書き込み装置の発光状態調節方法。
【請求項４２】
請求項４１記載の光書き込み装置の発光状態調節方法において、
前記書き込み範囲が前記主走査方向で離間しかつ前記実間隔が前記基準間隔以下となるようにシフトさせた後、
さらに残余のずれがあるときに、この残余のずれによる前記露光量の不均一が解消されるように、前記継ぎ目部で接続された各発光素子アレイユニットの少なくとも一方の端部に位置する発光素子の発光量を減少させることにより調節することを特徴とする光書き込み装置の発光状態調節方法。
【発明の詳細な説明】
【技術分野】
【０００１】
この発明は、光書き込み装置、光書き込み装置の位置調節方法、光書き込み装
置の発光状態調節方法、画像形成装置に関する。
【背景技術】
【０００２】
多数の発光素子が一方向に列設されたプリント基板（以下、単に基板という）を複数、前記発光素子の並び方向に互いに位置をずらして配置した構成を具備した光書き込み装置（ア）（例えば、特許文献１参照）、（イ）（例えば、特許文献２参照）が開示されている。
【０００３】
これらの従来技術では、例えばＡ３サイズの長さ（長手方向の幅）のように比較的短尺に形成した前記基板を含む構成の発光素子アレイユニットを、その発光素子アレイが並んでいる長手方向に複数並べることにより、全体として長尺の発光素子アレイユニットにすることができ、この発光素子アレイユニットから感光体に光を照射して潜像を書き込むことで次の利点を得る。
（ａ）  例えば、Ａ０サイズのように幅が広い画像を書き込むことができる。因みに、Ａ０サイズのように幅が広い画像を書き込む場合には、この画像の書き込み幅以上の例えば１ｍ程度の長さの基板を用いた発光素子アレイユニットを使用することもできるが、仮に、１ｍもの長さの１つの基板を、例えば４００ｄｐｉ（ドットピッチ６３．５μｍ）で列設した発光素子により作ろうとすると、発光素子アレイユニット全長に亘る精度の維持や設備の大型化、さらには歩留まりの低下等によりかなり高価なものになるが、この問題を解消することができる。
（ｂ）  仮に、１ｍもの長さの１つの基板により発光素子アレイユニットを構成した場合には、１ドットに相当する発光素子１つが故障したときには発光素子アレイユニット全体を交換しなければならないが、その故障した発光素子の属する基板だけを交換することで発光素子アレイユニット全体の交換を免れる。
【０００４】
前記（ア）、（イ）の従来技術では前記（ａ）、（ｂ）の利点を有する反面、基板を複数、発光素子の並び方向に互いに位置をずらして配置した構成を具備した光書き込み装置では、隣接する基板の継ぎ目におけるドット位置合わせが問題になる。
すなわち、４００ｄｐｉにおけるドットピッチは６３．５μｍであるが、通常は、ドットピッチ誤差を５μｍ程度よりも小さくしないと、画像に縦の黒や白のすじが発生しやすい。
【０００５】
この継ぎ目部分は、前記（ア）、（イ）におけるように、複数の発光素子アレイユニット間を連結用の連結部材を介して単純に連結しただけでは、環境温度が変化したり、発光素子アレイユニットの発光素子（ＬＥＤ）が発熱することにより該発光素子アレイユニット具備の光書き込み装置を用いた画像形成装置の機内温度が上昇することにより、発光素子アレイユニットの温度と共に基板の継ぎ目部分の温度も上昇するため、前記連結用の別部材が熱膨張で伸縮するため、この継ぎ目部分のドット間ピッチが変化してしまうおそれがある。
【０００６】
一例として、複数の発光素子アレイユニットを繋ぐ前記別部材の継ぎ目間の距離を２０ｍｍ、その材質を線膨張係数が０．００００１２／ｄｅｇの鉄とし、温度上昇を３０ｄｅｇとすると、単純計算による温度変化だけで７．２μｍのピッチずれが発生してしまう。これに複数の発光素子アレイユニットの初期の位置決め精度等を加えると、さらにドットピッチ誤差が大きくなるので、発光素子アレイユニットの継ぎ目部分が画像上不具合が発生するドットピッチ誤差になってしまう。
【０００７】
【特許文献１】特開平７−６１０３５号公報
【特許文献２】公開昭６４−１６３４２号公報
【発明の開示】
【発明が解決しようとする課題】
【０００８】
本発明の課題は、光書き込み装置において、短尺の基板だけを用いて実質的に
１つの基板を構成することであり、また、環境温度変化、発光素子等の発熱、等
があっても熱膨張に起因する画像劣化を生じない光書き込み装置、光書き込み装
置の位置調節方法、光書き込み装置を用いた画像形成装置を提供することである
。
より詳しくは、光書き込み装置の環境温度変化、発光素子等の発熱、等により
基板温度や光書き込み装置を構成する発光素子アレイユニット間、基板間等を接
続する接続部材の温度が変化しても、複数の発光素子アレイユニットの継ぎ目部
分のドット間ピッチが発光素子アレイの並び方向に画像不良になるほど狂わない
ようにした光書き込み装置、光書き込み装置の位置調節方法、光書き込み装置を
用いた画像形成装置を提供することである。
【課題を解決するための手段】
【０００９】
本発明は、前記目的を達成するため、以下の構成とした。
（１）．多数の発光素子が一方向に列設された基板を複数、前記発光素子の並び方向に互いに位置をずらして配置した構成を具備した光書き込み装置において、前記発光素子の並び方向で隣接する一方の基板と他方の基板とを固定した（請求項１）。
（２）．多数の発光素子が一方向に列設された基板を複数、前記発光素子の並び方向で互いに位置をずらして配置した構成を具備した光書き込み装置において、前記発光素子の並び方向で隣接する一方の基板から他方の基板との間に前記基板と別体の付帯部材が介在するとき、前記付帯部材と前記基板を含む各部材相互間の各固定位置を、前記発光素子の並び方向での同一の位置となる線上にした（請求項２）。
（３）．（２）記載の光書き込み装置において、前記付帯部材は、前記基板と共に発光素子アレイユニットを構成し、前記付帯部材として、前記基板を保持する保持体、前記一方の基板側と前記他方の基板側とを繋ぐ接続部材を含むこととした（請求項３）。
（４）．（３）記載の光書き込み装置において、複数の発光素子アレイユニットを前記発光素子の並び方向で互いに位置をずらして隣接させ、隣接した発光素子アレイユニット間を前記接続部材を介して接続し、前記隣接する一方の発光素子アレイユニットにおける前記基板を前記保持体、前記保持体を前記接続部材に固定するそれぞれの固定位置と、前記隣接する他方の発光素子アレイユニットにおける前記基板を前記保持体、前記保持体を前記接続部材に固定するそれぞれの固定位置を前記発光素子の並び方向で同一の位置となる線上に合致させた（請求項４）。
（５）．（４）記載の光書き込み装置において、３個以上の前記発光素子アレイユニットを具備し、隣り合う３つの任意の発光素子アレイユニットのうち、前記発光素子の並び方向での中央に位置する発光素子アレイユニットと、この中央に位置する発光素子アレイユニットの前記発光素子の並び方向での一端側、他端側においてそれぞれ隣接する発光素子アレイユニット同士の固定に関し、前記一端側で隣接する２つの発光素子アレイユニットについてそれぞれ、前記基板と前記保持体、前記保持体と前記接続部材との固定位置を前記前記発光素子の並び方向で同一の位置となる線上に合致させ、前記他端側で隣接する２つの発光素子アレイユニットについても前記一端側における固定に準じて固定した（請求項５）。
（６）．（３）ないし（５）の何れか１つに記載の光書き込み装置おいて、前記各基板は、前記保持体からそれぞれ一部が突出した状態で固定されていて、前記保持体と前記接続部材との固定位置に代えて、前記基板の突出した部分同士を固定する固定位置とした（請求項６）。
（７）．（１）ないし（６）の何れか１つに記載の光書き込み装置において、前記発光素子の並び方向で隣接する一方の基板から他方の基板に至る１又は複数の固定位置が前記各基板上の書き込みドットの切り替わり位置に合致していることとした（請求項７）。
（８）．（１）ないし（７）の何れか１つに記載の光書き込み装置において、前記発光素子の並び方向で隣接する各基板の前記発光素子の並び方向での相対位置関係を調節するアレイ位置調節手段を有することとした（請求項８）。
（９）．（８）記載の光書き込み装置において、前記アレイ位置調節手段は、前記発光素子の並び方向で隣接する対の接続部材を互いに調節ねじを介して連結し、その対の接続部材の一方を互いに隣接する前記基板又は前記発光素子アレイユニットの一方に固定し、対の接続部材の他方をその互いに隣接する前記基板又は前記発光素子アレイユニットの他方に固定することにより構成されていることとした（請求項９）。
（１０）．（１）ないし（９）の何れか１つに記載の光書き込み装置において、前記発光素子の並び方向で隣接する一方の基板に対して他方の基板を当該基板の厚さ方向に相当するピント合わせ方向に変位させることができるピント調節手段を具備した（請求項１０）。
（１１）．（１０）記載の光書き込み装置において、前記ピント調節手段は、前記発光素子の並び方向で隣接する一方の基板と前記他方の基板にそれぞれ固定された板状の接続部材と、前記接続部材に対向配置されていて前記他方の基板側で前記接続部材に固定されていると共に不動部材にも固定されている調節板と、前記一方の基板側の前記接続部材と前記調節板との間隔を変化させて当該接続部材に外力を与える第１外力手段を有し、前記第１外力手段により与えられる前記の外力により前記接続部材を、当該接続部材と前記調節板との固定位置を支点として変形変位させて前記一方の基板に対して前記他方の基板をピント合わせ方向に変位させ前記他方の基板の発光素子から出射される光のピント調節を行なうことができることとした（請求項１１）。
（１２）．（１０）又は（１１）記載の光書き込み装置において、前記第１外力手段により外力が与えられる接続部材上の位置が、前記他方の基板と対向する位置にあることとした（請求項１２）。
（１３）．（１０）ないし（１２）の何れか１つに記載の光書き込み装置において、前記ピント調節手段が、前記一方の基板と前記他方の基板との中点を通る線を対称軸として、左右に設けられていることとした（請求項１３）。
（１４）．（１）ないし（９）の何れか１つに記載の光書き込み装置において、前記発光素子の並び方向で隣接する一方の基板を基準として他方の基板を揺動させて当該他方の基板の前記発光素子から出射される光が前記一方の基板の発光素子から出射される光に近づき或いは遠ざかる副走査方向に調節可能な副走査調節手段を具備していることとした（請求項１４）。
（１５）．（１４）記載の光書き込み装置において、前記副走査調節手段は、前記発光素子の並び方向で隣接する一方の基板と前記他方の基板にそれぞれ固定された板状の接続部材と、前記接続部材に対向配置されていて不動部材に固定されると共に、前記他方の基板と前記接続部材との固定位置で前記接続部材に固定されている調節板と、前記一方の基板の部位で前記接続部材と前記調節板との間隔を広狭調節する第２外力手段と、前記固定位置と前記第２外力手段との中間位置で前記接続部材と前記調節板に共通に接する支点部材とを具備していることとした（請求項１５）。
（１６）．（１４）又は（１５）に記載の光書き込み装置において、前記副走査調節手段が、前記一方の基板と前記他方の基板との中点を通る線を対称軸として、左右に設けられていることとした（請求項１６）。
（１７）．（１）ないし（９）の何れかに記載の光書き込み装置において、前記発光素子の並び方向で隣接する一方の基板に対して他方の基板を当該基板の厚さ方向に相当するピント合わせ方向に変位させるピント調節手段と、前記発光素子の並び方向で隣接する一方の基板を基準として前記他方の基板を揺動させて当該他方の基板から出射される光が前記一方の基板から出射される光に近づき或いは遠ざかる副走査方向に調節可能な副走査調節手段を具備していることとした（請求項１７）。
（１８）．（１７）記載の光書き込み装置において、前記ピント調節手段は、発光素子の並び方向で隣接する一方の基板と他方の基板にそれぞれ固定された板状の接続部材と、前記接続部材に対向配置されていて前記他方の基板側の固定位置で前記接続部材に固定されていると共に不動部材にも固定されている調節板と、前記一方の基板の部位で前記接続部材と前記調節板との間隔を広狭調節する第３外力手段を具備し、前記副走査調節手段は、前記第３外力手段の一部を支点として前記接続部材の前記一方の基板側の端部に外力を作用させて前記接続部材と前記調節板との間隔を広狭調節する第４外力手段を具備することとした（請求項１８）。
（１９）．（１７）ないし（１８）の何れか１つに記載の光書き込み装置において、前記ピント調節手段及び前記副走査調節手段が、前記一方の基板と前記他方の基板との中点を通る線を対称軸として、左右に設けられていることとした（請求項１９）。
（２０）．（１０）ないし（１９）の何れか１つに記載の光書き込み装置において、基板に対して前記付帯部材は可動状態に取り付けられていて、前記ピント調節手段、前記副走査調節手段と共に前記基板、前記付帯部材、前記ピント調節手段、前記副走査調節手段は全体が一体的に構成されていて、この一体的な構成のうち、任意の１つの第３調節板についてのみ１点で、前記不動部材として設けられた共通支持部材に対し固定されていることとした（請求項２０）。
（２１）．（２０）記載の光書き込み装置において、前記基板は前記付帯部材と共に、前記発光素子の並び方向上の任意の位置で補助支持手段により前記共通支持部材に対して支持されていることとした（請求項２１）。
（２２）．（２１）記載の光書き込み装置において、前記補助支持手段は、前記基板及び前記付帯部材を前記発光素子の並び方向について可動、前記副走査方向若しくはピント方向について位置調節可能に支持していることとした（請求項２２）。
（２３）．（２０）又は（２２）記載の光書き込み装置において、前記共通支持部材は、前記発光素子の並び方向での両端部にそれぞれ、当該共通支持部材を被取り付け部に取り付けると共に当該共通支持部材を前記ピント合わせ方向に調節することのできる取り付け手段を有していることとした（請求項２３）。
（２４）．（１１）ないし（２３）の何れか１つに記載の光書き込み装置において、前記外力手段は、前記接続部材と前記調節板との間に設けられたねじ手段からなることとした（請求項２４）。
（２５）．複数個の発光素子アレイユニットを感光体の主走査方向に沿って配置し、前記各発光素子アレイユニットに列設された発光素子からの照射光によって前記感光体を露光して静電潜像を書き込む光書き込み装置において、前記各発光素子アレイユニットの継ぎ目で前記感光体に対する主走査方向の露光量が均一になるように前記発光素子アレイユニットの継ぎ目部に位置する発光素子の発光量を補正する発光量補正手段を設けた（請求項２５）。
（２６）．（２５）記載の光書き込み装置において、前記発光量補正手段が、前記発光量の補正を前記継ぎ目部で接続された各発光素子アレイユニットの少なくとも一方の端部に位置する発光素子の発光量を調節する手段であることとした（請求項２６）。
（２７）．  請求項２６記載の光書き込み装置において、前記発光量補正手段が、前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドット中心同士の間隔（以下、実間隔という）が前記任意の発光素子アレイユニットにおいて隣接する２つの発光素子からの照射光のドットの中心同士の間隔（以下、基準間隔という）よりも大きいときは、前記発光量の補正を、該継ぎ目部で接続された各発光素子アレイユニットの少なくとも一方の端部に位置する発光素子の発光量を増加させるように調節して行なう手段を有することとした（請求項２７）。
（２８）．（２６）記載の光書き込み装置において、前記発光量補正手段が、前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドット中心同士の間隔（以下、実間隔という）が前記任意の発光素子アレイユニットにおいて隣接する２つの発光素子からの照射光のドット中心同士の間隔（以下、基準間隔という）よりも小さいときは、前記発光量の補正を、該継ぎ目部で接続された各発光素子アレイユニットの少なくとも一方の端部に位置する発光素子の発光量を減少させるように調節して行なう手段を有することとした（請求項２８）。
（２９）．複数個の発光素子アレイユニットを感光体の主走査方向に沿って配置し、前記各発光素子アレイユニットに列設された発光素子からの照射光によって前記感光体を露光して静電潜像を書き込む光書き込み装置において、前記継ぎ目部で接続された各発光素子アレイユニットの少なくとも一方の発光素子アレイユニットによる書き込み範囲を前記主走査方向へシフトさせる書き込み範囲シフト手段を設けた（請求項２９）。
（３０）．（２９）記載の光書き込み装置において、前記書き込み範囲シフト手段が、前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドットの中心同士の間隔（以下、実間隔という）が前記任意の発光素子アレイユニットにおいて隣接する２つの発光素子からの照射光のドットの中心同士の間隔（以下、基準間隔という）の２倍以上のときは、前記書き込み範囲が前記主走査方向で離間しかつ前記実間隔が前記基準間隔の２倍未満となるように、前記各発光素子アレイユニットの少なくとも一方による書き込み範囲をシフトさせることとした（請求項３０）。
（３１）．（２９）記載の光書き込み装置において、前記書き込み範囲シフト手段が、前記継ぎ目部で接続された一方の発光素子アレイユニットによる書き込み範囲と、他方の発光素子アレイユニットによる書き込み範囲とが主走査方向上で重なるときは、前記書き込み範囲が前記主走査方向で離間しかつ前記実間隔が前記基準間隔の２倍未満となるように、前記各発光素子アレイユニットの少なくとも一方による書き込み範囲をシフトさせることとした（請求項３１）。
（３２）．（２５）記載の光書き込み装置において、前記発光量補正手段が、前記発光量の補正を前記継ぎ目部で接続された各発光素子アレイユニットの少なくとも一方の端部に位置する発光素子の発光量を調節する手段であり、前記継ぎ目部で接続された各発光素子アレイユニットの少なくとも一方の発光素子アレイユニットによる書き込み範囲を前記主走査方向へシフトさせる書き込み範囲シフト手段を設けた（請求項３２）。
（３３）．（３２）記載の光書き込み装置において、前記書き込み範囲シフト手段が、前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドットの中心同士の間隔（以下、実間隔という）が前記任意の発光素子アレイユニットにおいて隣接する２つの発光素子からの照射光のドットの中心同士の間隔（以下、基準間隔という）よりも大きいとき、または前記書き込み範囲同士が主走査方向上で重なり合うときは、前記書き込み範囲が前記主走査方向で離間しかつ前記実間隔が前記基準間隔以下となるように、前記各発光素子アレイユニットの少なくとも一方による書き込み範囲をシフトさせる手段であり、前記発光量補正手段が、前記実間隔が前記基準間隔よりも小さいときは各発光素子アレイユニットの少なくとも一方による書き込み範囲の端部に対応する発光素子の発光量を減少させるように調節する手段であることとした（請求項３３）。
（３４）．（３２）記載の光書き込み装置において、前記継ぎ目部で接続された一方の発光素子アレイユニットによる書き込み範囲と他方の発光素子アレイユニットによる書き込み範囲について、これら各書き込み範囲の前記継ぎ目部側の端部に対応する発光素子からの照射光のドットの中心同士の間隔を実間隔とし、前記任意の発光素子アレイユニットにおいて隣接する２つの発光素子からの照射光のドットの中心同士の間隔を基準間隔とするとき、前記書き込み範囲シフト手段が、前記実間隔が前記基準間隔の２倍以上のとき、前記書き込み範囲同士が主走査方向で重なり合うとき、前記実間隔が前記基準間隔未満であるときの何れかの場合に、前記実間隔が前記基準間隔以上かつ前記基準間隔の２倍未満となるように、前記各発光素子アレイユニットの少なくとも一方による書き込範囲をシフトさせる手段であり、前記発光量補正手段が、前記実間隔が前記基準間隔よりも大きいときは、前記継ぎ目部で接続された各発光素子アレイユニットの少なくとも一方の端部に位置する発光素子の発光量を増加させる手段であることとした（請求項３４）。
（３５）．（３２）前記継ぎ目部で接続された一方の発光素子アレイユニットによる書き込み範囲と他方の発光素子アレイユニットによる書き込み範囲について、これら各書き込み範囲の前記継ぎ目部側の端部に対応する発光素子からの照射光のドットの中心同士の間隔を実間隔とし、前記任意の発光素子アレイユニットにおいて隣接する２つの発光素子からの照射光のドットの中心同士の間隔を基準間隔とするとき、前記書き込み範囲シフト手段が、前記継ぎ目部で接続された一方の発光素子アレイユニットによる書き込み範囲と、他方の発光素子アレイユニットによる書き込み範囲同士が主走査方向上で重なり合うとき、または前記実間隔が前記基準間隔の２倍以上のときの何れかの場合に、前記書き込み範囲が前記主走査方向で離間しかつ前記実間隔が前記基準間隔の２倍未満となるように、前記各発光素子アレイユニットの少なくとも一方による書き込み範囲をシフトさせる手段であり、前記発光量補正手段が、前記実間隔が前記基準間隔よりも小さいときは、前記継ぎ目部で接続された各発光素子アレイユニットの少なくとも一方の端部に位置する発光素子の発光量を減少させるように調節し、前記実間隔が前記基準間隔よりも大きいときは、該継ぎ目部で接続された各発光素子アレイユニットの少なくとも一方の端部に位置する発光素子の発光量を増加させるように調節する手段であることとした（請求項３５）。
（３６）．（２５）ないし（２８）、（３３）ないし（３５）の何れか１つに記載の光書き込み装置において、前記発光量補正手段が、前記発光量の調節を前記発光素子の発光パワーを補正して行なう手段であることとした（請求項３６）。
（３７）．（２５）ないし（２８）、（３３）ないし（３５）の何れか１つに記載の光書き込み装置において、前記発光量補正手段が、前記発光量の調節を前記発光素子の発光時間を補正して行なう手段であることとした（請求項３７）。
（３８）．一様に帯電された感光体を、光書き込み装置からの光で走査して画像を書き込み、この画像書き込みにより形成された潜像を、可視像化して画像を得る画像形成装置において、（１）ないし（３７）の何れか１つに記載の光書き込み装置を前記光書き込み装置としていることとした（請求項３８）。
（３９）．多数の発光素子を一方向に列状に並べて配列した基板を複数、前記主走査方向に互いに位置をずらして配置した構成を具備した光書き込み装置を画像形成装置に取り付ける際の光書き込み装置の位置調節方法であって、前記光書き込み装置を前記画像形成装置本体に対して変位させることにより、前記主走査方向で隣接する一方の基板について、当該基板の厚さ方向に相当するピント合わせ方向の位置決めを行なった後、前記発光素子の並び方向で隣接する他方の基板について、前記光書き込み装置に対して変位させて当該基板の厚さ方向に相当するピント合わせ方向の位置決めを行なうこととした（請求項３９）。
（４０）．（３９）記載の光書き込み装置の位置調節方法において、前記発光素子の並び方向で隣接する他方の基板について前記ピント合わせ方向の位置決めの後、前記一方の基板を基準として前記他方の基板を揺動させて当該他方の基板側の前記発光素子から出射される光が前記一方の基板から出射される光に近づき或いは遠ざかる副走査方向の位置決めを行なうこととした（請求項４０）。
（４１）．  複数個の発光素子アレイユニットを感光体の主走査方向に沿って配置し、前記各発光素子アレイユニットに列設された発光素子からの照射光によって前記感光体を露光して静電潜像を書き込むに際し、前記各発光素子アレイユニットの継ぎ目で前記感光体に対する主走査方向の露光量が均一になるように前記発光素子アレイユニットの継ぎ目部に位置する発光素子の発光状態を調節する光書き込み装置の発光状態調節方法であって、前記継ぎ目部で接続された各発光素子アレイユニットによる各書き込み範囲端部に位置する発光素子同士の間隔（以下、実間隔という）と前記発光素子の間隔（以下、基準間隔という）との間にずれがある場合に、前記各発光素子アレイユニットの少なくとも一方による書き込み範囲を前記発光素子単位でシフトさせることにより前記ずれの量を狭めた後、  さらに残余のずれがあるときに、この残余のずれによる前記露光量の不均一が解消されるように、前記継ぎ目部で接続された各発光素子アレイユニットの少なくとも一方の端部に位置する発光素子の発光量を変えることにより調節することとした（請求項４１）。
（４２）．（４１）記載の光書き込み装置の発光状態調節方法において、前記書き込み範囲が前記主走査方向で離間しかつ前記実間隔が前記基準間隔以下となるようにシフトさせた後、さらに残余のずれがあるときに、この残余のずれによる前記露光量の不均一が解消されるように、前記継ぎ目部で接続された各発光素子アレイユニットの少なくとも一方の端部に位置する発光素子の発光量を減少させることにより調節することとした（請求項４２）。
【発明の効果】
【００１０】
請求項１記載の発明では、発光素子が列設された基板と基板同士を直接或いは接続部材だけを介して固定する構成であるので、より簡易にまた確実に複数の短尺の基板を実質的に１つの基板として一体化を図ることができる。
請求項２記載の発明では、基板間に他部材が介在しても基板同士を直接固定したと同じになり、熱膨張、熱収縮による影響を受けなくなる。
請求項３記載の発明では、付帯部材により基板を補強し、かつ、基板同士を接続固定することができる。
請求項４記載の発明では、装置が置かれている環境温度が変化したり、発光素子が発熱しても、互いに隣接する基板と基板とを実質的に１つの基板と同じように構成したこととなる。
請求項５記載の発明では、３つ以上の発光素子アレイユニットを発光素子の並び方向に並べて大型の画像書き込み装置にしても、その隣接する発光素子アレイユニット間の書き込みドットの切り替わり位置の相対位置は発光素子アレイの並び方向に狂わないので、同様に黒や白の縦すじの無い画像が得られる。
請求項６記載の発明では、付帯部材がある場合でも基板同士を固定したこととなり、基板と筐体との線膨張係数の差により基板が撓んだりするようなことがない。したがって、良好な画像が得られると共に、その基板を筐体との膨張差に打ち勝つほど強力に固定する必要がないし、接続部材を介在しないので、より簡易にまた確実に基板の一体化を図ることができる。
請求項７記載の発明では、複数の発光素子アレイユニットの基板上の書き込みドットの切り替わり位置の相対位置は、発光素子アレイの並び方向に狂わないので、黒や白の縦すじの無い良好な画像が得られる。
請求項８記載の発明では、隣接する発光素子アレイユニットの互いの書き込みドットの切り替わり位置の相対位置を任意に調節することができるので、複数の発光素子アレイユニットを発光素子の並び方向に並べて大型の発光素子アレイユニットにする構成のものであっても、より高い精度の光書き込み装置にすることができる。
請求項９記載の発明では、アレイ位置調節手段を調節ねじを使用して簡単に構成することができ、隣接する発光素子アレイユニットの互いの書き込みドットの切り替わり位置の相対位置の調節も、その調節ねじを回転させるだけで簡単に微調節することができる。
請求項１０記載の発明では、発光素子の並び方向で隣接する一方の基板に対して他方の基板を該基板の厚さ方向に相当するピント合わせ方向に変位させて容易にピント調節を行なうことができる。請求項１１記載の発明では、第１外力手段を調節するだけの簡単な操作により簡単にピント調節を行なうことができる。
請求項１２記載の発明では、第１外力手段による調節感度を高めることができる。
請求項１３記載の発明では、隣接する一方の基板と他方の基板についてそれぞれ個別にピント調節を行なうことができ、ピント調節作業の煩雑を免れる。
請求項１４記載の発明では、決まった遅延時間に対する基板間に対応する感光体上の書き込みドット距離を簡単に正確に合わせることができる。
請求項１５記載の発明では、副走査調節手段がてこの原理を応用しているので、精密な調節を行なうことが可能である。
請求項１６記載の発明では、発光素子の並び方向で隣接する一方の基板と他方の基板についてそれぞれ独立に副走査方向の書き込み位置を調節することができるので、調節作業が容易となる。
請求項１７記載の発明では、基板を含む発光素子アレイユニットのピント調節と副走査方向での書き込み位置の調節の両方を行なうことができるので、調節作業が容易となる。
請求項１８記載の発明では、発光素子の並び方向で隣接する何れか一方の基板について、ピント調節と副走査方向での書き込み位置の調節とを行なうことができるので、調節作業が容易となるし、てこを利用したねじ構造により、一方向からピント調節と副走査方向での書き込み位置の調節を行なう等、調節作業が容易となる。
請求項１９記載の発明では、発光素子の並び方向の一方の基板と他方の基板についてそれぞれ独立して副走査方向での書き込み位置及びピント調節を可能とするので、調節の自由度が高められこれらの調節作業が一層容易となる。
請求項２０記載の発明では、基板及びその付帯部材、ピント調節手段、副走査調節手段等の熱膨張、熱収縮に伴う変形により書き込み精度が低下することを防止できる。
請求項２１記載の発明では、補助支持手段を設けることにより、基板及びその付帯部材、ピント調節手段、副走査調節手段等の全体構成は共通支持部材に対し安定して保持され、書き込み精度を安定させることができる。
請求項２２記載の発明では、補助支持手段は基板及び付帯部材を発光素子の並び方向に可動に支持して、熱膨張、熱収縮に伴う変形による書き込み精度の低下を防止し、副走査方向での書き込み位置については副走査調節手段による調節に応じて調節可能である。
請求項２３記載の発明では、共通支持部材の一端側、他端側についてピント合わせ方向に調節できる取り付け手段を設けたことにより、ピント調節手段及び副走査調節手段の調節と合わせて、発光素子の並び方向に隣接する一方の基板と他方の基板の全てについて、ピント調節、副走査方向の書き込み位置の調節を容易に行なうことができる。
請求項２４記載の発明では、ねじ手段により調整量が微少量であるピント調整や、副走査方向での書き込み量の調整を精密に行なうことができる。
請求項２５記載の発明では、発光量補正手段を設けたことにより、感光体の主走査方向へ複数個の発光素子アレイユニットを高精度に位置決めして配置しなくても、なお且つ各発光素子アレイユニットの継ぎ目部の発光素子のドットピッチ誤差を調整するための高コストな機構を設けなくても、感光体への書き込み画像に黒スジ、白スジ及び線のずれなどの不具合が発生しないようにすることができる。
請求項２６記載の発明では、継ぎ目部で接続された両方の発光素子アレイユニットについて発光素子の発光量を調整することなく、少なくとも一方の発光素子の発光量を調整するだけで、簡単に十分な補正効果をあげることができる。
請求項２７記載の発明では、少なくとも一方の発光素子の発光量を増加することで、十分な補正効果をあげ白スジ画像を解消することができる。
請求項２８記載の発明では、少なくとも一方の発光素子の発光量を減少するだけで、簡単に十分な補正効果をあげ黒スジ画像を解消することができる。
請求項２９記載の発明では、シフト操作のみで補正することができ、発光量の補正の手段を伴わない点で構成が簡易であり、実施も容易である。
請求項３０記載の発明では、光量補正だけでは十分な補正ができないほど両書き込み範囲が離れている場合であっても簡便な書き込み範囲シフト手段によるシフト操作により補正することができる。
請求項３１記載の発明では、光量補正だけでは十分な補正ができないほど両書き込み範囲が重なっている場合であっても簡便な書き込み範囲手段によるシフト操作により補正することができる。
請求項３２記載の発明では、発光量補正手段と、書き込み範囲シフト手段を備えた光書き込み装置であるので、製造後、実際に装置を駆動する段階での光書き込み調整において、誤差の状況に応じた柔軟な補正操作が可能となる。
請求項３３記載の発明では、書き込み範囲シフト手段と発光量補正手段を合わせもつので、シフト操作ののち、残余のずれを発光量補正手段の光量減少機能により補正するという２段階補正により、現状のずれがかなり大きくても高度な補正が可能である。
請求項３４記載の発明では、書き込み範囲シフト手段と発光量補正手段を合わせもつので、シフト操作ののち、残余のずれを発光量補正手段の光量増加機能により補正するという２段階補正により、現状のずれがかなり大きくても高度な補正が可能である。
請求項３５記載の発明では、書き込み範囲シフト手段と発光量補正手段を合わせ有し、発光量補正手段については光量減少及び増加機能を有するので、現状に広範なずれがあっても、シフトにより狙いの範囲に収め、その後の光量補正により高度な補正が可能である。
請求項３６記載の発明では、発光時間を増減する場合と比べて、発光時間の制御に伴う時間ロスがない。
請求項３７記載の発明では、発光素子の発光パワーを増減させるように調整する場合と比べて、パワー能力を有する発光素子を用いることなく、通常の発光素子を使用できるので実施が比較的簡便である。
請求項３８記載の発明では、短尺の基板だけを用いて実質的に１つの基板を構成した光源部を有する発光素子アレイユニットを用いた光書き込み装置により、コンパクトな装置構成により広幅な画像を得ることができる。
請求項３９記載の発明では、短尺の基板だけを用いて実質的に１つの基板を構成した光源部を有する発光素子アレイユニットを用いた光書き込み装置を画像形成装置に取り付けかつ、ピント合わせ方向の位置決めを行なうことができる。
請求項４０記載の発明では、発光素子の並び方向に隣接する一方の基板と他方の基板の全てについて、ピント調節方向の書き込み位置の調節及び副走査調節方向の書き込み位置の調節を容易に行なうことができる。
請求項４１記載の発明では、シフト操作による補正と発光量をを変える補正の２段階補正により各発光素子アレイユニットの継ぎ目部で感光体に対する主走査方向の露光量を均一とする高度な補正が可能となる。
請求項４２記載の発明では、確実に精度のよい補正が実現されるとともに、発光素子については光量減少による補正操作が容易であることから、実施が容易である。
【発明を実施するための最良の形態】
【００１１】
以下、本発明の実施の形態を説明する。なお、各図および表１の丸付き数字は、以下の文中では<>付きの数字で表示している。
［１］第１の実施の形態  
本実施の形態は主として請求項１ないし９に記載の発明に対応する。  
１−ａ．実施の形態例１：本例は請求項２ないし４及び７に対応する。  
図１は、この発明の一実施形態例である光書き込み装置の複数の発光素子アレイユニットの相対位置関係を説明するための平面図、図２は同じくその光書き込み装置を感光体ドラムと共に示す斜視図である。
【００１２】
この光書き込み装置は、複数の発光素子（図示を省略している）が図１の矢視Ａ方向に沿って列設された基板２ａ、基板２ｂをそれぞれ有する２個の発光素子アレイユニット１Ａ、１Ｂを発光素子の並び方向である矢視Ａ方向に沿って互いに位置をずらして図示のように隣接させて配置し、それらを接続部材３により接続している。
【００１３】
この光書き込み装置では、隣接する２つの発光素子アレイユニット１Ａ、１Ｂのそれぞれの書き込みユニットにおける基板上のドットの切り替わり位置Ｄｃ１、Ｄｃ２と、その互いに隣接する発光素子アレイユニット１Ａ、１Ｂの一方の発光素子アレイユニット１Ａ側を接続部材３に固定する固定位置Ｆｐ１と、発光素子アレイ１Ｂ側の他方を接続部材３に固定する固定位置Ｆｐ２とを、全て発光素子の並び方向となる矢視Ａ方向で同一の位置となる線Ｌ１上にしている。
【００１４】
より具体的には、発光素子アレイユニット１Ａ側の基板２ａは基板２ａを保持する保持体としての筐体４ａにねじ５により線Ｌ１上で固定されており、その筐体４ａはねじ６により固定位置Ｆｐ１で接続部材３に固定されている。発光素子アレイユニット１Ｂ側の基板２ｂは、筐体４ｂにねじ７により線Ｌ１上で固定されており、その筐体４ｂはねじ８により固定位置Ｆｐ２で接続部材３に固定されている。
【００１５】
本例では、基板２ａ、２ｂは合成樹脂の薄板状のものからなるので、付帯部材として剛性を有し、放熱機能も兼ねた筐体４ａ、４ｂをこれら基板に沿わせて設けている。
【００１６】
発光素子の並び方向で隣接する一方の基板２ａと他方の基板２ｂとは、これら基板２ａ、２ｂとは別体の付帯部材である筐体４ａ、４ｂ及び接続部材３を介して固定されている。発光素子が列設された基板同士を付帯部材を介して固定することにより、発光素子アレイユニット１Ａと発光素子アレイユニット１Ｂとは実質的に１つの発光素子アレイユニットと同じ機能を発揮することが可能となる。
【００１７】
ここで、付帯部材としては上記に掲げた筐体や接続部材の他に、発光素子からの光を結像するレンズアレイを具備したレンズケースを挙げることができる。レンズケースは、図２において、筐体４ａ、４Ｂも含まれる。レンズケースは筐体に接着により固定されている。レンズケースは以下の各図において共通の符号Ｚで示す。付帯部材により基板を補強し、かつ、基板同士を接続固定することができる。
【００１８】
さらに本例では、ねじ５、固定位置Ｆｐ１、Ｆｐ２、ねじ７の位置を矢視Ａ方向で同一の位置となる線Ｌ１上にしている。これは、基板２Ａから基板２Ｂまでの間に１つ又は複数の付帯部材が介在する場合でも、基板を含む各付帯部材相互の各固定位置を、矢視Ａ方向で同一の位置となる線Ｌ１上にすることを意味している。
【００１９】
言い換えれば、付帯部材としての筐体４ａ、接続部材３、付帯部材としての筐体４ｂ、基板２ｂに至る固定経路を、矢視Ａ方向で同一の位置となる線Ｌ１上にしている。これにより、基板間に他部材が介在しても基板同士を直接固定したと同じになり、熱膨張、熱収縮による影響を受けなくなる。
【００２０】
各基板２ａ、２ｂ上での書き込みドットの切り替わり位置Ｄｃ１、Ｄｃ２を全て線Ｌ１上に位置している。基板２ａと筐体４ａとの固定、及びその筐体４ａと接続部材３との固定、さらには基板２ｂと筐体４ｂとの固定、及びその筐体４ｂと接続部材３との固定は、上述したねじ止めに限るものではなく、これらの相対位置がずれることなしに固定することができるものであれば、例えば接着による固定であったり、リベットによるかしめ固定であったりしてもよい。基板２ａ、基板２ｂ、接続部材３、筐体４ａ、４ｂは特別な材質のものを使用したり、特定の線膨張係数のものを使用したりする必要はない。
【００２１】
基板上の書き込みドットの切り替わり位置Ｄｃ１、Ｄｃ２について説明する。
基板上の書き込みドットの切り替わり位置Ｄｃ１、Ｄｃ２は１点ではなく、微視的にはある程度の広がりを有する。図１０において、矩形で示した１つ１つが発光素子を示しており、基板２ａ上には矢視Ａ方向の線Ｌａ上に発光素子が一定のピッチで配列されており、基板２ｂ上にも矢視Ａ方向の線Ｌｂ上に発光素子が一定ピッチで配列されている。
【００２２】
基板２ａ、２ｂについてそれぞれ列設された各発光素子の列は矢視Ａと直交する副走査方向からみたとき一端側同士が部分的に重なるように配置されており、基板２ａについて光書き込みに際して発光する領域の発光素子を便宜上、黒く塗りつぶして示し基板２ａの書き込みドット範囲とし、基板２ｂについても同様に黒く塗りつぶして示し基板２ｂの書き込みドット範囲としている。
【００２３】
短尺の基板を複数組み合わせて固定し実質的に１本の基板として機能させるためには、矢視Ａと直交する副走査方向から見たとき、基板２ａの書き込みドット範囲の端部と基板２ｂの書き込みドット範囲の端部とは重複せず、かつ、発光素子のピッチ（後述する基準間隔）よりも間隔を空けないことが必要であり、かかる条件を満足するように基板２ａ上の書き込みドットの切り替わり位置Ｄｃ１、基板２ｂ上の書き込みドットの切り替わり位置Ｄｃ２の位置が設定されている。
【００２４】
基板２ａ上の書き込みドットの切り替わり位置Ｄｃ１は黒くに塗りつぶされた発光素子Ｂａ１とこれに隣接する白抜けの発光素子Ｂａ２間の位置であり、基板２ｂ上の書き込みドットの切り替わり位置Ｄｃ２は黒くに塗りつぶされた発光素子Ｂｂ１とこれに隣接する白抜けの発光素子Ｂｂ２間の位置である。
【００２５】
図２に示すように発光素子アレイユニット１Ａ、１Ｂの基板２ａ、２ｂに列状に設けられている各発光素子は、感光体ドラム１０に対向するように配設されており、これらの発光素子アレイから感光体ドラム１０に光を照射して、感光体ドラム１０の感光体上に所望の潜像を書き込む。
【００２６】
前述したように、従来の光書き込み装置のように複数の発光素子アレイユニット間を単純に連結しただけのものでは、発光素子アレイユニットの温度が上昇すると、隣接する発光素子アレイユニットにおける基板上の書き込みドットの切り替わり位置でのドット間ピッチ（発光素子のピッチ）が変化することによって、その継ぎ目部分に対応して形成される画像に不具合が生じやすいという問題点があった。
【００２７】
例えば図３に示すように、発光素子アレイユニット１１Ａと１１Ｂを繋ぐ接続部材１３の筐体１４ａ、１４ｂ及び基板２ａ、２ｂへの固定位置から基板上の書き込みドットの切り替わり位置Ｄｃ１、Ｄｃ２までの間の距離をＬｄとしたものでは、基板２ａがその材質によって決まる線膨張係数に距離Ｌｄを掛けた値に、更に温度上昇分を掛けた値だけ膨張することによって、書き込みドットの切り替わり位置Ｄｃ１が図３で左方にずれる。
【００２８】
その際、基板２ｂ側も同様に膨張するため基板上の書き込みドットの切り替わり位置Ｄｃ２も図３で左方にずれるが、線膨張係数や温度分布はそれぞれの部品でバラツキがあるため、それによって書き込みドットの切り替わり位置Ｄｃ１とＤｃ２は相対的にずれるようになる。
【００２９】
また、図３では説明の都合上、最も単純なモデルとして基板２ａを筐体１４ａと同じ位置で接続部材１３とねじ止め固定すると共に、基板２ｂを筐体１４ｂと同じ位置で接続部材１３とねじ止め固定するようにした場合の例を示したが、接続部材１３が筐体１４ａにねじ止め固定され、その筐体１４ａに別の位置で基板２ａがねじ止め固定されると共に、接続部材１３が筐体１４ｂにねじ止め固定され、その筐体１４ｂに別の位置で基板２ｂがねじ止め固定される構成の場合には、それら各部品間の線膨張係数のバラツキが積み重なるため、書き込みドットの切り替わり位置Ｄｃ１とＤｃ２との相対的なずれは更に増大する。
【００３０】
実際には上述した各部品の膨張によるピッチずれに加えて、発光素子アレイユニット１１Ａと１１Ｂの初期の位置決め精度等が加わるため、書き込みドットの切り替わり位置Ｄｃ１とＤｃ２ｔの相対的なずれに対応するドットピッチ誤差は、更に拡大する。
【００３１】
ドットピッチ誤差が、画像に縦の黒や白のすじが発生する５μｍを超えた場合には、発光素子アレイユニット１１Ａと１１Ｂにおける基板上の書き込みドットの切り替わり位置Ｄｃ１とＤｃ２の継ぎ目部分に対応して形成される画像に不具合が発生する。
【００３２】
この光書き込み装置では、図１及び図２で説明したように、隣接する発光素子アレイユニット１Ａ、１Ｂにおける各基板上のそれぞれの書き込みドットの切り替わり位置Ｄｃ１、Ｄｃ２と、その発光素子アレイユニット１Ａ、１Ｂの一方の筐体４ａを接続部材３に固定する固定位置Ｆｐ１と、発光素子アレイユニット１Ｂ側の他方の筐体４ｂを接続部材３に固定する固定位置Ｆｐ２と、基板２ａを筐体４ａにねじ５で固定する位置と、基板２ｂを筐体４ｂにねじ７で固定する位置とを、全て発光素子の並び方向となる矢視Ａ方向で同一の位置となる線Ｌ上にしているので、上記のような書き込みドットの切り替わり位置Ｄｃ１とＤｃ２との間に対応する部分でも画像に不具合が発生しない。
【００３３】
すなわち、基板上の書き込みドットの切り替わり位置Ｄｃ１、Ｄｃ２と、固定位置Ｆｐ１とＦｐ２と、基板２ａの筐体４ａへの固定位置と、基板２ｂの筐体４ｂへの固定位置とが全て同じ線Ｌ１上にあると、図３で説明した接続部材１３の筐体１４ａ、１４ｂ及び基板２ａ、２ｂへの固定位置から書き込みドットの切り替わり位置Ｄｃ１、Ｄｃ２までの距離Ｌｄが０（ゼロ）になるので、基板上の書き込みドットの切り替わり位置Ｄｃ１とＤｃ２との相対的なずれとなるドットピッチ誤差が０（ゼロ）になる。
【００３４】
ドットピッチ誤差は、温度が上昇した際に図１に示した基板２ａ、２ｂや筐体４ａ、４ｂ等が膨張して位置ずれを生じることによって起きるものであり、その基板２ａ、２ｂや筐体４ａ、４ｂの膨張は、それら各部品の線膨張係数に距離Ｌｄ（図３）と温度上昇とを掛けた値で求められる。
【００３５】
図１及び図２で説明した光書き込み装置では、発光素子アレイユニット１Ａ、１Ｂにおけるそれぞれの基板上の書き込みドットの切り替わり位置Ｄｃ１、Ｄｃ２と、その発光素子アレイユニット１Ａ、１Ｂにおける一方の筐体４ａを接続部材３に固定する固定位置Ｆｐ１と、発光素子アレイユニット１Ｂ側の他方の基板２ｂを接続部材３に固定する固定位置Ｆｐ２と、基板２ａを筐体４ａにねじ５で固定する固定位置Ｆｐ２と、基板２ａを筐体４ａにねじ５で固定する位置と、基板２ｂを筐体４ｂにねじ７で固定する位置とを、全て同一の線Ｌ１上にしているので、図３で説明した距離Ｌｄが０（ゼロ）になる。
【００３６】
したがって、温度上昇があっても、基板上の書き込みドットの切り替わり位置Ｄｃ１とＤｃ２は、線Ｌ１上からずれないので、基板上の書き込みドットの切り替わり位置Ｄｃ１とＤｃ２との相対位置は図１の矢視Ａ方向に狂わず、良好な画像が得られる。よって、装置が置かれている環境温度が変化したり、発光素子が発熱しても、互いに隣接する基板と基板とを実質的に１つの基板と同じように構成したこととなる。
【００３７】
１−ｂ．実施の形態例２：本例は請求項２ないし５及び７に対応する。  
図４は３個の発光素子アレイユニットを互いに位置をずらしてそれぞれ隣接させて配置した光書き込み装置の実施の形態を示す図１と同様な平面図、図５は同じくその光書き込み装置を感光体ドラムと共に示す図２と同様な斜視図であり、図１及び図２と対応する部分には同一の符号を付してある。
【００３８】
この光書き込み装置は、図４に示すように複数の発光素子アレイが実装された基板２ａ、２ｂ、２ｃをそれぞれ有する３個（４個以上であってもよい）の発光素子アレイユニット１Ａ、１Ｂ、１Ｃを、発光素子の並び方向である矢視Ａ方向に沿って互いに位置をずらしてそれぞれ隣接させて互いに隣り合うもの同士を接続部材３Ａ、３Ｂにより接続している。
【００３９】
この光書き込み装置は、矢視Ａ方向の両側に発光素子アレイユニット１Ａと１Ｃが配設された間、つまり中央に位置する発光素子アレイユニット１Ｂの一端側、他端側（両側）の基板上の書き込みドットの切り替わり位置Ｄｃ２、Ｄｃ３と、一端側で隣接する発光素子アレイユニット１Ａ、他端側で隣接する発光素子アレイユニット１Ｃのそれぞれについて中央に位置する発光素子アレイユニット１Ｂ側の各基板上の書き込みドットの切り替わり位置Ｄｃ１、Ｄｃ４と、発光素子アレイユニット１Ａ、１Ｂの筐体４ａ、４ｂを接続部材３Ａに固定する各固定位置Ｆｐ１、Ｆｐ２と、発光素子アレイユニット１Ｂ、１Ｃの筐体４ｂ、４ｃを接続部材３Ｂにそれぞれ固定する各固定位置Ｆｐ３、Ｆｐ４とに関し、各固定位置Ｆｐ１、Ｆｐ２と各基板上の書き込みドットの切り替わり位置Ｄｃ１、Ｄｃ２を矢視Ａ方向で同一の位置となる線Ｌ２上にし、また、各固定位置Ｆｐ３、Ｆｐ４と各基板上の書き込みドットの切り替わり位置Ｄｃ３、Ｄｃ４を矢視Ａ方向で同一の位置となる線Ｌ３上にしている。
【００４０】
かかる構成により、装置が置かれている環境温度が変化したり、発光素子が発熱しても、互いに隣接する基板と基板とを実質的に１つの基板と同じように構成したこととなると共に、３つ以上の発光素子アレイユニットを発光素子の並び方向に並べて大型の画像書き込み装置にしても、その隣接する発光素子アレイユニット間の書き込みドットの切り替わり位置の相対位置は発光素子アレイの並び方向に狂わないので、同様に黒や白の縦すじの無い画像が得られる。
【００４１】
具体的には、発光素子アレイユニット１Ａの筐体４ａはねじ６により固定位置Ｆｐ１で接続部材３Ａに固定されており、接続部材３Ａはねじ８により固定位置Ｆｐ２で発光素子アレイユニット１Ｂの筐体４ｂに固定されている。
【００４２】
発光素子アレイユニット１Ｂの筐体４ｂはねじ５１により固定位置Ｆｐ３で接続部材３Ｂに固定されており、接続部材３Ｂはねじ５２により固定位置Ｆｐ４で発光素子アレイユニット１Ｃの筐体４ｃに固定されている。
【００４３】
発光素子アレイユニット１Ａの筐体４ａには基板２ａがねじ５により固定されており、発光素子アレイユニット１Ｂの筐体４ｂには基板２ｂの両端部がねじ７、５３によりそれぞれ固定されている。さらに、発光素子アレイユニット１Ｃの筐体４ｃに基板２ｃがねじ５４により固定されている。
【００４４】
各ねじ５、６、７、８のそれぞれ中心と、書き込みドットの切り替わり位置Ｄｃ１、Ｄｃ２とは、全て線Ｌ２上に位置している。各ねじ５１、５２、５３、５４のそれぞれ中心と、書き込みドットの切り替わり位置Ｄｃ３、Ｄｃ４とは、全て線Ｌ３上に位置している。
【００４５】
この実施の形態においても、基板２ａと筐体４ａとの固定、基板２ｂと筐体４ｂとの固定、基板２ｃと筐体４ｃとの固定、更に筐体４ａ、４ｂと接続部材３Ａとの固定、筐体４ｂ、４ｃと接続部材３Ｂとの固定は、上述したねじ止めに限るものではなく、これらの相対位置がずれることなしに固定することができるものであれば、例えば接着による固定であったり、リベットによるかしめ固定であったりしてもよい。
【００４６】
基板２ａ、２ｂ、２ｃ、接続部材３Ａ、３Ｂ、筐体４ａ、４ｂ、４ｃは、特別な材質のものを使用したり、特定の線膨張係数のものを使用したりする必要もない。基板２ａと筐体４ａとの固定位置、及び基板２ｂの左端部と筐体４ｂとの固定位置は、線Ｌ２以外にすることもできる。また、基板２ｂの右端部と筐体４ｂとの固定位置、及び基板２ｃと筐体４ｃとの固定位置も、線Ｌ３以外にすることもできる。
【００４７】
図６に示すように、発光素子アレイユニット１Ａ'、１Ｂ'、１Ｃ'の各基板２ａ、２ｂ、２ｃを線膨張係数が０．００００１３／ｄｅｇのごく一般的なガラスエポキシ樹脂で形成し、筐体４ａ、４ｂ、４ｃを線膨張係数が０．００００２４／ｄｅｇのアルミ材でそれぞれ形成して、各々の線膨差を考慮して発光素子アレイユニット１Ａ'と１Ｂ'、及び１Ｂ'と１Ｃ'を、その発光素子アレイユニット１Ｂ'の筐体４ｂの両端部において両側に隣接する発光素子アレイユニット１Ａ'、１Ｃ'の筐体４ａと４ｃとにねじ５５、５６により１箇所ずつ直接（あるいは接続部材を介してもよい）固定し、温度上昇が３０ｄｅｇであったときについて考えてみる。
【００４８】
発光素子アレイユニット１Ｂ'の基板２ｂと筐体４ｂとは、図６で左方側の一端側のみをねじ５７により１箇所固定し、発光素子アレイユニット１Ａ'の基板２ａと筐体４ａとをねじ５８で、発光素子アレイユニット１Ｃ'の基板２ｃと筐体４ｃとをねじ５９でそれぞれ１箇所固定している。
【００４９】
この場合、発光素子アレイユニット１Ｂ'の長手方向の長さをＡ３サイズとすると、そのＡ３サイズは書き込み幅が約３００ｍｍであるので、発光素子アレイユニット１Ｂ'の基板２ｂを筐体４ｂに固定している場所（ねじ５７の位置）から一番遠く離れた基板２ｂ上の図６で右端のドットは、筐体４ｂとの相対位置が単純計算で、（０．００００２４-０．００００１３）×３００ｍｍ×３０ｄｅｇ＝９９μｍずれることになる。
【００５０】
これでは隣接する発光素子アレイユニット１Ｃ'とのドット位置関係を、画像に縦の黒や白のすじが発生しないドットピッチ誤差である５μｍ以下に抑えることは到底無理である。しかも、実際には基板２ａ、２ｂ、２ｃ内及び筐体４ａ、４ｂ、４ｃ内でも温度分布が生じるので、さらに複雑なドットの狂いが発生する。
【００５１】
本実施の形態である光書き込み装置は、図４及び図５で説明したような構成にしているので、例えばＡ３サイズ幅の発光素子アレイユニット１Ａ、１Ｂ、１Ｃを図４に示したように発光素子アレイの並び方向に３個並べてＡ０サイズ幅の光書き込み装置を構成しても、隣接する発光素子アレイユニット１Ａと１Ｂの発光素子アレイの各基板上の書き込みドットの切り替わり位置Ｄｃ１とＤｃ２との相対位置と、発光素子アレイユニット１Ｂと１Ｃの発光素子アレイの各基板上の書き込みドットの切り替わり位置Ｄｃ３とＤｃ４との相対位置は、共に発光素子の並び方向（図４の矢視Ａ方向）に狂わないので、良好な画像が得られる。
【００５２】
１−ｃ．実施の形態例３：本例は請求項１及び６に対応する。  
図７は各基板を筐体からそれぞれ一部を突出させるようにした光書き込み装置の実施の形態を示す図１と同様な平面図、図８は同じくその基板が取り付けられた筐体を示す斜視図である。この光書き込み装置は、図７に示すように３つの発光素子アレイユニット１Ａ"、１Ｂ"、１Ｃ"で構成されており、（２つあるいは４つ以上で構成してもよい）、その各発光素子アレイユニット１Ａ"、１Ｂ"、１Ｃ"は、各基板２２ａ、２２ｂ、２２ｃが、それを保持する各筐体２４ａ、２４ｂ、２４ｃにそれぞれ一部が図示のように突出した状態で固定されている。
【００５３】
発光素子アレイユニット１Ａ"と１Ｂ"は、多数の発光素子が矢視Ａ方向に列設された基板２２ａ、２２ｂのそれぞれ筐体２４ａ、２４ｂから一部が突出した部分同士を、接続部材３３Ａによりねじ３４、３５を使用して固定している。
【００５４】
同様に発光素子アレイユニット１Ｂ"と１Ｃ"も、多数の発光素子が矢視Ａ方向に列設された基板２２ｂ、２２ｃのそれぞれ筐体２４ｂ、２４ｃから一部が突出した部分同士を、接続部材３３Ｂによりねじ３６、３７を使用して固定している。
【００５５】
これらねじ３４、３５のそれぞれ中心と、書き込みドットの切り替わり位置Ｄｃ１、Ｄｃ２とが、全て発光素子の並び方向となる矢視Ａ方向で同一の位置となる線Ｌ５上に位置している。また、ねじ３６、３７のそれぞれ中心と、書き込みドットの切り替わり位置Ｄｃ３、Ｄｃ４とが、全て矢視Ａ方向で同一位置となる線Ｌ６上に位置している。
【００５６】
基板２２ａ、２２ｂと接続部材３３Ａとの固定、及び基板２２ｂ、２２ｃと接続部材３３ｂとの固定は、前述した各実施の形態と同様にねじ止めに限るものではない。また、基板２２ａ、２２ｂ、２２ｃ、接続部材３３Ａ、３３Ｂ、筐体２４ａ、２４ｂ、２４ｃは、特別な材質のものを使用したり、特定の線膨張係数のものを使用したりする必要もない。
【００５７】
この光書き込み装置を用いた画像形成装置によれば、３個の発光素子アレイユニット１Ａ"、１Ｂ"、１Ｃ"を図７に示したように発光素子アレイの並び方向に並べて光書き込み装置を構成していても、互いに隣接する発光素子アレイユニット１Ａ"と１Ｂ"における各基板２２ａ、２２ｂ上の各書き込みドットの切り替わり位置Ｄｃ１とＤｃ２との相対位置と、発光素子アレイユニット１Ｂ"と１Ｃ"における各基板２２ｂ、２２ｃ上の各書き込みドットの切り替わり位置Ｄｃ３とＤｃ４との相対位置は、共に発光素子アレイの並び方向（図７の矢視Ａ方向）に狂わないので、良好な画像が得られる。
【００５８】
通常は基板２２ａ、２２ｂ、２２ｃと筐体２４ａ、２４ｂ、２４ｃの線膨張係数の差が大きかったり、温度分布の差が大きかったりしたときには、その基板と筐体の膨張の差により伸びに差が出ることにより基板が撓んだりするが、この光書き込み装置では発光素子アレイユニット１Ａ"と１Ｂ"、及び１Ｂ"と１Ｃ"は、基板２２ａと２２ｂが接続部材３３Ａに直接固定され、基板２２ｂと２２ｃが接続部材３３Ｂに直接固定されて互いに接続されているので、上記のような基板が撓んだりすることがない（基板２２ａ、２２ｂ、２２ｃは、それぞれ筐体２４ａ２４ｂ、２４ｃに対して相対移動可能に一部のみが固定されている）。
【００５９】
本実施の形態例において、前記実施の形態例２におけるように、保持体と接続部材との固定位置Ｆｐ１、Ｆｐ２、Ｆｐ３、Ｆｐ４に代えて、基板の突出した部分同士を接続部材３３Ａ，３３Ｂを介して固定するねじ３４、３５、３６、３７の固定位置とし、ねじ３４，３５の中心と基板上のドットの切り替わり位置Ｄｃ１、Ｄｃ２を矢視Ａ方向における同一の位置となる線Ｌ５上とし、ねじ３６，３７の中心と基板上のドットの切り替わり位置Ｄｃ３、Ｄｃ４を矢視Ａ方向における同一の位置となる線Ｌ６上とした。
【００６０】
これにより、付帯部材がある場合でも基板同士を固定したこととなり、基板と筐体との線膨張係数の差により基板が撓んだりするようなことがない。したがって、良好な画像が得られると共に、その基板を筐体との膨張差に打ち勝つほど強力に固定する必要がないし、接続部材を介在しないので、より簡易にまた確実に基板の一体化を図ることができる。
【００６１】
さらに発展させた実施の形態としては、接続部材３３Ａ、３３Ｂを介在させずに、基板２２ａ、２２ｂ同士を重ね、また、基板２２ｂ、２２ｃ同士を重ねて、これら基板同士を直接固定することもできる。
【００６２】
本例では、基板同士を直接或いは接続部材３３Ａ、３３Ｂだけを介して固定する構成であるので、より簡易にまた確実に複数の短尺の基板を実質的に１つの基板として一体化を図ることができる。
【００６３】
また、本例においても、発光素子アレイの各書き込みドットの切り替わり位置Ｄｃ１、Ｄｃ２、Ｄｃ３、Ｄｃ４と固定位置（線Ｌ５、線Ｌ６）が合致しているので、固定位置である継ぎ目部に対応する画像に、縦の黒や白のすじが発生したりしない。また、その基板を筐体との膨張差に打ち勝つほど強力に固定する必要もない。
【００６４】
複数の発光素子アレイユニットの基板上の書き込みドットの切り替わり位置の相対位置は、発光素子アレイの並び方向に狂わないので、黒や白の縦すじの無い良好な画像が得られる。
【００６５】
１−ｄ．実施の形態例４：本例は請求項８、９に対応する。  
図９はアレイ位置調節手段を設けた光書き込み装置の実施の形態を示す図１と同様な平面図であり、図１と対応する部分には同一の符号を付してある。  
この光書き込み装置は、隣接する２つの発光素子アレイユニット１Ａ、１Ｂの各基板２ａ、２ｂの発光素子の並び方向である矢視Ａ方向の相対位置関係を調節するアレイ位置調節手段４０を設けている。
【００６６】
アレイ位置調節手段４０は、対の接続部材４３と４４とを調節ねじ４５を介して接近、離間可能に連結し、その一方の接続部材４３を互いに隣接する２つの発光素子アレイユニット１Ａ、１Ｂのうち１Ａ側の筐体４ａにねじ６で固定し、他方の接続部材４４を他方の発光素子アレイユニット１Ｂ側の筐体４ｂにねじ８で固定している。筐体４ａと基板２ａとはねじ５により固定されているし、筐体４ｂと基板２ｂとはねじ７により固定されている。
【００６７】
隣接する２つの発光素子アレイユニット１Ａ、１Ｂのそれぞれの書き込みユニットにおける基板上のドットの切り替わり位置Ｄｃ１、Ｄｃ２及びねじ５、６、７、８の中心位置は全て、発光素子の並び方向で同一の位置となる線Ｌ上に位置している。
【００６８】
この光書き込み装置によれば、調節ねじ４５を回転させることにより調節ねじ４５の回転量に応じて発光素子アレイユニット１Ａと１Ｂとが接近、離間するので、発光素子アレイユニット１Ａ側の書き込みドットの切り替わり位置Ｄｃ１と、発光素子アレイユニット１Ｂ側の書き込みドットの切り替わり位置Ｄｃ２との相対位置を任意に調節することができる。
【００６９】
隣接する発光素子アレイユニットの互いの書き込みドットの切り替わり位置の相対位置を任意に調節することができるので、複数の発光素子アレイユニットを発光素子の並び方向に並べて大型の発光素子アレイユニットにする構成のものであっても、より高い精度の光書き込み装置にすることができる。
【００７０】
また、アレイ位置調節手段として調節ねじを使用する構成では、簡単に構成することができ、隣接する発光素子アレイユニットの互いの書き込みドットの切り替わり位置の相対位置の調節も、その調節ねじを回転させるだけで簡単に微調節することができる。
【００７１】
なお、図９で調節ねじ４５を使用したアレイ位置調節手段４０を一例として示したが、アレイ位置調節手段は微調節が可能な機構であれば、図９に示した機構に限るものではない。
［２］第２の実施の形態
本実施の形態は主として請求項１０ないし１３に記載の発明に対応する。  
２−ａ．実施の形態例１：本例は請求項１０、１１、１２に対応する。  
前記［１］で説明した実施の形態では、発光素子の並び方向で隣接する一方の基板と他方の基板とを直接固定し、或いは、一方の基板から他方の基板までの間に基板と別体の付帯部材が介在するときは、付帯部材と基板を含む各部材相互間の各固定位置を発光素子の並び方向での同一位置としている。さらに、基板上の書き込みドットの切り替わり位置についても発光素子の並び方向上、上記固定位置と同一の線上としている。
【００７２】
このような構成の光書き込み装置では、矢視Ａ方向で隣り合う発光素子アレイユニット同士を接続部材３を介して基板上のドットの切り替わり位置で固定しているので、一方の基板２ａからの光によるおける書き込みと他方の基板２ｂからの光による書き込みにおける位置合わせは、書き込み時間をずらす書き込み時間遅延処理によって行う。この書き込み時間遅延処理は［６］第６の実施の形態で説明する制御部６００によって行なう。
【００７３】
すなわち、図２で発光素子アレイユニット１Ａでラインを書き込んだ後、矢印の向きに感光体ドラム１０が回転するのを所定時間待って、発光素子アレイユニット１Ｂでラインを書き込む。そうすることによって全幅１本の主走査ラインを書き込むことができる。
【００７４】
このような実施の形態において、環境温度の変化等により発光素子アレイユニットが伸張、収縮しても基板同士は実質的に１本の基板を構成しているので、黒すじ、白すじ等の異常画像の発生は減少するし、特に、基板上の書き込みドットの切り替わり位置を発光素子の並び方向上、上記固定位置と同一の線上とした例では環境温度の変化による黒すじ、白すじの発生はなくなる。
【００７５】
元来、発光素子アレイユニットの機械的な取り付け基準位置と発光素子から出射される光の焦点位置の間隔は使用する自己収束性のレンズアレイの焦点距離のばらつき、レンズアレイの部品精度等によりばらつくものであり、また、この発光素子アレイユニットを広幅の光書き込み装置に組み付けたときの位置誤差等により、発光素子アレイユニットを感光体に結像させるためのピント調節が必要となる。
【００７６】
ところが、前記実施の形態例におけるように、発光素子の並び方向で隣接する一方の基板と他方の基板とを直接或いは他部材を介して固定してしまう構成では、光書き込み装置全体を動かすことで一方の基板を含む発光素子アレイユニットのピント調節はできる。しかし、この１つの発光素子アレイユニットについてピント調節のため光書き込み装置全体を移動すると、他の発光素子アレイユニットからの光のピントがずれてしまう。
【００７７】
上記他の発光素子アレイユニットについては、前記接続部材にリンク機構等を設けて調節することは可能であるが、機構が複雑になり、スペース等設計上の余裕度がなくなったり、コストがかかったり、ガタによって主走査、副走査方向の書き込みドットの位置精度が低下するおそれがある。
【００７８】
さらに、例えば、図５に示した例において、発光素子アレイユニット１Ａの左側又は発光素子アレイユニット１Ｃの右側をピント調節するために感光体ドラムに対して上下動した場合、各発光素子アレイユニット１Ａ、１Ｃの他端側は接続部材３Ａ、３Ｂによって不動状に固定されているため、各発光素子アレイユニットに対して大きさ曲げモーメントが加わり、接続部材３Ａ、３Ｂが破損したり、発光素子アレイユニットが反ってしまうことが懸念される。
【００７９】
本例はこの問題を解決する。本例は、２つ以上の発光素子アレイユニットからなる光書き込み装置について適用可能である。以下では、前記図４に示したように３つの発光素子アレイユニットからなる構成の光書き込み装置について説明する。図４に示した部材と機能が共通の部材については同じ符号で示す。
【００８０】
発光素子アレイユニット１Ａ、１Ｂ、１Ｃは図１１（ａ）に示すように、広幅の書き込みが可能なように各基板上の発光素子の並び方向Ａに位置をずらして配置されている。図１１（ａ）を矢視Ｂ方向から図１１（ｂ）において、発光素子アレイユニット１Ａ、１Ｂ、１Ｃは共通の構成をしている。
【００８１】
図１１（ａ）、（ｂ）において、発光素子アレイユニット１Ａ、１Ｂ、１Ｃについてはそれぞれ、基板２ａ、２ｂ、２ｃ、レンズケースＺ、集束性光伝送体によるレンズアレイ１２ａ、１２ｂ、１２ｃ等を有し、さらに、図１１では煩雑防止のため図示を省略しているが各基板２ａ、２ｂ、２ｃに沿わせて筐体が設けられている。
【００８２】
図１１（ｂ）において、発光素子アレイユニット１Ａ、１Ｃと発光素子アレイユニット１Ｂとは、感光体ドラム１０の軸心Ｏを通る線Ｄ−Ｄを対称軸として対称の位置関係にあり、各発光素子アレイユニットから出射される光の光軸は感光体ドラムの軸心に向かうようにしてある。
【００８３】
発光素子アレイユニット１Ｃは矩形板状のスペーサ１４Ｒに基板２ｃの部分で接着保持されている。発光素子アレイユニット１Ａは矩形板状のスペーサ１４Ｌ（図示されず）に基板２ａの部分で接着保持されている。発光素子アレイユニット１Ｂは矩形板状のスペーサ１５Ｒ及び矩形板状のスペーサ１５Ｌ（図示されず）にそれぞれ基板２ｂの部分で接着保持されている。
【００８４】
スペーサ１４Ｒは板状をした接続部材１６Ｒの一端側にねじ５２０で固定されている。接続部材１６Ｒの他端側は、スペーサ１５Ｒと調節板１７Ｒとにサンドイッチ状に挟まれてねじ１８Ｒによりスペーサ１５Ｒ及び調節板１７Ｒと固定されている。
【００８５】
同じくスペーサ１４Ｌは板状をした接続部材１６Ｌにねじ５０で固定されている。接続部材１６Ｌは、スペーサ１５Ｌと調節板１７Ｌとにサンドイッチ状に挟まれてねじ１８Ｌによりスペーサ１５Ｌ及び調節板１７Ｌと固定されている。
【００８６】
調節板１７Ｒ、調節板１７Ｌの何れか、本例では調節板１７Ｒは不動部材である光書き込み装置のフレーム（図示されず）に固定される。また、調節板１７Ｌ、発光素子アレイユニット１Ａ、１Ｃ等の端部は図示しない適宜の手段により、光書き込み装置のフレームに熱膨張、熱収縮による部材の変位を拘束しないようにして支持されている。
【００８７】
ねじ５２０、１８Ｒの中心は矢視Ａ方向で同一の位置となる線Ｌ３上に位置している。また、この線Ｌ３は基板２ｂ及び基板２ｃ上のそれぞれの書き込みドット切り替わり位置に合致している。
【００８８】
同様に、ねじ５０、１８Ｌの中心は矢視Ａ方向で同一の位置となる線Ｌ２上に位置している。また、この線Ｌ２は基板２ｂ及び基板２ａ上のそれぞれの書き込みドット切り替わり位置に合致している。
【００８９】
調節板１７Ｒ上であって、線Ｌ３上かつレンズアレイ１２ｃの上方近傍部位には調節ねじ１９Ｒが上方から螺入されてその先端部が接続部材１６Ｒに当接している。
【００９０】
同様に、調節板１７Ｌ上であって、線Ｌ２上かつレンズアレイ１２ｂの上方近傍部位には調節ねじ１９Ｌが上方から螺入されてその先端部が接続部材１６Ｌに当接している。
【００９１】
前記したように、発光素子アレイユニット１Ｂからの光のピントつまり、基板２ｂから出射される光のピントは、発光素子アレイユニット１Ａ、１Ｂ、１Ｃを一体的な構成とした当該光書き込み装置全体を上下させて合わせることができる。このように発光素子アレイユニット１Ｂについてピントを合わせたとしても、発光素子アレイユニット１Ａ、１Ｃからの光について、レンズアレイの組み付け誤差、各々の部品精度、光書き込み装置全体の傾き等により、ピントが合うとは限らない。
【００９２】
本例では、基板２ｃを含む発光素子アレイユニット１Ｃからの光のピントを調節する手段として、接続部材１６Ｒと調節板１７Ｒと第１外力手段としての調節ねじ１９Ｒを主な構成要素とするピント調節手段Ｐ１Ｃを設け、基板２ａを含む発光素子アレイユニット１Ａからの光のピントを調節する手段として、接続部材１６Ｌと調節板１７Ｌと第１外力手段としての調節ねじ１９Ｌを主な構成要素とするピント調節手段Ｐ１Ａを設けた。
【００９３】
これらのピント調節手段Ｐ１Ｃ、Ｐ１Ａにおいて、調節ねじ１５Ｒ、１５Ｌを回転することにより、発光素子アレイユニット１Ａ、１Ｃからの光についてピント合わせを行なうことができる。図１１（ａ）、（ｂ）において、調節ねじ１５Ｒ、１５Ｌを締める方向に回せば調節ねじ１５Ｒ、１５Ｌの先端部が接続部材１６Ｒ、１６Ｌを押して下方に変位させる。これに伴い、発光素子アレイユニット１Ａ、１Ｃもピント調節方向ｃで下向きに変位する。
【００９４】
調節ねじ１５Ｒ、１５Ｌを上記と逆向きの緩める向きに回転させれば、接続部材１６Ｒ、１６Ｌは弾性により復元し、ピント調節方向ｃ上、上向きに変位する。このように、調節ねじ１５Ｒ、１５Ｌを正逆転することに伴い、接続部材１６Ｒ、１６Ｌは基板２ａ、２ｃの厚さ方向である発光素子アレイユニット１Ａ、１Ｃについてのピント調節方向に変位するので、これら基板２ａ、２ｃからの光についてピント調節ができる。このように本例では、隣接する２つの基板からの光について容易にピント調節が可能となる。
【００９５】
上記したように本例では、発光素子アレイユニット１Ｂの矢視Ａ方向の右端側に発光素子アレイユニット１Ｃのピント調節用としてピント調節手段Ｐ１Ｃが設けられ、また、発光素子アレイユニット１Ｂの矢視Ａ方向の左端側について発光素子アレイユニット１Ａのピント調節用としてピント調節手段Ｐ１Ａが設けられている。
【００９６】
ピント調節手段Ｐ１Ｃは、矢視Ａ方向で隣接する一方の基板２ｃと他方の基板２ｂにそれぞれスペーサ１４Ｒ、１５Ｒを介して固定された板状の接続部材１６Ｒと、この接続部材１６Ｒに対向配置されていて他方の基板２ｂ側で接続部材１６Ｒに固定されていると共に不動部材にも固定されている調節板１７Ｒと、一方の基板２ｃ側の接続部材１６Ｒと調節板１７Ｒとの間隔を変化させて接続部材１６Ｒに外力を与える第１外力手段としての調節ねじ１９Ｒを有する構成からなり、この調節ねじ１９Ｒにより接続部材１６Ｒに与えられる外力（押圧力）により接続部材１６Ｒを、接続部材１６Ｒと調節板１７Ｒとのねじ１８Ｒによる固定位置の一部である調節板１７Ｒに形成された段部１７Ｒ１を支点として変形変位させて基板２ｂに対して基板２ｃをピント合わせ方向に変位させて基板２ｃの発光
素子から出射される光のピント調節を行なう。このピント調節方向を図１１（ｂ）に符号Ｃで示す。
【００９７】
同様に、ピント調節手段Ｐ１Ａは、発光素子の並び方向で隣接する一方の基板２ａと他方の基板２ｂにそれぞれスペーサ１５Ｌ、１４Ｌを介して固定された板状の接続部材１６Ｌと、この接続部材１６Ｌに対向配置されていて他方の基板２ｂ側で接続部材１６Ｌに固定されていると共に不動部材に支持されている調節板１７Ｌと、一方の基板２ａ側の接続部材１６Ｌと調節板１７Ｌとの間隔を変化させて接続部材１６Ｌに外力を与える第１外力手段としての調節ねじ１９Ｌを有する構成からなり、この調節ねじ１９Ｌにより接続部材１６Ｌに与えられる外力（押圧力）により接続部材１６Ｌを、接続部材１６Ｌと調節板１７Ｌとのねじ１８Ｌによる固定位置の一部である調節板１７Ｌに形成された段部１７Ｌ１を支点として変形変位させて基板２ｂに対して基板２ａをピント合わせ方向に変位させて基板２ａの発光素子から出射される光のピント調節を行なう。このようにピント調節手段Ｐ１Ｃ、Ｐ１Ａでは、第１外力手段としての調節ねじ１９Ｒ、１９Ｌを回すだけで、簡単にピント調節を行なうことができる。
【００９８】
ピント調節手段Ｐ１Ｃは、第１外力手段としての調節ねじ１９Ｒにより外力を与える接続部材１６Ｒ上の位置（力点）が、ピント調節対象である基板２ｃと対向する位置であるので、調節ねじ１９Ｒの動きが効率よくピント調節に係る基板２cに伝達され、調節感度を高めることができる。さらに、この調節ねじ１９Ｒにより外力を与える接続部材１６Ｒ上の位置（力点）の延長上にはレンズアレイ１２ｃが位置しているので調節ねじ１９Ｒによる調節感度は一層顕著である。ピント調節手段Ｐ１Ａにおいても上記発光素子アレイユニット１Ｃ側に設けられたピント調節手段について説明した構成に準じた構成となっている。
【００９９】
発光素子アレイユニット１Ａ、１Ｂ、１Ｃについて、主要部の具体的な構成を図１２ないし図１４により説明する。但し、各発光素子アレイユニット共、基本的な部材構成は共通であるので、発光素子アレイユニット１Ｂについて代表して説明する。
【０１００】
図１２ないし図１４において、レンズアレイ１２ｂはレンズケースＺと一体に構成されている。或いは、強固な接着により実質的に一体に構成されている。レンズケースＺは上部が開放された箱状をしていて、上部には基板２ｂが該レンズケースＺの上部開放部を覆うようにして密閉状に付勢されている。
【０１０１】
この付勢状態は強固なものではなく、部材間の熱膨張、熱収縮等による熱変位が可能な付勢である。図１４に示すようにレンズケースＺの上部には矢視Ａ方向の両端部にそれぞれピン２０、２１が植設され、基板２ｂの矢視Ａ方向の一端部にはピン２０に嵌合する穴２５、基板２ｂの他端部にはピン２１に嵌合する大きさの長穴２６がそれぞれ形成されている。長穴２６は矢視Ａ方向に長さを有し、長穴２６の中心と穴２５の中心は矢視Ｅ方向上、同一の位置にある。
【０１０２】
これらピン２０、２１は穴２５、長穴２６に嵌合されているので、レンズケースＺと基板２ｂの部材で熱変位を生じても、長穴２６の方向に変位が吸収されるので、部材に無理な力が作用せず、矢視Ａ方向へ変位する。
【０１０３】
図１２に示すように、レンズアレイ１２ｂと対向する位置には多数の発光素子Ｂｂが列状に配列されている。図１０では、発光素子のいくつかを符号Ｂｂ１、Ｂｂ２で示した。図１２に示すように、発光素子Ｂｂとレンズアレイ１２ｂとは対向する位置関係にあり、レンズアレイ１２ｂのレンズにより、光が感光体ドラム１０の感光体に結像される。
【０１０４】
図１３、図１４に示すように、レンズアレイ１２ｂにおいて、各レンズはＬｓは矢視Ａ方向に沿って２列、千鳥配列されている。基板２ｂ上には、発光素子Ｂｂを発光させるための電力や制御情報を供給するための端子２８等が設けられている。
【０１０５】
レンズケースＺに可動状に付勢された基板２ｂの上部には、基板２ｂを保持し、また、基板２ｂの熱を放熱する機能を有する筐体４ｂが重ねられた上で、板ばね３０により基板２ｂが筐体４ｂとレンズケースＺによりサンドイッチ状に挟まれた状態で一体的に保持されている。
【０１０６】
基板２ｂに対する筐体４ｂの保持状態、基板２ｂに対するレンズケースＺの保持状態は密着性が保持できれば十分なので、レンズケースＺの側部に形成した凸部３１にＭ字状をした板ばね３０の穴３０ａを嵌合させて板ばね３０の弾性により筐体４ｂとレンズケースＺで、基板２ｂを弾性的にサンドイッチ状に挟んで保持するようにしている。
【０１０７】
図１３、図１４に示すように筐体４ｂは基板２ｂよりも短く形成されていて、基板２ｂの矢視Ａ方向の両端部における各一定領域では基板４ｂは筐体４ｂによって覆われることがなく、露出している。図１１（ａ）、（ｂ）で示した例では、このように基板２ｂの露出した部位にスペーサ１５Ｒ（１５Ｌ）が取り付けられ、又、基板２ａ（２ｃ）の露出した部位にスペーサ１４Ｒ（１４Ｌ）が取り付けられている。
【０１０８】
２−ｂ．実施の形態例２：本例は請求項１３に対応する。  
前記２−ａの実施の形態例１では、図１１（ａ）、（ｂ）において、発光素子アレイユニット１Ａ、１Ｂ、１Ｃを含む光書き込み装置全体を動かすなどして、発光素子アレイユニット１Ｂについてピント調節した後で、ピント調節手段Ｐ１Ｃ、Ｐ１Ａにより発光素子アレイユニット１Ａ、１Ｃについて個別にピント調節を行なうことができる。
【０１０９】
しかし、仮に、発光素子アレイユニット１Ａ、１Ｃについてピント調節をした後で、発光素子アレイユニット１Ｂについて調節が不完全であることが判明した場合には、再度、発光素子アレイユニット１Ｂについてのピント調節からやり直さなければならないという問題がある。
【０１１０】
そこで本例では、発光素子アレイユニット１Ａ、１Ｃばかりでなく、発光素子アレイユニット１Ｂについても、独立してピント調節を可能にすることとした。本例は図１５（ｂ）に示すように、前記２−ａの実施の形態例１で説明したと同じ構成のピント調節手段を、一方の基板２ａと他方の基板２ｂとの中点を通る線Ｄ−Ｄを対称軸として、左右に設けた。これにより、隣接する一方の基板と他方の基板についてそれぞれ個別にピント調節を行なうことができ、ピント調節作業の煩雑を免れる。
【０１１１】
図１５（ａ）、（ｂ）により説明する。  
発光素子アレイユニット１Ｃのピントを調節するピント調節手段Ｐ１Ｃ及び発光素子アレイユニット１Ａのピントを調節するピント調節手段Ｐ１Ａについては、前記図１１（ａ）、（ｂ）において説明した構成と基本的には同じである。よって、図１１（ａ）、（ｂ）におけるものと同じ構成部分については同じ符号を付し説明は省略する。
【０１１２】
発光素子アレイユニット１Ｃ、１Ａのピントを調節するピント調節手段Ｐ１Ｃ、Ｐ１Ａについて、前記図１１（ａ）、（ｂ）における構成と異なる点は、調節板１７Ｒ（１７Ｌ）に代えて、Ｔ字状の調節板１７０Ｒ（１７０Ｌ）を設けたこと、調節板に対する接続部材１６０Ｒの支点としての固定位置を線Ｄ−Ｄ上のねじ３２Ｒで止められた位置としたことである。
【０１１３】
発光素子アレイユニット１Ｂのピントを調節するピント調節手段は、矢視Ａ方向の右端部と左端部にそれぞれ設けられている。右端部に設けられたピント調節手段Ｐ１ＢＲは、図１５（ａ）、（ｂ）において、基板２ｂにスペーサ１４Ｒ'を介して接続部材１６０Ｒがねじ５２０'により固定された構成と、調節ねじ１９Ｒ'の先端部がレンズアレイ１２ｂ及び基板２ｂの直上位置に相当する接続部材１６０Ｒ上面の位置で当接するように調節板１７０Ｒに螺入された構成を要部としている。
【０１１４】
ピント調節手段Ｐ１ＢＲでは、第１外力手段としての調節ねじ１９Ｒ'を回すことにより、基板２ｂを含む発光素子アレイユニット１Ｂの矢視Ａ方向の右端部を基板２ｂの厚さ方向に相当するピント調節方向ｃ'に調節することができる。
【０１１５】
発光素子アレイユニット１Ｂの矢視Ａ方向の左端部に設けられたピント調節手段Ｐ１ＢＬについても、図１５（ａ）、（ｂ）において、基板２ｂにスペーサ１４Ｌ'を介して接続部材１６０Ｌがねじ５０'により固定された構成と、調節ねじ１９Ｌ'の先端部がレンズアレイ１２ｂ及び基板２ｂの直上位置に相当する接続部材１６０Ｌ上面の位置で当接するように調節板１７０Ｌに螺入された構成を要部としている。このピント調節手段では、第１外力手段としての調節ねじ１９Ｒ'を回すことにより、基板２ｂを含む発光素子アレイユニット１Ｂの矢視Ａ方向の右端部を基板２ｂの厚さ方向に相当するピント調節方向ｃ'に調節することができる。
［３］第３の実施の形態
本実施の形態は主として請求項１４ないし１７に記載の発明に対応する。  
３−ａ．実施の形態例１：本例は請求項１４、１５に対応する。  
例えば、図３に示した構成では、発光素子アレイユニット１Ａ又は発光素子アレイユニット１Ｃでラインを書き込んだ後、矢印の向きに感光体ドラム１０が回転するのを所定の遅延時間だけ待って、発光素子アレイユニット１Ｂでラインを書き込む。そうすることによって全幅１本の主走査ラインを書き込むことができる。
【０１１６】
ところが、通常、書き込み制御装置の構成上、上記の遅延時間は固定であることが多い。その場合、決まった遅延時間に対する発光素子アレイユニット間の感光体上の書き込みドット距離を正確に合わせなければならないが、部品寸法誤差、光書き込み装置の組み立て誤差等を考慮すると、感光体上の書き込みドットの距離がかなりばらついてしまい、このばらつきがそのまま、書き込みラインの副走査方向継ぎ目ずれとなってしまう。
【０１１７】
また、前記遅延時間を調節することによって位置合わせすることも可能ではあるが、制御装置が複雑となり、また、制御装置の都合上、副走査方向１ドット単位（４００ｄｐｉであれば６３．５μｍ毎）にしか調節できないので調節精度が悪くなる。
【０１１８】
かかる問題を解消するため、本例では、図１６（ａ）、（ｂ）に示すように、発光素子の並び方向で隣接する一方の基板２ａを基準として他方の基板２ｂを副走査方向ｅに揺動させて当該他方の基板２ｂの発光素子から出射される光が一方の基板２ａの発光素子から出射される光に近づき或いは遠ざかる副走査方向に調節可能な副走査調節手段Ｆ１Ｃと、副走査調節手段Ｆ１Ａを具備することとした。
【０１１９】
これにより、決まった遅延時間に対する基板間に対応する感光体上の書き込みドット距離を簡単に正確に合わせることができる。
【０１２０】
発光素子アレイユニット１Ｃはスペーサ１４Ｒに基板２ｃの部分で接着保持されている。発光素子アレイユニット１Ａはスペーサ１４Ｌ（図示されず）に基板２ａの部分で接着保持されている。発光素子アレイユニット１Ｂは矩形板状のスペーサ１５Ｒ及び矩形板状のスペーサ１５Ｌ（図示されず）にそれぞれ基板２ｂの部分で接着保持されている。
【０１２１】
スペーサ１４Ｒは板状をした接続部材１６００Ｒの一端側にねじ５２０で固定されている。接続部材１６００Ｒの他端側は、スペーサ１５Ｒと調節板１７０Ｒとにサンドイッチ状に挟まれてねじ１８Ｒによりスペーサ１５Ｒ及び調節板１７０Ｒと固定されている。
【０１２２】
同じくスペーサ１４Ｌは板状をした接続部材１６００Ｌにねじ５０で固定されている。接続部材１６００Ｌは、スペーサ１５Ｌと調節板１７０Ｌとにサンドイッチ状に挟まれてねじ１８Ｌによりスペーサ１５Ｌ及び調節板１７Ｌと固定されている。
【０１２３】
調節板１７０Ｒ、調節板１７０Ｌの何れか、本例では調節板１７０Ｒは不動部材である光書き込み装置のフレーム（図示されず）に固定される。また、調節板１７０Ｌ、発光素子アレイユニット１Ａ、１Ｃ等の端部は図示しない適宜の手段により、光書き込み装置のフレームに熱膨張、熱収縮による部材の変位を拘束しないようにして支持されている。
【０１２４】
ねじ５２０、１８Ｒの中心は矢視Ａ方向で同一の位置となる線Ｌ３上に位置している。また、この線Ｌ３は基板２ｂ及び基板２ｃ上のそれぞれの書き込みドット切り替わり位置に合致している。
【０１２５】
同様に、ねじ５０、１８Ｌの中心は矢視Ａ方向で同一の位置となる線Ｌ２上に位置している。また、この線Ｌ２は基板２ｂ及び基板２ａ上のそれぞれの書き込みドット切り替わり位置に合致している。
【０１２６】
接続部材１６００Ｒ（１６００Ｌ）は、前記図１１（ｂ）に示した接続部材１６Ｒ（１６Ｌ）や前記図１５（ｂ）に示した接続部材１６０Ｒ（１６０Ｌ）とは異なり、スペーサ１４Ｒ（１４Ｌ）との固定部分から更に延出されていてＵ字上に上方に回り込んだ形状となっていて、第２調節板１７０Ｒ（１７０Ｌ）の上方にまで及んでいる。
【０１２７】
この第２調節板１７０Ｒ（１７０Ｌ）の上方に位置する第２接続部材１６００Ｒ（１６００Ｌ）の部位に調節ねじ３９Ｒ（３９Ｌ）が上方から螺入されてその先端部が調節板１７０Ｒ（１７０Ｌ）の上面に当接している。
【０１２８】
矢視Ａ方向上であって、ねじ１８Ｒ（１８Ｌ）による調節板１７０Ｒ（１７０Ｌ）と接続部材１６００Ｒ（１６００Ｌ）との固定位置から調節ねじ３９Ｒ（３９Ｌ）までの中間位置には、調節板１７０Ｒ（１７０Ｌ）と接続部材１６００Ｒ（１６００Ｌ）とに共通に接する楔状をした支点部材１９０Ｒ（１９０Ｌ）が第２調節板１７０Ｒ（１７０Ｌ）と一体的に設けられている。
【０１２９】
以上のように、本例の副走査調節手段Ｆ１Ｃ（Ｆ１Ａ）は、矢視Ａで示す発光素子の並び方向で隣接する一方の基板２ｃ（２ａ）と他方の基板２ｂにそれぞれ固定された板状の接続部材１６００Ｒ（１６００Ｌ）と、この接続部材１６００Ｒ（１６００Ｌ）に対向配置されていて、基板２ｃ（２ａ）と接続部材１６００Ｒ（１６００Ｌ）とのねじ１８Ｒ（１８Ｌ）による固定位置で接続部材１６００Ｒ（１６００Ｌ）に固定されている調節板１７０Ｒ（１７０Ｌ）と、基板２ｂの部位で接続部材１６００Ｒ（１６００Ｌ）と調節板１７０Ｒ（１７０Ｌ）との間隔を広狭調節する第２外力手段としてのねじ３９Ｒ（３９Ｌ）と、前記ねじ１８Ｒ（１８Ｌ）による基板２ｃ（２ａ）と接続部材１６００Ｒ（１６００Ｌ）との固定位置の一部である段部１７０Ｒ１（１７０Ｌ１）とねじ３９Ｒ（３９Ｌ）と
の中間位置で接続部材１６００Ｒ（１６００Ｌ）と調節板１７０Ｒ（１７０Ｌ）に共通に接する支点部材１９０Ｒ（１９０Ｌ）とを具備した構成となっている。支点部材１９０Ｒ（１９０Ｌ）の位置は、レンズアレイ１２ａ（１２）ｂの直上部となっていることが好ましい。
【０１３０】
かかる構成において、ねじ３９Ｒ（３９Ｌ）をまわす回転方向に応じて、第２接続部材１６００Ｒ（１６００Ｌ）が支点部材１９０Ｒ（１９０Ｌ）を支点として変位し、この第２接続部材１６００Ｒ（１６００Ｌ）の変位と共に、該接続部材１６００Ｒ（１６００Ｌ）に取り付けられた発光素子アレイユニット１Ｃ（１Ａ）も光の照射位置が副走査方向ｅに変位する。本例によれば、てこの原理とねじの原理を応用して微少量の調節を精密に行なうことができる。
【０１３１】
３−ｂ．実施の形態例２：本例は請求項１６に対応する。  
前記３−ａの実施の形態例１では、図１６（ａ）、（ｂ）において、発光素子アレイユニット１Ａ、１Ｂ、１Ｃを含む光書き込み装置全体を動かすなどして、発光素子アレイユニット１Ｂについて副走査方向での書き込み位置を調節した後で、副走査調節手段Ｆ１Ｃ（Ｆ１Ａ）により発光素子アレイユニット１Ａ、１Ｃについて個別に副走査方向での書き込み位置の調節を行なうことができる。
【０１３２】
しかし、仮に、発光素子アレイユニット１Ａ、１Ｃについて副走査方向での書き込み位置を調節をした後で、発光素子アレイユニット１Ｂについて調節が不完全であることが判明した場合には、再度、発光素子アレイユニット１Ｂについての副走査方向での書き込み位置の調節からやり直さなければならないという問題がある。
【０１３３】
そこで本例では、発光素子アレイユニット１Ａ、１Ｃばかりでなく、発光素子アレイユニット１Ｂについても、独立して副走査方向での書き込み位置の調節を可能とした。
【０１３４】
本例は図１７（ｂ）に示すように、前記３−ａの実施の形態例１で説明したと同じ構成の副走査調節手段を、一方の基板２ａと他方の基板２ｂとの中点を通る線Ｄ−Ｄを対称軸として、左右に設けた。これにより、発光素子の並び方向で隣接する一方の基板と他方の基板についてそれぞれ独立に副走査方向の書き込み位置を調節することができるので、調節作業が容易となる。
【０１３５】
図１７（ａ）、（ｂ）により説明する。  
発光素子アレイユニット１Ｃの副走査方向での書き込み位置を調節する副走査調節手段Ｆ１Ｃ及び発光素子アレイユニット１Ａの副走査方向での書き込み位置を調節する副走査調節手段Ｆ１Ａについては、前記図１６（ａ）、（ｂ）において説明した構成と基本的には同じである。よって、図１６（ａ）、（ｂ）におけるものと同じ構成部分については同じ符号を付し説明は省略する。
【０１３６】
発光素子アレイユニット１Ｃ、１Ａの副走査方向での書き込み位置を調節する副走査調節手段Ｆ１Ｃ、Ｆ１Ａについて、前記図１６（ａ）、（ｂ）における構成と異なる点は、調節板１７０Ｒ（１７０Ｌ）に代えて、Ｔ字状の調節板１７００Ｒ（１７００Ｌ）を設けたこと、調節板１７００Ｒ（１７００Ｌ）に対する接続部材１６０００Ｒ（１６０００Ｌ）の固定位置を線Ｄ−Ｄ上のねじ３２Ｒ（３２Ｌ）で止められた位置としたことである。
【０１３７】
発光素子アレイユニット１Ｂの副走査方向での書き込み位置を調節する副走査調節手段は、矢視Ａ方向の右端部と左端部にそれぞれ設けられている。図１７（ａ）、（ｂ）において、右端部に設けられた副走査調節手段Ｆ１ＢＲは、基板２ｂがスペーサ１４Ｒ'に固定され、スペーサ１４Ｒ'が接続部材１６０００Ｒにねじ５２０'で固定された構成と、接続部材１６０００Ｒに対向配置されていて中央部分でねじ３２Ｒにより接続部材１６０００Ｒに固定されている調節板１７００Ｒと、基板２ｂの部位で接続部材１６００Ｒと調節板１７００Ｒとの間隔を広狭調節する第２外力手段としてのねじ３９Ｒ'と、前記ねじ３２Ｒによる接続部材１６０００Ｒと調節板１７００Ｒとの固定位置とねじ３２Ｒ'との中間位置で接続部材１６００Ｒと調節板１７００Ｒに共通に接する支点部材１９０Ｒ'を設けた構成を要部としている。
【０１３８】
同様に、左端部に設けられた副走査調節手段Ｆ１ＢＬは、図１７（ａ）、（ｂ）において、基板２ｂがスペーサ１４Ｌ'に固定され、スペーサ１４Ｌ'が接続部材１６０００Ｌにねじ５０'で固定された構成と、接続部材１６０００Ｌに対向配置されていて中央部分でねじ３２Ｌにより接続部材１６０００Ｌに固定されている調節板１７００Ｌと、基板２ｂの部位で接続部材１６００Ｌと調節板１７００Ｌとの間隔を広狭調節する第２外力手段としてのねじ３９Ｌ'と、前記ねじ３２Ｌによる接続部材１６０００Ｌと調節板１７００Ｌとの固定位置とねじ３２Ｌ'との中間位置で接続部材１６００Ｌと調節板１７００Ｌに共通に接する支点部材１９０Ｌ'を設けた構成を要部としている。なお、調節板１６０００Ｒ、１６０００Ｌのうち、何れか一つは不動部材に固定され、他は可動状に支持されてい
る。
【０１３９】
本例では、副走査調節手段Ｆ１Ｃについてねじ３９Ｒをまわすことにより第２接続部材１６０００Ｒを変形させて基板２ｃを含む発光素子アレイユニット１Ｃを変位させて副走査調節方向ｅでの書き込み位置を調節することができる。副走査調節手段Ｆ１Ａについてもねじ３９Ｌをまわすことにより接続部材１６０００Ｌを変位させて基板２ａを含む発光素子アレイユニット１Ａを変位させて副走査調節方向ｅでの書き込み位置を調節することができる。
【０１４０】
同様に、副走査調節手段Ｆ１ＢＲ（Ｆ１ＢＬ）におけるねじ３９Ｒ'（３９Ｌ'）をまわすことにより接続部材１６０００Ｒ（１６０００Ｌ）を変形させて基板２ｂを含む発光素子アレイユニット１Ｂを変位させて副走査調節方向ｅ'での書き込み位置を調節することができる。このように副走査方向での書き込み位置を各発光素子アレイユニット１Ａ、１Ｂ、１Ｃについて個別に調節することができるので、書き込み位置を合わせることが極めて容易となる。
【０１４１】
３−ｃ．実施の形態例３：本例は請求項１７、１８に対応する。  
前記２−ａ．実施の形態例１、２−ｂ．実施の形態例２では基板を含む発光素子アレイユニットのピント調節はできるが、副走査方向での書き込み位置の調節はできない。また、前記３−ａ．実施の形態例１、３−ｂ．実施の形態例２では、基板を含む発光素子アレイユニットの副走査方向での書き込み位置の調節はできるがピント調節はできない。
【０１４２】
本例は、発光素子の並び方向で隣接する一方の基板に対して他方の基板を当該基板の厚さ方向に相当するピント合わせ方向に変位させるピント調節手段Ｐ１Ｃ１、Ｐ１Ａ１と、前記発光素子の並び方向で隣接する一方の基板を基準として前記他方の基板を揺動させて当該他方の基板から出射される光が前記一方の基板から出射される光に近づき或いは遠ざかる副走査方向に調節可能な副走査調節手段Ｆ１Ｃ１、Ｆ１Ａ１を具備することにより、基板を含む発光素子アレイユニットのピント調節と副走査方向での書き込み位置の調節の両方を行なうこととした。
【０１４３】
本例は、特に、ピント調節手段Ｐ１Ｃ１（Ｐ１Ａ１）と副走査調節手段Ｆ１Ｃ１（Ｆ１Ａ１）とを一体的に構成した点に特徴がある。また、てこを利用したねじ構造により、一方向からピント調節と副走査方向での書き込み位置の調節を行なうことができる。以下に例を説明する。  
図１８（ａ）、（ｂ）において、ピント調節手段Ｐ１Ｃ１は、矢視Ａで示す発光素子の並び方向で隣接する一方の基板２ｃと他方の基板２ｂにそれぞれスペーサ１４Ｒ、１５Ｒを介して固定された板状の接続部材１６０１Ｒと、接続部材１６０１Ｒに対向配置されていて他方の基板２ｂ側の固定位置でねじ１８Ｒにより接続部材１６０１Ｒに固定されていると共に不動部材にも固定されている調節板１７１Ｒと、一方の基板２ｃの部位で接続部材１６０１Ｒと調節板１７１Ｒとの間隔を広狭調節する第３外力手段としての調節ねじ１９００Ｒを具備し、副走査調節手段Ｆ１Ｃ１は、第３外力手段としての調節ねじ１９００Ｒの一部（先端部）を支点として接続部材１６０１Ｒの一方の基板２ｃ側の端部に外力を作用させて接続部材１６０１Ｒと調節板１７１Ｒとの間隔を広狭調節する第４外力手段と
してのねじ３９０Ｒを具備した構成からなる。
【０１４４】
同様に、ピント調節手段Ｐ１Ａ１は、矢視Ａで示す発光素子の並び方向で隣接する一方の基板２ａと他方の基板２ｂにそれぞれスペーサ１４Ｌ、１５Ｌを介して固定された板状の第３接続部材１６０１Ｌと、第３接続部材１６０１Ｌに対向配置されていて他方の基板２ｂ側の固定位置でねじ１８Ｌにより第３接続部材１６０１Ｌに固定されていると共に不動部材に可動状に支持されている第３調節板１７１Ｌと、一方の基板２ａの部位で第３接続部材１６０１Ｌと第３調節板１７１Ｌとの間隔を広狭調節する第３外力手段としての調節ねじ１９００Ｌを具備し、副走査調節手段Ｆ１Ａ１は、第３外力手段としての調節ねじ１９００Ｌの一部（先端部）を支点として第３接続部材１６０１Ｌの一方の基板２ａ側の端部に外力を作用させて第３接続部材１６０１Ｌと第３調節板１７１Ｌとの間隔を広狭調
節する第４外力手段としてのねじ３９０Ｌを具備している構成からなる。
【０１４５】
上記において接続部材１６０１Ｒ（１６０１Ｌ）は、前記図１７（ｂ）に示した接続部材１６００Ｒ（１６００Ｌ）と同様に、スペーサ１４Ｒ（１４Ｌ）との固定部分から更に延出されていてＵ字上に上方に回り込んだ形状となっていて、調節板１７１Ｒ（１７１Ｌ）の上方にまで及んでいて、このまわり込んだ位置にねじ３９０Ｒ（３９０Ｌ）が螺入されて調節板１７１Ｒ（１７１Ｌ）の上面に当接し、該ねじ３９０Ｒ（３９０Ｌ）をまわすことにより、ねじ１９００Ｒ（１９００Ｌ）の先端部を支点として接続部材１６０１Ｒ（１６０１Ｌ）を変位させて発光素子アレイユニット１Ｃ（１Ａ）を副走査調節方向ｅに調節することができる。
【０１４６】
また、ねじ１９００Ｒ（１９００Ｌ）を回転することにより発光素子アレイユニット１Ｃ（１Ａ）を調節板１７１Ｒ（１７１Ｌ）との固定部を支点として基板２ｃ（２ａ）の厚さ方向に揺動変位させてピント調節方向ｃに変位させることができる。ここで、ねじ１９００Ｒ（１９００Ｌ）をレンズアレイ１２ｃの直上部に位置させることにより力が直接的に発光素子アレイユニット１Ｃ（１Ａ）に及び、ピント調節の感度を高めることができる。また、副走査方向の調整を行なうことによりピントがずれることがない。
【０１４７】
これらの調節に係るねじ３９０Ｒ、３９０Ｌ及びねじ１９００Ｒ、１９００Ｌは共に、略同じ位置に位置していて、同じ方向からこれらのねじを操作して回転させることができる。これにより、基板を含む発光素子アレイユニットのピント調節と副走査方向での書き込み位置の調節の両方を行なうことができるので、調節作業が容易となる。
【０１４８】
３−ｄ．実施の形態例４：本例は請求項２０〜２３、３９、４０に対応する。
前記３−ｃ．実施の形態例３における図１８（ａ）、（ｂ）の例では、前記２−ａ．実施の形態例１の前記図１３〜図１４で説明した構成が適用される。つまり、基板２ｂ、レンズケースＺ、筐体４ｂが板ばね３０により各々可動状態に取り付けられている。ここで、可動状態に取り付けられることにより、熱膨張、熱収縮による部材の変位が拘束されないで支持されることになる。基板２ａ、２ｃについても基板２ｂにおけると同じような構成により付帯部材が可動状態に取り付けられて発光素子アレイユニット１Ａ、１Ｂ、１Ｃ等が構成されている。
【０１４９】
これらの発光素子アレイユニット１Ａ、１Ｂ、１Ｃは以下の図１９、図２０、図２１に示すように、付帯部材としての接続部材１６０１Ｒ、１６０１Ｌで接続されて、副走査調節手段Ｆ１Ｃ１、Ｆ１Ａ１やピント調節手段Ｐ１Ｃ１、Ｐ１Ａ１と共に一体的に構成されて不動部材として設けられた共通支持部材としてのフレーム６０に対して取り付けられている。このフレーム６０を含む全体の構成を以って、光書き込み装置９０が構成される。
【０１５０】
ここで、発光素子の並び方向に隣接する一方の基板２ａから他方の基板２ｂとの間及び基板２ａから他方の基板２ｃまでの間の固定経路にはスペーサ１４Ｌ、１５Ｌと接続部材１６０１Ｌ及びスペーサ１４Ｒ、１５Ｒと接続部材１６０１Ｒしか介在しないのでこれら接続部材と基板とを固定してこれら基板を同士を実質的に一体化する。しかし、これら接続部材以外の付帯部材については基板との間での熱膨張、熱収縮による影響を回避するため、基板に対して可動状態に取り付けている。
【０１５１】
同様に、前記図１１、図１５、図１６、図１７及び後述する図２７の例においても、基板２ａから基板２ｂまでの間及び基板２ｂから基板２ｃまでの間の固定経路には、スペーサ１４Ｌ、１４Ｒ、１５Ｌ、１５Ｒ、接続部材１６Ｌ、１６Ｒ、１６０Ｌ、１６０Ｒ、１６００Ｌ、１６００Ｒ、１６０００Ｌ、１６０００Ｒしか介在しないのでこれら接続部材と基板とを固定しこれら基板同士を実質的に一体化する。しかし、これら接続部材以外の付帯部材については、基板に対して可動状態に取り付けて、熱膨張、熱収縮による影響を回避している。
【０１５２】
図１９において、基板２ｂ、レンズケースＺ、筐体４ｂ、板ばね３０等からなる発光素子アレイユニット１Ｂは、基板２ａ、レンズケースＺ、筐体４ａ、板ばね３０等からなる発光素子アレイユニット１Ａと接続部材１６０１Ｌを介して固定されかつ、副走査調節手段Ｆ１Ａ１やピント調節手段Ｐ１Ａ１と共に一体的に構成されている。また、発光素子アレイユニット１Ｂは、基板２ｃ、レンズケースＺ、筐体４ｃ、板ばね３０等からなる発光素子アレイユニット１Ｃと接続部材１６０１Ｒを介して固定されかつ、副走査調節手段Ｆ１Ｃ１やピント調節手段Ｐ１Ｃ１と共に一体的に構成されている。これにより、発光素子アレイユニット１Ａ、Ｂ、１Ｃもこれら全体が一体的な構成となっている。
【０１５３】
この一体的な構成のうち、接続部材１６０１Ｌに固定されている調節板１７１Ｌ（図１８（ｂ）参照）についてだけを１点でフレーム６０に固定したのが本例である。
【０１５４】
この１点での固定についての構成の詳細を図２０に示す。図２０は、図１９における符号Ｉで示す部分を拡大して示したものであり、若干の形状の相違はあっても図１２ないし図１４及び図１８（ａ）、（ｂ）におけると同じ機能を有する部材には同じ符号を付してある。なお、図２０における部材の主要部の構成は図１８（ａ）、（ｂ）におけるものと対応している。
【０１５５】
図２０において、調節板１７１Ｌには一体に矩形板状のブラケット１７１Ｌａが設けられていて、このブラケット１７１Ｌａがフレーム６０の裏面に重ねられた上で、段付きねじ８０により固定される。ここで、段付きねじ８０は、伸張性のばね８１及びワッシャー８２を介してその軸部８０ａがフレーム６０に形成された丸穴８０ｈと嵌合挿通されて、先端ねじ部がブラケット１７１Ｌａに螺入されている。ばねの弾性によりブラケット１７１Ｌａはフレーム６０に固定されることになる。
【０１５６】
発光素子アレイユニット１Ａ、１Ｂ、１Ｃを通じて、フレーム６０に対するＡ方向の固定箇所は、この段付きねじ８０だけの１点であり、発光素子アレイユニット１Ａ、１Ｂ、１Ｃは図１９において、符号ＩＩ、ＩＩＩ、ＩＶでそれぞれ示す３箇所でフレーム６０に対し補助支持手段により可動状に支持されているにすぎない。
【０１５７】
このように、発光素子アレイユニット１Ａ、１Ｂ、１Ｃ及びその付帯部材、副走査調節手段、ピント調節手段等を含めた一体的な構成全体を１点でフレーム６０に固定することにより、これら構成部材の熱膨張、熱収縮に伴う変形による発光素子アレイユニットの書き込み精度が低下することを防止して、書き込み精度の高い光書き込み装置とすることができる。
【０１５８】
第１の補助支持手段は、図１９における符号ＩＩで示す箇所に設けられている。この補助支持手段について拡大して示した図２１は若干の形状の相違はあっても図１２ないし図１４及び図１８（ａ）、（ｂ）におけると同じ機能を有する部材には同じ符号を付してある。なお、図２１における部材の主要部の構成は図１８（ａ）、（ｂ）におけるものと対応している。
【０１５９】
図２１において、調節板１７１Ｒには一体に矩形板状のブラケット１７１Ｒａが設けられていて、このブラケット１７１Ｒａがフレーム６０の裏面に重ねられた上で、段付きねじ８０'により固定される。ここで、段付きねじ８０'は、伸張性のばね８１'及びワッシャー８２'を介してその軸部８０ａ'がフレーム６０に形成された矢視Ａ方向と平行な長穴８０ｈ'と嵌合挿通されて、先端ねじ部がブラケット１７１Ｒａに螺入されている。ばねの弾性によりブラケット１７１Ｒａはフレーム６０に矢視Ａ方向に可動に支持されることになる。段付きねじ８０'による長穴８０'を介してのフレーム６０に対する支持部分の構成は、第１の補助支持手段１８１を構成する。
【０１６０】
このように、補助支持手段を設けることにより、発光素子アレイユニット１Ａ、１Ｂ、１Ｃ全体はフレーム６０に対し安定して保持され、書き込み精度を安定させることができる。
【０１６１】
第２の補助支持手段１８２は、図１９における符号ＩＩＩで示す箇所に設けられている。この補助支持手段について拡大して示した図２２は図１９におけるＧ−Ｇ矢視断面を示したものであり、若干の形状の相違はあっても図１２ないし図１４におけると同じ機能を有する部材には同じ符号を付してある。
【０１６２】
図２２において、発光素子アレイユニット１Ｃにおける矢視Ａ方向の端部において筐体４ｃと基板２ｃとを保持している板ばね３１には、緊縮性のぱね８３の一端側が掛けられ、このばね８３の他端側はフレーム６０の壁部に植設されたピン８４に掛けられている。
【０１６３】
ばね８３が掛けられた板ばね３１に近接した部位において、筐体４ｃの上面に対向するフレーム６０の部位には調節ねじ８５が螺入されていてその先端部が筐体４ｃの上面に当接している。
【０１６４】
ばね８３が掛けられた板ばね３１に近接した部位において、筐体４ｃの側面に対向するようにフレーム６０の一部が切り起こされていて、この切り起こしの部位には、調節ねじ８５、８６が螺入されていてその先端部が筐体４ｃの側面に当接している。
【０１６５】
図２２を矢視Ｂ方向から見たのが図２３であり、図２３において、ばね８３により引かれる力を調節ねじ８５と調節ねじ８６とが受けて、安定的に発光素子アレイユニット１Ｃを支持している。調節ねじ８５をまわすことにより発光素子アレイユニット１Ｃの一端側をピント方向に、調節ねじ８６をまわすことにより発光素子アレイユニット１Ｃの一端側を副走査方向Ｅにそれぞれ、微調整することができる。フレーム６０の上方は開放されているので、調整ねじ８５による調節は容易であり、フレーム６０の調節ねじ８６に対応する部位は切り欠かれているので、調節ねじ８６による調節も容易である。
【０１６６】
これら調節ねじ８５、８６による調節は、副走査調節手段Ｆ１Ｃ１やピント調節手段Ｐ１Ｃ１による調節に応じて行なう。ばね８３及び調節ねじ８５、８６は第２の補助支持手段１８２の主要部を構成している。第２の補助支持手段１８２では、ばね８３の弾性力を調節ねじ８５、８６の先端部で受けて筐体４ｃを支持しているのであるから、発光素子アレイユニット１Ｃはフロート状に支持されていることになり、基板及び付帯部材の矢視Ａ方向の移動を拘束せず、熱膨張、熱収縮により矢視Ａ方向に筐体４ｃが変位しても無理な応力がかからない。
【０１６７】
第３の補助支持手段１８３は、図１９における符号ＩＶで示す箇所に設けられている。この第３の補助支持手段１８３について拡大して示した図２４は図２２におけると同じ機能を有する部材には同じ符号に「'」を付してある。
【０１６８】
各補助支持手段は、矢視Ａ方向に可動、副走査方向に位置調整可能であるので、熱膨張、熱収縮に伴う変形による書き込み精度の低下を防止し、副走査方向での書き込み位置については副走査調節手段による調節に応じて調節可能である。
【０１６９】
図２４において、発光素子アレイユニット１Ａにおける矢視Ａ方向の端部において筐体４ａと基板２ａとを保持している板ばね３１には、緊縮性のぱね８３'の一端側が掛けられ、このばね８３'の他端側はフレーム６０の壁部に植設されたピン８４'に掛けられている。
【０１７０】
ばね８３'が掛けられた板ばね３１に近接した部位において、筐体４ａの上面に対向するフレーム６０の部位には調節ねじ８５'が螺入されていてその先端部が筐体４ａの上面に当接している。
【０１７１】
ばね８３'が掛けられた板ばね３１に近接した部位において、筐体４ａの側面に対向するようにフレーム６０の一部が切り起こされていて、この切り起こしの部位には、調節ねじ８５'、８６'が螺入されていてその先端部が筐体４ａの側面に当接している。
【０１７２】
これらばね８３'、調節ねじ８５'、８６'の配置関係は、前記図２３で示した図におけるばね８３、調節ねじ８５、８６の配置関係と全く同じである。これら調節ねじ８５'、８６'による調節は、副走査調節手段Ｆ１Ａ１やピント調節手段Ｐ１Ａ１による調節に応じて行なう。
【０１７３】
第３の補助支持手段１８３では、ばね８３'の弾性力を調節ねじ８５'、８６'の先端部で受けて筐体４ａを支持しているのであるから、発光素子アレイユニット１Ａはフロート状に支持されていることになり、基板及び付帯部材は熱膨張、熱収縮により矢視Ａ方向に筐体４ａが変位しても無理な応力がかからない。
【０１７４】
このように、基板を補助支持手段により共通支持部材に支持するので、基板及びその付帯部材、ピント調節手段、副走査調節手段等の全体構成は不動部材に対し安定して保持され、書き込み精度を安定させることができる。
【０１７５】
図１９において、フレーム６０の矢視Ａ方向での一端側は煩雑を避けるため途中で切断されているが、この切断面１００Ａには図２５に示す切断面１００ａでつながる延長部分がある。この延長部分はフレーム６０の一部であり、該延長部分とフレーム６０を取り付ける部材である被取り付け部材１３０との間には取り付け手段１０２が構成されている。取り付け手段１０２はフレーム６０の一端側を被取り付け部材１３０に取り付けると共に前記ピント合わせ方向に進退調節することのできる調節機能を備えている。被取り付け部材１３０は、例えば、画像形成装置本体の対向する２つの側板として構成される。
【０１７６】
図２５においてフレーム６０の、基板２ａ、２ｂ、２ｃ等と対向する面の端部は外側に直角に折り曲げられて折曲部１１０を形成し、この折曲部１１０にはピント調節方向に長さを有するＵ字状の逆Ｕ字溝１１１が形成されている。
【０１７７】
フレーム６０の、前記ピン８４が植設された壁部の延長端部は内側に直角に折曲されて折曲部１１２が形成されている。この折曲部１１２にはブラケット１４０が、穴１４２を経てねじ穴に螺入される段付ねじ１４１により枢着されている。この枢着状態でブラケット１４１は折曲部１１０に面同士で接触している。
【０１７８】
ブラケット１４０の被取り付け部材１３０と対向する面にはピン１４３が植設されていて、このピン１４３は、被取り付け部材１３０に形成されたＵ字状をしたＵ字溝１３１に嵌合されている。
【０１７９】
被取り付け部材１３０の、ブラケット１４０と対向する面にはピン１３２が植設されていて、このピン１３２は、折曲部１１０に設けられた逆Ｕ字溝１１１に嵌合している。
【０１８０】
ブラケット１４０の折曲部１４４はフレーム６０の平坦部と対向する位置関係にある。折曲部１４４には調節ねじ１５０の径よりも十分大きい穴１４４ａが形成され、またこの穴１４４ａと対向するフレーム６０の平坦部にはねじ穴６０ａが形成されている。調節ねじ１５０は穴１４４ａを経てねじ穴６０ａに螺入されている。
【０１８１】
ブラケット１４０には、穴１４２を中心とする円弧状の長穴１４５が形成されていて、この長穴１４５を挿通して折曲部１１０のねじ穴１１４に螺入されるロックねじ１６０によりブラケット１４４はフレーム６０に固定することができる。以上が取り付け手段１０２の構成である。
【０１８２】
図１９において、フレーム６０の矢視Ａ方向での他端側は煩雑を避けるため途中で切断されているが、この切断面１００Ｂには図２５に示す切断面１００ｂでつながる延長部分がある。この延長部分はフレーム６０の一部であり、該延長部分とフレーム６０を取り付ける部材である被取り付け部材１３０との間には取り付け手段１０２'が構成されている。取り付け手段１０２'はフレーム６０の他端側を被取り付け部材１３０に取り付けると共に前記ピント合わせ方向に進退調節することのできる調節機能を備えている。取り付け手段１０２'の構成は取り付け手段１０２と対称の構成を有するだけで機能的に同じ部材から成り立っているので、前記した取り付け手段１０２における部材に対応する部材に「'」符号を付し、構成の説明に代える。
【０１８３】
図２５の矢視Ｂ方向からみた取り付け手段１０２、１０２'を示した図２６において、Ｕ字溝１３１（１３１'）の中心とピン１３２（１３２'）の中心を結ぶ線は感光体ドラム１０の軸線を通る線Ｄ−Ｄ上にある。フレーム６０には発光素子アレイユニット１Ａ、１Ｂ、１Ｃ等が支持されているので重量があり、この重量は、ねじ１４１（１４１'）及び調節ねじ１５０（１５０'）を介して連結されているブラケット１４０（１４０'）にかかり、このブラケット１４０（１４０'）を介してピン１４３（１４３'）がＵ字溝１３１（１３１'）の溝底に当接することにより支持されている。
【０１８４】
ロックねじ１６０（１６０'）を緩め、調節ねじ１５０（１５０）が右ねじの場合これを締めつけ方向に回すと、ピン１４３（１４３'）を中心にしてブラケット１４０（１４０'）が時計まわりの向きに回動すると共に、フレーム６０（光書き込み装置９０）がねじ１４１を中心に反時計まわりの向きに回動し、フレーム６０は逆Ｕ字溝１１１（１１１'）に沿って上昇し、距離ｄは小さくなる。調節ねじ１５０（１５０）を緩め方向にまわせば、上記逆にフレーム６０を下降させることができる。
【０１８５】
このように、調節ねじ１５０をまわすことによりフレーム６０（光書き込み装置９０）の一端側を、また、調節ねじ１５０'をまわすことによりフレーム６０（光書き込み装置９０）の他端側をそれぞれピント合わせ方向に調節することができる。
【０１８６】
本例では、発光素子アレイユニット１Ｂをピント合わせ方向の調節対象とする。この調節を終えたら、ロックねじ１６０（１６０'）で固定し、調節状態を保持する。その後、発光素子の並び方向で隣接する他方の基板にかかる発光素子アレイユニット１Ｃ、１Ａについてピント調節手段Ｐ１Ｃ１、Ｐ１Ａ１によりピント合わせ方向の位置決めをする。
【０１８７】
こうして、画像形成装置において、短尺の基板だけを用いて実質的に１つの基板を構成した光源部を有する発光素子アレイユニットを用いた光書き込み装置について、ピント合わせ方向の位置決めを行なうことができる。
【０１８８】
なお、ピント合わせに際して、フレーム６０は副走査方向にずれるので、ピント合わせ後、このずれに合わせて、発光素子の並び方向で隣接する他方の基板にかかる発光素子アレイユニット１Ｃ、１Ａについて副走査調節手段Ｆ１Ｃ１、Ｆ１Ａ１により発光素子アレイユニット１Ｂの書き込みラインと平行になるように調節すればよい。  
本例の取り付け手段は、本明細書で説明した他の例における発光素子アレイユニットを含む光書き込み装置についても同様に適用することができる。
【０１８９】
このように、共通支持部材６０の一端側、他端側についてピント合わせ方向に調節できる取り付け手段１０２、１０２'を設けたことにより、光書き込み装置９０を画像形成装置に取り付けることができると共に、ピント調節手段及び副走査調節手段の調節と合わせて、発光素子の並び方向に隣接する一方の基板と他方の基板の全てについて、ピント調節方向の書き込み位置の調節を容易に行なうことができるし、さらに、副走査調節方向の書き込み位置の調節を容易に行なうことができる。
【０１９０】
３−ｅ．実施の形態例５：本例は請求項１９に対応する。  
前記図１８（ａ）、（ｂ）で説明したように、前記３−ｂ．実施の形態例２、３−ｃ．実施の形態例３における例では、発光素子アレイユニット１Ａ、１Ｂ、１Ｃを含む光書き込み装置全体を動かすなどして、発光素子アレイユニット１Ｂについてピント調節方向、副走査方向での書き込み位置等を調節した後で、副走査調節手段Ｆ１Ｃ１（Ｆ１Ａ１）により発光素子アレイユニット１Ａ、１Ｃについて個別に副走査方向での書き込み位置の調節を行ない、また、ピント調節手段Ｐ１Ｃ１（Ｐ１Ａ１）により発光素子アレイユニット１Ａ、１Ｃについて個別にピント調節を行なうことができる。
【０１９１】
しかし、仮に、副走査調節手段Ｆ１Ｃ１（Ｆ１Ａ１）やピント調節手段Ｐ１Ｃ１（Ｐ１Ａ１）による調節をした後で、発光素子アレイユニット１Ｂについて調節が不完全であることが判明した場合には、再度、発光素子アレイユニット１Ｂについての副走査方向での書き込み位置の調節からやり直さなければならないという問題がある。
【０１９２】
そこで本例では、発光素子アレイユニット１Ａ、１Ｃばかりでなく、発光素子アレイユニット１Ｂについても、独立して副走査方向での書き込み位置及びピント調節を可能とした。
【０１９３】
本例は図２７（ｂ）に示すように、前記３−ｂ．実施の形態例２、３−ｃ．実施の形態例３で説明したと同じ構成のピント調節手段及び副走査調節手段を、一方の基板２ａと他方の基板２ｂとの中点を通る線Ｄ−Ｄを対称軸として、左右に設けた。
【０１９４】
図２７（ａ）、（ｂ）により説明する。  
発光素子アレイユニット１Ｃの副走査方向での書き込み位置を調節する副走査調節手段Ｆ１Ｃ１及び発光素子アレイユニット１Ａの副走査方向での書き込み位置を調節する副走査調節手段Ｆ１Ａ１については、前記図１８（ａ）、（ｂ）において説明した構成と基本的には同じである。よって、図１８（ａ）、（ｂ）におけるものと同じ構成部分については同じ符号を付し説明は省略する。
【０１９５】
前記図１８（ａ）、（ｂ）における構成と異なる点は、調節板１７１Ｒ（１７１Ｌ）に代えて、Ｔ字状の調節板１７０１Ｒ（１７０１Ｌ）を設けたこと、調節板１７０１Ｒ（１７０１Ｌ）に対する接続部材１６００１Ｒ（１６００１Ｌ）の固定位置を線Ｄ−Ｄ上のねじ３２Ｒ（３２Ｌ）で止められた位置としたことである。
【０１９６】
発光素子アレイユニット１Ｂのピント調節手段は、矢視Ａ方向の右端部と左端部にそれぞれ設けられている。右端部に設けられたピント調節手段Ｐ１ＢＲ１は、図２７（ａ）、（ｂ）において、基板２ｂにスペーサ１４Ｒ'を固定し、スペーサ１４Ｒ'をねじ５２０'で接続部材１６００１Ｒに固定し、基板２ｂの部位で接続部材１６００１Ｒと調節板１７０１Ｒとの間隔を広狭調節する第３外力手段としてのねじ１９００Ｒ'を具備した構成とし、左端部に設けられたピント調節手段Ｐ１ＢＬ１は、図２７（ａ）、（ｂ）において、基板２ｂにスペーサ１４Ｌ'を固定し、スペーサ１４Ｌ'をねじ５０'で接続部材１６００１Ｌに固定し、基板２ｂの部位で接続部材１６００１Ｌと調節板１７０１Ｌとの間隔を広狭調節する第３外力手段としてのねじ１９００Ｌ'を具備した構成としている。
【０１９７】
発光素子アレイユニット１Ｂの副走査調節手段は、矢視Ａ方向の右端部と左端部にそれぞれ設けられている。右端部に設けられた副走査調節手段Ｆ１ＢＲ１は、第３外力手段としてのねじ１９００Ｒ'の一部（先端部）を支点として接続部材１６００１Ｒの基板２ｂ側の端部に外力を作用させて接続部材１６００１Ｒと調節板１７０１Ｒとの間隔を広狭調節する第４外力手段としてのねじ３９０Ｒ'を具備した構成とし、左端部に設けられた副走査調節手段Ｆ１ＢＬ１は、第３外力手段としてのねじ１９００Ｌ'の一部（先端部）を支点として接続部材１６００１Ｌの基板２ｂ側の端部に外力を作用させて接続部材１６００１Ｌと調節板１７０１Ｌとの間隔を広狭調節する第４外力手段としてのねじ３９０Ｌ'を具備した構成としている。上記において、調節板１６００１Ｒ、１６００１Ｌのうち、
何れか一つは不動部材に固定され、他は可動状に支持されている。
【０１９８】
このように、線Ｄ−Ｄを対称軸として右に、ピント調節手段Ｐ１Ｃ１と副走査調節手段Ｆ１Ｃ１の組、左に、ピント調節手段Ｐ１ＢＲ１と副走査調節手段Ｆ１ＢＲ１の組が設けられ、また、線Ｄ−Ｄを対称軸として右に、ピント調節手段Ｐ１Ａ１と副走査調節手段Ｆ１Ａ１の組、左に、ピント調節手段Ｐ１ＢＲ１と副走査調節手段Ｆ１ＢＲ１の組が設けられている。
【０１９９】
本例においては、副走査方向の書き込み位置の調節については、発光素子の並び方向で隣接する一方の基板２ｃ、２ａを副走査調節手段Ｆ１Ｃ１、Ｆ１Ａ１により、他方の基板２Ｂについては副走査調節手段Ｆ１ＢＲ１、Ｆ１ＢＬ１により調節することができる。また、ピント調節については、発光素子の並び方向で隣接する一方の基板２ｃ、２ａをピント調節手段Ｐ１Ｃ１、Ｐ１Ａ１により、他方の基板２Ｂについては副走査調節手段Ｐ１ＢＲ１、Ｐ１ＢＬ１により調節することができる。
【０２００】
このように副走査方向での書き込み位置及びピント調節を全ての各発光素子アレイユニット１Ａ、１Ｂ、１Ｃについて個別に調節することができるので、書き込み位置を合わせることが極めて容易となる。
【０２０１】
３−ｆ．実施の形態例６：本例は請求項２４に対応する。
【０２０２】
前記図１１（ａ）、（ｂ）における接続部材１６Ｒ（１６Ｌ）と調節板１７Ｒ（１７Ｌ）との間隔を広狭調節する外力手段としての調節ねじ１９Ｒ（１９Ｌ）、前記図１５（ａ）、（ｂ）における接続部材１６０Ｒ（１６０Ｌ）と調節板１７０Ｒ（１７０Ｌ）との間隔を広狭調節する外力手段としての調節ねじ１９Ｒ（１９Ｌ）、１９Ｒ'（１９Ｌ'）、図１６（ａ）、（ｂ）における接続部材１６００Ｒ（１６００Ｌ）と調節板１７０Ｒ（１７０Ｌ）との間隔を広狭調節する外力手段としての調節ねじ３９Ｒ（３９Ｌ）、図１７（ａ）、（ｂ）における接続部材１６０００Ｒ（１６０００Ｌ）と調節板１７００Ｒ（１７００Ｌ）との間隔を広狭調節する外力手段としての調節ねじ３９Ｒ（３９Ｌ）、３９Ｒ'（３９Ｌ'）、図１８（ａ）、（ｂ）における接続部材１６０１Ｒ（１６０１Ｌ）と調節板１７１Ｒ（１７１Ｌ）との間隔を広狭調節する外力手段としてのねじ３９０Ｒ（３９０Ｌ）、３９Ｒ'（３９Ｌ'）、１９００Ｒ（１９００Ｌ）、図２７（ａ）、（ｂ）における接続部材１６００１Ｒ（１６００１Ｌ）と調節板１７０１Ｒ（１７０１Ｌ）との間隔を広狭調節する外力手段としてのねじ３９０Ｒ（３９０Ｌ）、３９０Ｒ'（３９０Ｌ'）、１９００Ｒ（１９００Ｌ）、１９００Ｒ'（１９００Ｌ'）は、何れもねじ手段として構成されており、回転量に応じて微少量の変位を調節板に与えて、調整量が微少量であるピント調整や、副走査方向での書き込み量の調整を精密に行なうことができる。
［４］第４の実施の形態
本実施の形態は主として請求項２５ないし３７及び、４１、４２に記載の発明に対応する。  
上述した各実施の形態例における光書き込み装置では、例えば、感光体に４００ｄｐｉの解像度で静電潜像を書き込むには、感光体に対する発光素子アレイユニットの各発光素子からの照射光のドットピッチを６３．５μｍ程度にすればよいが、通常、そのドットピッチ誤差を５μｍ程度以下にしないと、感光体上に縦方向の黒すじ画像や白すじ画像が生じたり、画像中で線のずれが発生したりしてしまうので、各発光素子アレイユニットの継ぎ目で両書き込み範囲のドットピッチ誤差が５μｍ以下に納まるようにつなげなければならない。
【０２０３】
しかし、各発光素子アレイユニットの継ぎ目で両書き込み範囲のドットピッチ誤差を５μｍ以下におさめることは、技術的に難しく、光書き込み装置に上記両書き込み範囲のドットピッチ誤差を５μｍ以下に納めるための調整機構を設けるようにすると、装置の製造コストがアップしてしまうという新たな問題が生じてしまう。
【０２０４】
この実施の形態では、上記の課題を解決し、感光体の主走査方向へ複数個の発光素子アレイユニットを高精度に位置決めして配置しなくても、なお且つ各発光素子アレイユニットの継ぎ目部での発光素子のドットピッチ誤差を調整するための高コストな機構を設けなくても、感光体への書き込み画像に黒すじ，白すじ，及び線のずれなどの不具合が発生しないようにする。
【０２０５】
このため光書き込み装置は、［６］第６の実施の形態で説明する制御部６０２を設けている。この制御部６０２はＣＰＵ，ＲＯＭ，及びＲＡＭ等からなるマイクロコンピュータによって構成され、各発光素子アレイユニットに列設された発光素子の発光制御、その照射光によって感光体ドラム１を露光して静電潜像を書き込む際に、各発光素子アレイユニット毎に書き込み時間に差をもたせる書き込み時間遅延処理を行なうと共に、この発明に関わる発光量補正処理、書き込み範囲シフト処理などを実行し、発光素子アレイユニットの継ぎ目に位置する発光素子の発光量や発光時間、各発光素子の発光領域等の制御を行なうようにしている。
【０２０６】
この制御部６０２は、発光量補正処理のみ行なうケース（ケースＩ）、発光素子の発光領域を制御する書き込み範囲シフト処理のみ行なうケース（ケースＩＩ）、前記発光量補正処理及び書き込み範囲シフト処理を行なうケース（ケースＩＩＩ）の３ケースのうち、何れのケースを行なうこともできる。
【０２０７】
以下、各ケース毎に説明する。  
１．ケースＩ
本例は、制御部６０２が各発光素子アレイユニットの継ぎ目で感光体に対する主走査方向の露光量が均一になるように該継ぎ目部に位置する発光素子の発光量を補正する発光量補正手段を具備した例であり、発光量補正手段を設けたことにより、以下に説明するように、感光体の主走査方向へ複数個の発光素子アレイユニットを高精度に位置決めして配置しなくても、なお且つ各発光素子アレイユニットの継ぎ目部の発光素子のドットピッチ誤差を調整するための高コストな機構を設けなくても、感光体への書き込み画像に黒すじ、白すじ、及び線のずれなどの不具合が発生しないようにすることができる。
【０２０８】
このケースを適用することができる光書き込み装置は、図５において、発光素子アレイユニット１Ａ、１Ｂ、１Ｃの一部である発光素子を列設した基板２ａ、２ｂ、２ｃを有する。これら基板２ｂ、２ｃの端部を接続部材３Ｂによって接続している。また、基板２ａと２ｂの端部を接続部材３Ａによって接続している。これら基板２ａ、２ｂ、２ｃにおける発光素子の列設方向である矢視Ａ方向を感光体ドラム１０の主走査方向と平行となるように配置している。
【０２０９】
図５に示した感光体ドラム１０の発光素子アレイユニット１Ｂと１Ｃとの継ぎ目、厳密には基板２ｂと基板２ｃの継ぎ目部からの照射光の感光体ドラム１０上（図中に丸く囲んで示したＫの部分）でのドット配列を拡大して模式的に図２８（ａ）、（ｂ）に楕円形状の配列で示す。黒く塗りつぶした楕円形状が感光体上に照射されたドットであり、白抜きの楕円は現時点では照射されていないが照射が想定されるドットである。
【０２１０】
この発光素子アレイユニットによる書き込み装置は各基板の継ぎ目部で各発光素子アレイユニット間で発光素子アレイ同士が副走査方向からみて重なるように配列しているが、通常の精度で製造した場合、接続部材３Ａと３Ｂや発光素子アレイユニット１Ａ、１Ｂ、１Ｃを構成する部品寸法誤差等の要因によって、この重なり部で、最大で各発光素子間のピッチＰ１未満の位相ずれが生じてしまう。
【０２１１】
この位相ずれには、各書き込み範囲の端部同士が矢視Ａ方向で離間している場合と重複している場合の２つの場合があり、発光量補正手段による補正の操作も異なる。
【０２１２】
書き込み範囲の端部とは、各ドット配列のうち、継ぎ目側の端部に相当するドットの中心線の位置をいい、ドットの輪郭の端部を意味しない。従って、各書き込み範囲が重なるとは、各書き込み範囲の端部に相当する各ドットの中心線同士が合致した状態及び中心線同士が合致した状態からさらに各書き込み範囲の各端部のドットの重なりの度合いが大きくなっている場合をいう。ドットの輪郭同士が重なっても各書き込み範囲の端部の一方のドット中心が他方のドット中心と合致するか、さらに書き込み範囲の奥側に入り込まない限り、書き込み範囲が重なっているとはいわないものとする。以下の例でも同様である。
【０２１３】
以下、これら２つの場合のそれぞれについて説明する。  
ケースＩ−１．
発光素子アレイユニット１Ｂと１Ｃの継ぎ目部（厳密には基板２ｂと２ｃとの継ぎ目、以下同じ）において、各発光素子アレイユニット１Ｂと１Ｃによる各書き込み範囲（両書き込み範囲ともいう）の端部同士が主走査方向でもある矢視Ａ方向上で離間している場合である。
【０２１４】
つまり、図２８（ａ）に示すように、継ぎ目部に位置する各発光素子からの照射光が当たる感光体ドラム１０上の書き込み切り替わり部で、発光素子アレイユニット１Ｃによる書き込み範囲中、該継ぎ目部側の端部に対応する発光素子からの照射光のドットＤ５と、発光素子アレイユニット１Ｂによる書き込み範囲の中、前記継ぎ目部側の端部に対応する発光素子からの照射光のドットＤ６の中心同士の間隔であるピッチＰ２（実間隔という）が、発光素子アレイユニット１Ｂ、１Ｃにおいて隣接する２つの発光素子からの照射光の中心同士の間隔であるドットピッチＰ１（基準間隔という）よりも大きい場合である。これは各発光素子アレイユニット１Ｂ、１Ｃにおける発光素子の発光範囲が継ぎ目部で重ならない状態である。
【０２１５】
このままの状態で発光素子アレイユニット１Ｂと１Ｃを発光させて感光体ドラム１０上にベタ画像や、特にハーフトーンのベタ画像の書き込みを行なうと、感光体ドラム１０上では図２８（ａ）に示したドットピッチＰ２（実間隔）に相当する部分の照射光量がその両側近傍に比べて不足してしまう。
【０２１６】
図２９（ａ）は、感光体ドラム１０上の発光素子アレイユニット１Ｂと１Ｃの継ぎ目部に対応する部分での主走査方向の位置と照射光量との関係を示す線図であり、前記例のように、実間隔Ｐ２が基準間隔Ｐ１よりも大きい場合は、符号Ｐ２'で示すように図２８（ａ）の実間隔Ｐ２に相当する部位では感光体ドラム１０上照射光量が大幅に減少し、その部分では十分に露光しなくなって白スジ画像になってしまう。
【０２１７】
本例の光書き込み装置では、制御部６０２に発光量補正手段を設けることで、発光素子アレイユニット１Ａ、１Ｂ、１Ｃを接続部材３Ａと３Ｂで接続した後、各発光素子アレイユニット１Ａ、１Ｂ、１Ｃを発光させて感光体ドラム１０上に光を照射し、各発光素子アレイユニット１Ａ、１Ｂ、１Ｃの継ぎ目部（厳密には基板２ａ、２ｂ、２ｃ相互の継ぎ目部）に対応する感光体ドラム１０上の書き込み切り替わり部での各照射光のドット間隔を測定し、又は実際の画像を出力し、その結果に基づいて書き込み切り替わり部に対応する各発光素子アレイユニットの継ぎ目部に位置する発光素子の発光量を補正する。
【０２１８】
つまり図２８（ａ）に示すように感光体ドラム１０上の照射光のドットピッチがＰ２＞Ｐ１の場合、制御部６０２の発光量補正手段により、継ぎ目部で接続された一方の発光素子アレイユニット１Ｃの書き込み領域の最端部に位置する発光素子の発光量を増加させるように調整して感光体ドラム１０への照射光量を多くする。すると、感光体ドラム１０上では十分な照射光量を得ることができ、白スジ画像を解消することができる。
【０２１９】
本例における補正の結果を図３０（ａ）に示す。図３０（ａ）は、発光素子アレイユニット１Ｃによる書き込み領域の継ぎ目部側の最端部に対応する発光素子の発光量を増加させたときの感光体ドラム１０上の主走査方向の位置と照射光量との関係を示す線図であり、図中の範囲Ｐ２"で示すように、基板２ｂと２ｃの継ぎ目部に対応する感光体ドラム１０上の照射光量を増すことにより、その書き込み切り替わり部近傍の照射光量が他の部分と略同等になるので白スジ画像の発生が無くなっている。本例では、少なくとも一方の発光素子の発光量を増加することで、十分な補正効果をあげ白スジ画像を解消することができる。
ケースＩ−２．
発光素子アレイユニット１Ｂと１Ｃの継ぎ目部（厳密には基板２ｂと２ｃとの継ぎ目、以下同じ）において、各発光素子アレイユニット１Ｂと１Ｃの両書き込み範囲同士が矢視Ａ方向上で重なり合う場合である。図２８（ｂ）出説明すると、継ぎ目部に位置する各発光素子からの照射光が当たる感光体ドラム１０上の書き込み切り替わり部で、発光素子アレイユニット１Ｃによる書き込み範囲の継ぎ目側の端部に対応する発光素子からの照射光のドットＤ５の中心と、発光素子アレイユニット１Ｂによる書き込み範囲の継ぎ目側の端部に対応する発光素子からの照射光のドットＤ６の中心同士の間隔（実間隔）Ｐ３が発光素子アレイユニット１Ｂ、１Ｃ中、任意の発光素子アレイユニットにおいて隣接する２つの発光素子の間隔Ｐ１（基準間隔）よりも小さい場合である。
【０２２０】
このように、実間隔Ｐ３が基準間隔Ｐ１よりも小さい場合、図２９（ｂ）に示すように、実間隔Ｐ３に相当する範囲Ｐ３"近傍の照射光量が他の部分に比べて大幅に増加している。
【０２２１】
このままの状態で発光素子アレイユニット１Ｂと１Ｃを発光させて感光体ドラム１０上にベタ画像や、特にハーフトーンのベタ画像の書き込みを行なうと、感光体ドラム１０上では図２８（ｂ）に示した実間隔Ｐ３の部分に相当する部分の照射光量がその両側近傍に比べて過剰となり、その部分では感光体ドラム１０上の露光量が過剰になって黒スジとして現われてしまう。
【０２２２】
そこで、図２８（ｂ）において、実間隔Ｐ３＜基準間隔Ｐ１の場合、発光量補正手段により、継ぎ目部で接続された任意の一方例えば、発光素子アレイユニット１Ｃによる書き込み領域の継ぎ目部側の最端部に対応する発光素子Ｄ５の発光量を減少させるように調整する。これにより、図２９（ｂ）において発光量が部分的に増加していた範囲Ｐ３'部において、図３０（ｂ）に示すように増加していたドット部位に隣接するドット部位の感光体ドラム１０への照射光量を少なくなり、感光体ドラム１０上で主走査方向に均一な照射光量を得ることができ、黒スジ画像を解消することができる。
【０２２３】
通常、発光素子はパワーの上限近傍で使用するため、本例のように発光素子の発光量を減少させる方向に制御する方が、増加する場合に比べて供給電力を小さくすることで足りるため比較的容易に実施可能である。
【０２２４】
上記ケースＩ−１、Ｉ−２の例では、継ぎ目部で接続された一方の発光素子アレイユニット１Ｃについての書き込み範囲の端部に対応するの発光素子の発光量を増減させる調整処理の場合を示したが、もう一方の発光素子アレイユニット１Ｂについての書き込み範囲端部ドットＤ６に対応する発光素子の発光量を増減させるように調整してもよいし、発光素子アレイユニット１Ｂと１Ｃの各書き込み範囲での継ぎ目部側の端部のドットＤ５、Ｄ６に相当する発光素子の発光量を増減させるように調整しても勿論よい。継ぎ目部で接続された両方の発光素子アレイユニットについて発光素子の発光量を調整することなく、少なくとも一方の発光素子の発光量を調整するだけで、簡単に十分な補正効果をあげ白スジ画像、黒スジ画像を解消することができる。
【０２２５】
上述した光書き込み装置においては、発光量補正手段を設けたことにより複数の発光素子アレイユニット１Ａ、１Ｂ、１Ｃをつないで感光体ドラム１０の主走査方向に沿って配置する際、各発光素子アレイユニット１Ａ、１Ｂ、１Ｃや接続部材３Ａと３Ｂを高精度に製造せずに済み、さらに複雑な調整機構も必要が無く、感光体ドラム１０上に白スジ画像、黒スジ画像、線のずれなどの無い良好な画像を書き込むことが出来る。
【０２２６】
感光体の主走査方向へ複数個の発光素子アレイユニットを高精度に位置決めして配置しなくても、なお且つ各発光素子アレイユニットの継ぎ目部の発光素子のドットピッチ誤差を調整するための高コストな機構を設けなくても、感光体への書き込み画像に黒スジ、白スジ及び線のずれなどの不具合が発生しないようにすることができる。本例では、少なくとも一方の発光素子の発光量を減少するだけで、簡単に十分な補正効果をあげ黒スジ画像を解消することができる。
２．ケースＩＩ
ケースＩＩ−１．
光書き込み装置において、各発光素子アレイユニット１Ａ、１Ｂ、１Ｃの継ぎ目部における接続精度が上述した場合よりも悪く、継ぎ目部で接続された各発光素子アレイユニット１Ｂと１Ｃ、又は各発光素子アレイユニット１Ｃと１Ａによる各書き込み範囲の端部に対応する発光素子による照射光のドット中心間隔である実間隔が隣接する２つの発光素子の間隔である基準間隔の２倍を超え、又は、各発光素子アレイユニットによる書き込み範囲同士がアレイの並び方向で重なるときは、上述の実施形態で示した手段では感光体ドラム１０上の白スジ画像、黒スジ画像、線のずれなどの発生を防止することが難しくなる。
【０２２７】
例えば、図３１では、発光素子アレイユニット１Ｂの書き込み範囲と発光素子アレイユニット１Ｃの書き込み範囲が離間していて、かつ、発光素子アレイユニット１Ｂについての書き込み範囲端部のドットＤ７と、発光素子アレイユニット１Ｃについての書き込み範囲の端部のドットＤ８の中心同士の間隔である実間隔Ｊが基準間隔Ｐ１の２倍を超えていて、両書き込み範囲の間に３〜４ドット分の隙間があいている。この場合、実間隔Ｊで画像の書き込みができなくなり、感光体ドラム１０上に大きな白スジ画像が発生する。また、上記隙間の間隔がさらに大きい場合は線のずれなどの異常画像が生じてしまう。
【０２２８】
本例では、［６］第６の実施の形態で説明する制御部６０２に付加した書き込み範囲シフト手段の制御により、両書き込み範囲が離間し、かつ、実間隔Ｊが基準間隔Ｐ１の2倍未満となるように、例えば、発光素子アレイユニット１Ｃによる書き込み範囲の継ぎ目部側の端部において発光させる発光素子を３ドット、又は４ドット分だけ増やし、発光素子アレイユニット１Ｂの書き込み範囲を３ドット分だけ発光素子アレイユニット１Ｃ側へシフトさせ書き込むように調整する。このように、発光させる発光素子の領域をずらす操作をシフトすると称し、書き込み範囲シフト手段により実行する。
ケースＩＩ−２．
これと逆に、図３２に示すように、発光素子アレイユニット１Ｂと１Ｃの継ぎ目部において、その両書き込み範囲が符号Ｒで示す範囲で２〜３ドット分のオーバーラップを生じると、感光体ドラム１０上の該当する範囲Ｒで画像の書き込みが２重になり、黒スジ画像が発生する。また、オーバーラップ部分が大きい場合は線のずれなどの異常画像が生じてしまう。
【０２２９】
そこで、［６］第６の実施の形態で説明する制御部６０２の書き込み範囲シフト手段の制御により、例えば発光素子アレイユニット１Ｂの端部において発光させる発光素子を３ドット分だけ減らし、発光素子アレイユニット１Ｂの書き込み範囲を３ドット分だけ発光素子アレイユニット１Ｃとは反対側へシフトさせて書き込むように調整する。
３．ケースＩＩＩ
前記ケースＩＩにおいて書き込み範囲シフト手段のみによるシフト操作を行なっても、隣接する発光素子アレイユニット同士で発光素子間の位相ずれがあり、また、製造誤差などがあるため、残余のずれが存在する場合がある。
【０２３０】
そこで、継ぎ目部で接続された各発光素子アレイユニットによる各書き込み範囲端部に位置する発光素子同士の実間隔と発光素子の基準間隔との間にずれがある場合に、書き込み範囲シフト手段により各発光素子アレイユニットの少なくとも一方による書き込み範囲を発光素子単位でシフトさせることによりずれの量を狭めた後、さらに残余のずれがあるときに、この残余のずれによる感光体での露光量の不均一が解消されるように、発光量補正手段により継ぎ目部で接続された各発光素子アレイユニットの少なくとも一方の端部に位置する発光素子の発光量を変えることにより調節するのが本例である。
【０２３１】
本例では、制御部６０２は書き込み範囲シフト手段と発光量補正手段とを具備した構成とする。
【０２３２】
以下、表１及び図３３に基き、前記各ケースＩ、ＩＩ、ＩＩＩについて、内容を整理しつつ、説明を補足する。
【０２３３】
図３３は、前記図２８、図３１、図３３におけるドット配列を模式化して示したものである。図３３では、発光素子アレイユニット１Ｂの書き込み範囲は各ドットを示す楕円を黒く塗りつぶして示す範囲であり、発光素子の並び方向Ａ（主走査方向）と平行な走査ラインＯ１−Ｏ１上に基準間隔Ｐ１のピッチで多数のドットが並んでいる。この書き込み範囲の継ぎ目側の端部（右端）はドットＤ９であり、以下の説明でシフトすることなく不変である。
【０２３４】
発光素子アレイユニット１Ｃについては、各ケースについて書き込み範囲が異なるため煩雑さを避けるため書き込み範囲としてのドットを明示することはせず、書き込み範囲となり得る範囲だけを、発光素子アレイユニット１Ｃの走査ラインＯ２−Ｏ２上に<１>〜<７>の各範囲に区分して示した。この書き込み範囲は右方に長さを有する。
【０２３５】
ドットＤ９の中心を通り主走査方向Ａと直交するラインＹ−Ｙの部位が継ぎ目部に相当し、このラインＹ−Ｙ走査ラインＯ２−Ｏ２と交差する位置を<２>とする。走査ラインＯ２−Ｏ２上であって、位置<２>よりも左方の領域を位置<１>とする。同様に、位置<２>から右方に基準間隔の位置を<４>、基準間隔の２倍の位置を<６>とする。位置<６>よりも右方を位置<７>とし、位置<２>と位置<４>の間の位置を<３>、位置<４>と位置<６>の間の位置を<５>とする。
【０２３６】
発光素子アレイユニット１Ｃについて継ぎ目側の書き込み範囲の端部とは常にドットの中心位置で考えるものとする。端部が位置<４>にあれば、基準間隔と実間隔が合致しており適正であり、感光体上に濃度むらは生じない。発光素子アレイユニット１Ｂと発光素子アレイユニット１Ｃについて両書き込み範囲が重なるとは発光素子アレイユニット１Ｂの端部のドット中心が位置<２>と位置<１>を含む範囲の何れかにあることをいう。
発光素子アレイユニット１Ｂと発光素子アレイユニット１Ｃについて両書き込み範囲が離間するとは、発光素子アレイユニット１Ｂの端部のドット中心が位置<３>、位置<４>、位置<５>、位置<６>、位置<７>を含む範囲の何れかにあることをいう。
【０２３７】
【表１】
2006315406.tif 000003
【０２３８】
表１及び図３３を参照しながら説明する。表１における「現状」とは補正前の状態をいう。狙いの補正範囲とは書き込み範囲シフト手段により書き込み範囲をシフトする際の目標範囲をいう。
【０２３９】
表１のケースＩ−１については既に説明したが、再度まとめてみる。  
ケースＩ−１では制御部６０２は発光量補正手段を具備することで足りる。現状が、両書き込み範囲が主走査方向で離間し、かつ、発光素子アレイユニット１Ｃによる書き込み範囲の端部が位置<５>〜位置<７>にあるとき、つまり、実間隔が基準間隔よりも大きいときは、発光量補正手段により該端部或いはドットＤ９に相当する発光素子の発光量を増す補正操作を行なう。実際には製造後の状態は位置<５>近傍程度に抑えられると思われるので、発光量増加補正により、十分対処でき画像の濃淡を解消することができる。
【０２４０】
ケースＩ−２についても、制御部６０２は発光量補正手段を具備することで足りる。現状が、両書き込み範囲が主走査方向で離間し、かつ、発光素子アレイユニット１Ｃによる書き込み範囲の端部が位置<３>にあるとき、つまり、実間隔が基準間隔よりも小さいときは、発光量補正手段により該端部に相当する発光素子の発光量を減少させる補正操作を行なう。発光量減少補正により、画像の濃淡を解消することができる。
【０２４１】
ケースＩＩ−１では制御部６０２は書き込み範囲シフト手段を具備することで足りる。現状が、両書き込み範囲が主走査方向で離間し、かつ、発光素子アレイユニット１Ｂによる書き込み範囲の端部が位置<６>〜位置<７>にあるとき、つまり、実間隔≧基準間隔×２のときは、発光量補正だけでは十分な補正ができない場合であり、書き込み範囲シフト手段により位置<３>〜位置<５>の範囲を狙いの範囲として、発光素子アレイユニット１Ｃにおける発光素子の発光領域をシフトさせる。この範囲であれば、画像の濃淡として許容できる範囲だからである。
【０２４２】
シフト操作により、発光素子アレイユニット１Ｂによる書き込み範囲の端部が位置<４>にくれば、適正であり問題ない。また、位置<３>或いは位置<５>になったとしても画像の濃淡を容認できる範囲である。
【０２４３】
本例では、発光量補正だけでは十分な補正ができないほど両書き込み範囲が離れている場合であっても簡便な書き込み範囲シフト手段によるシフト操作により補正することができる。
【０２４４】
ケースＩＩ−２では制御部６０２は書き込み範囲シフト手段を具備することで足りる。現状が、発光素子アレイユニット１Ｂの端部に発光素子アレイユニット１Ｃによる書き込み範囲の端部が重なるとき、つまり、発光素子アレイユニット１Ｃによる書き込み範囲の端部が位置<１>〜位置<２>にあるときは、発光量補正だけでは十分な補正ができない場合を含んでおり、書き込み範囲シフト手段により両書き込み範囲が離間していて、かつ、実間隔が基準間隔の２倍未満となるように、位置<３>〜位置<５>の範囲を狙いの範囲として、発光素子アレイユニット１Ｃにおける発光素子の発光領域をシフトさせる。この範囲であれば、画像の濃淡として許容できる範囲だからである。
【０２４５】
シフト操作により、発光素子アレイユニット１Ｃによる書き込み範囲の端部が位置<４>にくれば、適正であり問題ない。また、位置<３>或いは位置<５>になったとしても画像の濃淡を容認できる範囲である。
【０２４６】
本例では、発光量補正だけでは十分な補正ができないほど両書き込み範囲が重なっている場合であっても簡便な書き込み範囲シフト手段によるシフト操作により補正することができる。
【０２４７】
前記ケースＩ、ケースＩＩにおけるように、発光量補正手段のみ、或いは書き込み範囲シフト手段のみでは十分な結果が得られない場合もある。そこで、本例のように、書き込み範囲シフト手段によるシフト操作によりシフトさせたのち、残余のずれがある場合に、発光量補正手段により発光量補正することとした。
【０２４８】
ケースＩＩＩ−１では制御部６０２は書き込み範囲シフト手段、発光量補正手段を具備する。現状が、発光素子アレイユニット１Ｂによる書き込み範囲の端部に発光素子アレイユニット１Ｃによる書き込み範囲の端部が重なるとき、或いは、実範囲が基準範囲よりも大きいとき、つまり、発光素子アレイユニット１Ｃによる書き込み範囲の端部が位置<５>〜位置<７>にあるか、又は発光素子アレイユニット１Ｃによる書き込み範囲の端部が位置<１>〜位置<２>にあるときは、先ず書き込み範囲シフト手段により、両書き込み範囲が主走査方向で離間し、かつ、実間隔が基準間隔以下となるように、つまり、位置<３>〜位置<４>の範囲を狙いの範囲として、書き込み範囲シフト手段により発光素子アレイユニット１Ｃにおける発光素子の発光領域をシフトさせる。
【０２４９】
書き込み範囲シフト手段のシフト操作により、発光素子アレイユニット１Ｃによる書き込み範囲の端部が位置<４>にくれば、適正であり問題ない。また、位置<３>になったとしても発光量補正手段により、発光素子アレイユニット１Ｃの端部に相当する発光素子の発光量を増加する補正により画像の濃淡を生じない良好な状態に補正することができる。
【０２５０】
ケースＩＩＩ−２では制御部６０２は書き込み範囲シフト手段、発光量補正手段を具備する。現状が、実間隔が基準間隔の２倍以上のとき、又は、発光素子アレイユニット１Ｂによる書き込み範囲の端部に発光素子アレイユニット１Ｃによる書き込み範囲の端部が重なるとき、又は、実間隔が基準間隔未満のとき、つまり、発光素子アレイユニット１Ｂの端部が位置<６>〜位置<７>にあるとき、又は位置<１>〜位置<２>にあるとき、又は位置<３>にあるときは、先ず書き込み範囲シフト手段により、発光素子アレイユニット１Ｃの端部が、基準間隔×２≧実間隔＞基準間隔の範囲、つまり、位置<５>〜位置<６>の範囲に位置するように、シフト操作を行なう。
【０２５１】
かかるシフト操作により、発光素子アレイユニット１Ｃの端部が位置<４>になれば適正でありそれ以上の補正は不要である。位置<５>、位置<６>の何れになったとしても発光量補正手段により、発光素子アレイユニット１Ｃによる書き込み範囲の端部に相当する発光素子の発光量を増加する補正により画像の濃淡を生じない状態に補正することができる。
【０２５２】
ケースＩＩＩ−３では制御部６０２は書き込み範囲シフト手段、発光量補正手段を具備する。現状が、発光素子アレイユニット１Ｂによる書き込み範囲に発光素子アレイユニット１Ｃによる書き込み範囲が重なるとき、或いは、実範囲が基準範囲の２倍以上のとき、つまり、発光素子アレイユニット１Ｃによる書き込み範囲の端部が位置<１>〜位置<２>にあるか、又は発光素子アレイユニット１Ｃによる書き込み範囲の端部が位置<６>〜位置<７>にあるときは、先ず書き込み範囲シフト手段により、両書き込み範囲が主走査方向で離間し、かつ、実間隔が基準間隔の２倍未満となるように、つまり、位置<３>〜位置<５>の範囲を狙いの範囲として、書き込み範囲シフト手段により発光素子アレイユニット１Ｃにおける発光素子の発光領域をシフトさせる。
【０２５３】
書き込み範囲シフト手段のシフト操作により、発光素子アレイユニット１Ｃによる書き込み範囲の端部が位置<４>になれば、適正でありそれ以上の補正は必要ない。実間隔＜基準間隔の関係、つまり発光素子アレイユニット１Ｂの端部が位置<３>なら発光量補正手段により発光素子アレイユニット１Ｃによる書き込み範囲の端部に相当する発光素子の発光量を減少する補正により画像の濃淡を生じない状態に補正することができる。上記と逆に実間隔＜基準間隔で、位置<５>なら発光量補正手段により発光素子アレイユニット１Ｃによる書き込み範囲の端部に相当する発光素子の発光量を増加する補正により画像の濃淡を生じない状態に補正することができる。
【０２５４】
前記各ケースにおいて、ケースＩ−１では、発光量補正手段の機能が発光量増加機能のみ有するもので構成した場合には、発光素子アレイユニットの継ぎ目における精度を現状欄に記載したように、両書き込み範囲が離れていて、かつ、実間隔＞基準間隔に収めることができさえすれば、良好な状態に補正できることとなる。
【０２５５】
同様に、ケースＩ−２では、発光量補正手段の機能が発光量減少機能のみ有するもので構成した場合には、発光素子アレイユニットの継ぎ目における精度を現状欄に記載したように、両書き込み範囲が離れていて、かつ、実間隔＜基準間隔に収めることができさえすれば、良好な状態に補正できることとなる。特に、発光量減少による補正は発光レベルを下げるだけでよいので発光量を増加させる例に比べて実施が容易で実現性が高い。ケースＩＩ−１、ＩＩ−２の場合はシフト操作のみで補正することができ、発光量の補正の手段を伴わない点で構成が簡易であり、実施も容易である。
【０２５６】
ケースＩＩＩは何れも、発光量補正手段と、書き込み範囲シフト手段を備えた光書き込み装置であるので、製造後、実際に装置を駆動する段階での光書き込み調整において、誤差の状況に応じた柔軟な補正操作が可能となる。
【０２５７】
また、各発光素子アレイユニットの継ぎ目で感光体に対する主走査方向の露光量が均一になるように発光素子アレイユニットの継ぎ目部に位置する発光素子の発光状態を調節する操作として、継ぎ目部で接続された各発光素子アレイユニットによる各書き込み範囲について実間隔との間にずれがある場合に、前記各発光素子アレイユニットの少なくとも一方による書き込み範囲を前記発光素子単位でシフトさせることにより前記ずれの量を狭めた後、さらに残余のずれがあるときに、この残余のずれによる前記露光量の不均一が解消されるように、前記継ぎ目部で接続された各発光素子アレイユニットの少なくとも一方の端部に位置する発光素子の発光量を変えることにより調節することができ、シフト操作による補正と発光量を変える補正の２段階補正により各発光素子アレイユニットの継ぎ目部
で感光体に対する主走査方向の露光量を均一とする高度な補正が可能となる。
【０２５８】
さらに、ケースＩＩＩのうち、ケースＩＩＩ−１、ＩＩＩ−２は何れも書き込み範囲シフト手段と発光量補正手段を合わせもつ場合であるが、ＩＩＩ−１はシフト操作ののち、残余のずれを発光量補正手段の発光量減少機能により補正するという２段階補正により、現状のずれがかなり大きくても高度な補正が可能である。さらに、現状を、両書き込み範囲が重なっていてかつ、実間隔＞基準間隔のように意図的に製作し、先ず、書き込み範囲シフト手段により両書き込み範囲が主操作方向で離間していてかつ、実間隔≦基準間隔となるようにシフトさせ、さらに残余のずれがある場合に発光量補正手段により上記残余のずれによる露光量の不均一が解消されるように各発光素子アレイユニットの少なくとも一方の端部に相当する発光素子の発光量を減少補正をすることができ、狙いの補正範囲を発
光量減少補正により補正し得る傾向にシフトさせてから補正するのであるから、確実に精度のよい補正が実現されるとともに、発光素子については発光量減少操作が容易であることから、実施が容易である。
ＩＩＩ−２は、シフト操作の後、残余のずれを発光量補正手段の発光量減少増加により補正するという２段階補正により、現状のずれがかなり大きくても高度な補正が可能である。
【０２５９】
ケースＩＩＩ−３の場合は、書き込み範囲シフト手段と発光量補正手段を合わせ有し、発光量補正手段については発光量減少及び増加機能を有するので、現状に広範なずれがあっても、シフトにより狙いの範囲に収め、その後の発光量補正により高度な補正が可能である。
【０２６０】
なお、上述の書き込み範囲のシフト処理は、継ぎ目部で接続された各発光素子アレイユニットのいずれか一方の書き込み範囲をシフトさせるようにしても良いし、両方の発光素子アレイユニットの書き込み範囲をそれぞれシフトさせるようにしてもよいが、いずれか一方の書き込み範囲をシフトさせる制御でも実用上は十分に対処でき、両方の発光素子アレイユニットの書き込み範囲をそれぞれシフトさせる場合に比べて制御システムも簡単となる。
【０２６１】
ケースＩ、ＩＩＩにおける、発光量補正手段による発光量の補正について前記継ぎ目部側の書き込み範囲の端部に対応する発光素子の照射光量を調整するには、その発光素子の発光パワーを増減させるように調整してもよいし、発光Ｄｕｔｙ（発光時間）を増減させるように調整してもよい。
【０２６２】
発光素子の発光パワーを増減させるように調整する場合には、パワーの変動能力を有する発光素子を用いねばならならず、場合によっては特殊な発光素子を必要とするものの、発光Ｄｕｔｙ（発光時間）を増減する場合と比べて、発光時間の制御に伴う時間ロスがない。また、発光Ｄｕｔｙ（発光時間）を増減させるように調整する場合には、発光素子の発光パワーを増減させるように調整する場合と比べて、パワー能力を有する発光素子を用いることなく、通常の発光素子を使用できるので実施が比較的簡便であるが、発光時間の制御に伴う時間ロスがある。
［５］第５の実施の形態
本実施の形態は主として請求項３８に記載の発明に対応する。  
これまで説明した各実施の形態例における発光素子アレイユニットによる光書き込み装置は、以下の図３４に説明するデジタル式の画像形成装置の光書き込み装置に適用することができる。
【０２６３】
画像形成装置６００は、画像形成のための機械的な構成にかかる画像形成部６０１と、電気的な処理を行なうための構成からなる制御部６０２とからなり、記憶された情報を転写紙に複写するための一連のプロセスを実行する。画像形成部６０１は画像の形成を行なうプリンタ機能部分の他に、原稿を読み取って電気的な信号に置きかえる原稿読み取り装置を包含した構成とすることもできるし、該原稿読み取り装置を画像形成部とは別体の装置として構成し読み取った画像信号を回線を通じて制御部６０２に入力するようにすることもできる。本例では、画像形成部６０１とは別体の原稿読み取り装置６０３を設けた例を示している。
【０２６４】
画像形成部６０１は、光書き込み装置９０のほか、制御部６０２に入力を行なう操作手段として、キー入力を可能とする操作装置６０４を有している。そのほか、画像形成部６０１は、画像形成のための諸部材を有し、これらの諸部材が駆動されて画像形成にかかる諸プロセスが行なわれる。これら諸部材としては、例えば、後述する感光体１０、現像手段４４０、転写搬送ベルト４５０等の駆動源が含まれ、これらを一括して駆動装置と称し符号６０５で示した。
【０２６５】
以下、画像形成部６０１の構成について説明する。図３４において、周面に感光体を具備した感光体１０のまわりには、矢印で示す時計回りの向きの回転方向順に、帯電ローラからなる帯電装置４２０、光書き込み装置９０を構成する発光素子アレイユニット１Ｂ（１Ｂ'、１Ｂ"、１１Ｂ）、１Ｃ（１Ａ、１Ａ'、１Ａ"、１Ｃ'、１Ｃ"、１１Ａ）が配置され、さらに、現像ローラ４４０ａを具備した現像手段４４０、記録媒体Ｐとしての転写紙を保持して搬送する転写搬送ベルト４５０、感光体ドラム１０の周面に摺接するブレード４６０ａを具備したクリーニング装置４６０などが配置されている。感光体ドラム１０上であって帯電装置４２０と現像ローラ４４０ａとの間の位置には光書き込み装置９０からの露光光が走査されるようになっている。
【０２６６】
転写搬送ベルト４５０は無端状のベルトであって、２つの支持ローラ４５０ａ、４５０ｂに支持されている。これら支持ローラ４５０ａ、４５０ｂにより支持された転写搬送ベルト４５０の中間の位置には感光体ドラム１０の下面が接している。この接している部位が転写部４７０であり、この転写部４７０における転写搬送ベルト４５０の裏側には転写バイアスを印加する転写手段としての転写ローラ４８０が設けられている。
【０２６７】
転写搬送ベルト４５０は矢印で示すように反時計回りの向きに回転駆動されるようになっている。該転写搬送ベルト４５０の上側、ベルト部の上流端のさらに上流側の位置には一対のレジストローラ４９０が設けられている。このレジストローラ４９０に向けて、図示しない搬送ガイドに案内されて図示しない給紙トレイに収納された記録媒体Ｐがコロ５００から送り出されるようになっている。転写搬送ベルト４５０の上側ベルト部の下流端のさらに下流の位置には、定着装置５１０が配置されている。
【０２６８】
転写搬送ベルト４５０の上側ベルト部の上流端部において該転写搬送ベルト４５０を支持している支持ローラ４５０ａの上方には、該転写搬送ベルト４５０に当接するようにして吸着手段としてのブラシローラ２０００が矢印で示す時計回りの向きに回転駆動されるようにして設けられている。
【０２６９】
ブラシローラ２０００が回転すると、ブラシは転写搬送ベルト４５０に摺接する。このブラシローラ２０００には図示しないバイアス印加手段により、記録媒体Ｐを転写搬送ベルト４５０に吸着する極性のバイアス電流を印加するための電位が与えられるようになっている。
【０２７０】
この画像形成装置において、画像形成は次のようにして行われる。  
感光体ドラム１０が回転を始め、この回転中に感光体が暗中において帯電装置４２０により均一に帯電され、光書き込み装置からの光が露光部に照射、走査されて作成すべき画像に対応した潜像が形成される。この潜像は感光体ドラム１０の回転により現像装置４４０に至り、ここでトナーにより可視像化されてトナー像が形成される。
【０２７１】
一方、コロ５００により給紙トレイ上の記録媒体Ｐの送給が開始され、破線で示す搬送経路を経て一対のレジストローラ４９０の位置で一旦停止し、感光体ドラム１０上のトナー像と転写部４７０で合致するように送り出しのタイミングを待つ。かかる好適なタイミングが到来するとレジストローラ４９０に停止していた記録媒体Ｐはレジストローラ４９０から送り出される。
【０２７２】
レジストローラ４９０から送り出された記録媒体Ｐは転写搬送ベルト４５０とブラシローラ２０００との間にくわえられ、バイアスによる静電気力およびブラシの弾性力により押されて転写搬送ベルト４５０に吸着され、転写搬送ベルト４５０の移動と共に転写部４７０に向けて搬送される。
【０２７３】
感光体ドラム１０上のトナー像と記録媒体Ｐとは、転写部４７０で合致し、転写ローラ４８０により転写搬送ベルト４５０に印加されたバイアスと感光体との電位差から形成される電界により、トナー像は記録媒体Ｐ上に転写される。
【０２７４】
こうして感光体ドラム１０まわりの画像形成部でトナー像を担持した記録媒体Ｐは転写搬送ベルト４５０と共に搬送され、やがて該転写搬送ベルト４５０の上側部の下流端部で転写搬送ベルト４５０から分離されて定着装置５１０に向けて送り出される。記録媒体Ｐ上のトナー像は定着装置５１０を通過する間に当該記録媒体Ｐに定着されて図示省略の排紙部に排紙される。
【０２７５】
一方、転写部４７０で転写されずに感光体上に残った残留トナーは感光体ドラム１０の回転と共にクリーニング装置４６０に至り、該クリーニング装置４６０を通過する間に清掃されて次の画像形成に備えられる。
【０２７６】
本発明によれば、このような画像形成装置において、短尺の基板だけを用いて実質的に１つの基板を構成した光源部を有する発光素子アレイユニットを用いた光書き込み装置により、他の光書き込み装置、例えばレーザー装置に比べてコンパクトな装置構成により、広幅な画像を書き込むことができ、広幅の記録を可能にする。よって、画像形成装置も広幅画像の形成が可能であるにも拘わらず、コンパクトな構成とすることができる。
【０２７７】
なお、本発明における光書き込み装置は、上記構成の画像形成装置に限らず、光書き込みを行ない画像形成を行なう、複写機、プリンター、ファクシミリ、マイクロフィルムリーダプリンター等に広く適用可能である。
【０２７８】
これらの画像形成装置では、記録媒体Ｐとして前記のように給紙トレイ上に規格サイズのカット紙を積載した構成とすることができるほか、ロール状に巻かれたロール紙を用い、このロール紙から引き出された紙を所要の長さに切断して使用する給紙方式を採用することもできる。
［６］第６の実施の形態
図３４では、画像形成装置６００のうち、機械的な構成である画像形成部６０１を主として説明したが、以下では、原稿読み取り装置６０３による原稿の読み取りから、この読み取られた画像情報を処理して光書き込み装置９０を発光させるまでの読み取り情報の電気的な加工、処理を主体に、制御部６０２における書き込み時間遅延処理や発光量補正処理、書き込み範囲シフト処理などについて説明する。
６−ａ．制御部の全体構成及び発光素子アレイユニットに対する基本的な書き込み制御内容・書き込み時間遅延処理
図３４における画像形成のためのシステムの内容を画像情報を処理するシステムの観点で表現した図３５において、原稿読み取り装置６０３は原稿を読み取る機械的な構成部分である原稿読み取り部６０３Ａと読み取った画像情報を処理する画像処理部６０３Ｂからなる。
【０２７９】
図３５において、原稿を読み取る読み取り手段としての構成を具備した原稿読み取り部６０３Ａについて説明する。オペレータが原稿を挿入口６０３Ａ１から挿入すると、原稿は、ローラ６０３Ａ２の回転に応じてコンタクトガラス６０３Ａ３の上面を搬送される。
【０２８０】
搬送中の原稿には、蛍光灯６０３Ａ４からの光が照射され、その反射光はレンズ６０３Ａ５を介して撮像素子（以下ＣＣＤという）６０３Ａ６上に結像され、原稿情報が読み取られる。
【０２８１】
ＣＣＤ  ６０３Ａ６上に結像した原稿画像は電気信号に変換され、このアナログ信号は、画像処理部６０３Ｂの同期制御回路Ｂ５から出力されるクロックに同期して出力され、画像増幅回路Ｂ１で増幅される。増幅されたアナログ画像信号はＡ／Ｄ変換回路Ｂ２で画素毎の多値デジタル画像信号に変換され、シェーデング補正回路Ｂ３に出力される。
【０２８２】
シェーデング補正回路Ｂ３に入力された画素毎の多値デジタル画像信号は、光量ムラ、コンタクトガラス  ６０３Ａ３の汚れ、ＣＣＤ  ６０３Ａ６の感度ムラ等による歪が補正される。この補正されたデジタル画像情報は、画像処理回路Ｂ４でデジタル記録画像情報に変換された後、制御部６０２へ出力される。
【０２８３】
ここで、制御部６０２は、読み取られた原稿情報を記憶する記憶手段としての画像情報記憶装置６０２Ａ１と、発光素子ヘッド制御回路８９への入力を整える複写回路６０２Ａ２とからなり、画像情報記憶装置６０２Ａ１は画像ページメモリ部６０２Ａ１＿１と、データ情報を制御するシステム制御装置６０２Ａ１＿２を有している。複写回路６０２Ａ２は発光素子書き込み制御回路６０２Ａ２＿１とプリンター駆動制御回路６０２Ａ２−２とからなる。
【０２８４】
画像処理回路Ｂ４の出力は、画像ページメモリ部６０２Ａ１＿１へ入力されて書き込まれる。この画像ページメモリ部６０２Ａ１＿１に書き込まれた画像信号は、適宜読み出されて複写回路６０２Ａ２へ出力されさらに、発光素子書き込み制御回路６０２Ａ２＿１を介して発光素子ヘッド制御回路８９に出力され、発光素子アレイユニット１Ａ、１Ｂ、１Ｃを赤外光で発光させる。
【０２８５】
読み取り制御回路Ｂ６は、システム制御装置６０２Ａ１＿２との間で情報の授受を行ない、同期制御回路Ｂ５や画像増幅回路Ｂ１へ信号を送り、画像処理部６０３Ｂからの出力を制御する。
【０２８６】
操作装置６０４について図３５、図３６を参照しながら説明する。操作装置６０４は、操作パネル６０４Ａと操作制御回路６０４Ｂとで構成される。操作パネル６０４Ａには、各種機能を指定するキー、例えば用紙サイズキー、テンキー、スタートキー、モードクリアキー、ストップキー、濃度調整キー、画質調整キー、変倍キー、及びコピー枚数、変倍率等を表示するディスプレー、原稿挿入可表示が備わっている。操作制御回路６０４Ｂは説明を省略する。
【０２８７】
図３７を参照して全体の画像データの流れを説明する。画像データの流れは、画像ページメモリ部６０２Ａ１＿１からイーブン（Ｅ）：２ｂｉｔ、オッド（Ｏ）：２ｂｉｔの画像データが２ラインパラレルの２５ＭＨｚで発光素子書き込み制御回路６０２Ａ２＿１に送られてくる。
【０２８８】
発光素子書き込み制御回路６０２Ａ２＿１に２ラインで送られてきた画像データは、当該発光素子書き込み制御回路６０２Ａ２＿１内部で一旦、１ラインに合成された後、各々の発光素子アレイユニット１Ａ、１Ｂ、１Ｃのそれぞれについて、２分割で全体として６分割され、更に２ｂｉｔが５ｂｉｔに変換されて、９．５ＭＨｚで発光素子ヘッド駆動回路８９（図３５参照、図３７では図示省略）に転送され、発光素子アレイユニット１Ａ（１Ｂ、１Ｃ）の発光素子を発光させる。
【０２８９】
図３８、図３９を参照して発光素子書き込み制御回路６０２Ａ２＿１の各ブロック説明を行う。図３８と図３９とで一つの発光素子書き込み制御回路６０２Ａ２＿１を示す。図３８に示した情報ラインは※１ないし※７は、図３９に示した情報ライン※１ないし※７とそれぞれ繋がるものとする。
【０２９０】
［画像データ入力部］について説明する。  
画像データイーブン（Ｅ）：２ｂｉｔ、オッド（Ｏ）：２ｂｉｔ及びタイミング信号は、画像ページメモリ部６０２Ａ１＿１より低電圧作動信号素子ＬＶＤＳドライバーを使用しパラレルからシリアルに変換され、発光素子書き込み制御回路６０２Ａ２＿１に２５ＭＨｚで送られてくる。
【０２９１】
このため、発光素子書き込み制御回路６０２Ａ２＿１でも画像データ入力部（ＬＶＤＳレシーバ）７１２を使用し、シリアル信号からパラレル信号に変換し、ＰＫＤＥ（１．．０）・ＰＫＤＯ（１．．０）・ＸＰＣＬＫ・ＸＰＬＳＹＮＣ・ＸＰＬＧＡＴＥ・ＸＰＦＧＡＴＥ＿ＩＰＵとして第１ＩＣ回路７１３に入力する。タイミング信号のＸＰＬＳＹＮＣとＸＰＦＧＡＴＥ＿ＩＰＵは第１ＩＣ回路７１３の処理時間分遅らせ、ＲＬＳＹＮＣ、ＲＦＧＡＴＥとして第２ＩＣ回路７１４に入力される。
【０２９２】
画像データを格納する画像データＲＡＭ部について説明する。画像データＲＡＭ部は、Ａ群とＢ群に分けてあり、Ａ群には記憶素子としてのＳＲＡＭ１〜ＳＲＡＭ６、Ｂ群にも記憶素子としてのＳＲＡＭ１〜ＳＲＡＭ６が配置されている。Ａ群のＳＲＡＭ１〜ＳＲＡＭ６については符号５１４Ａ＿１〜５１４Ａ＿６で示し、Ｂ群のＳＲＡＭ１〜ＳＲＡＭ６については、符号５１４Ｂ＿１〜５１４Ｂ＿６で示す。
【０２９３】
第１ＩＣ回路７１３に入力された画像データは、ＥＤ（１．．０）、ＯＤ（１．．０）としてＳＲＡＭアドレス信号ＡＡＤＲ（１０．．０）及びＢＡＤＲ（１０．．０）と共にＡ群のＳＲＡＭ１〜ＳＬＡＭ６（符号５１４Ａ＿１〜５１４Ａ＿６が対応）、Ｂ群のＳＲＡＭ１〜ＳＬＡＭ６（符号５１４Ｂ＿１〜５１４Ｂ＿６が対応）に２５ＭＨｚで出力される。
【０２９４】
発光素子アレイユニット１Ａ、１Ｂ、１Ｃは、総ｄｏｔ数２３０４０ｄｏｔ（Ａ３幅７６８０ｄｏｔ×３本）でデータ転送が６分割（１本／２分割×３本）方式のため、Ａ３幅発光素子アレイユニット１本の１分割分である３８４０ｄｏｔ（７６８０ｄｏｔ／２分割）毎に、Ａ群としてＳＲＡＭ１〜ＳＬＡＭ６（符号５１４Ａ＿１〜５１４Ａ＿６が対応）の６個を設け、２ｄｏｔ（ＥＤ：２ｂｉｔ、ＯＤ：２ｂｉｔ）分の画像データを４ｂｉｔとして１アドレスに割り当て、主走査１ライン分の画像データをＡ群のＳＲＡＭ１    ５１４Ａ＿１に発光素子アレイユニット１Ａの１分割目の画像データ、ＳＲＡＭ２    ５１４Ａ＿２に発光素子アレイユニット１Ａの２分割目の画像データ、ＳＲＡＭ３    ５１４Ａ＿３に発光素子アレイユニット１Ｂの１分割目の画像データ、ＳＲＡＭ４    ５１４Ａ
４に発光素子アレイユニット１Ｂ    ５０３＿２の２分割目の画像データ、ＳＲＡＭ５    ５１４Ａ＿５に発光素子アレイユニット１Ｃの１分割目の画像データ、ＳＲＡＭ６    ５１４Ａ＿６に発光素子アレイユニット１Ｃの２分割目の画像データを格納する。
【０２９５】
２５ＭＨｚでＡ群ＳＲＡＭ６個（符号５１４Ａ＿１〜５１４Ａ＿６が対応）に順次格納された画像データは４．７５ＭＨｚでＡ群ＳＲＡＭ６個（符号５１４Ａ＿１〜５１４Ａ＿６が対応）から同時に読み出され、ＳＲＡＭ１    ５１４Ａ＿１、ＳＲＡＭ２    ５１４Ａ＿２から読み出された発光素子アレイユニット１Ａの画像データは第２ＩＣ回路７１４へＳＯＤＡ１（３．．０）、ＳＯＤＡ２（３．．０）、ＳＯＤＢ１（３．．０）、ＳＯＤＢ２（３．．０）として入力される。
【０２９６】
同様に、ＳＲＡＭ３    ５１４Ａ＿３、ＳＲＡＭ４    ５１４Ａ＿４から読み出された発光素子ヘッド２    ５０３＿２の画像データ及び、ＳＲＡＭ５    ５１４Ａ＿５、ＳＲＡＭ６    ５１４Ａ＿６から読み出された発光素子ヘッド３  ５０３＿３の画像データは画像遅延メモリ部のフィールドメモリ    ５１５＿１〜５１５＿３に送られる。
【０２９７】
Ａ群の６個のＳＲＡＭ１〜ＳＬＡＭ６（符号５１４Ａ＿１〜５１４Ａ＿６が対応）が読み出しを行っている間に、次のラインをＢ群の符号５１４Ｂ＿１〜５１４Ｂ＿６で示す６個のＳＲＡＭ１〜ＳＬＡＭ６に前記Ａ群におけると同様に画像データを格納する。
【０２９８】
このリード、ライト動作をＡ郡のＳＲＡＭ６個（符号５１４Ａ＿１〜５１４Ａ＿６が対応）、Ｂ郡のＳＲＡＭ６個（符号５１４Ｂ＿１〜５１４Ｂ＿６が対応）をトグル動作させることによりライン間の繋ぎを行う。
【０２９９】
［画像遅延メモリ部］について説明する。  
（１）．発光素子アレイユニット１Ｂについての画像データの遅延処理  図３７、図４８（ｂ）において、本例では、Ａ３幅の画像形成を可能にするため、発光素子アレイユニット１Ａ、１Ｂ、１Ｃの３本を千鳥配置している。発光素子アレイユニット１Ａと発光素子アレイユニット１Ｂとの位置関係については、発光素子アレイユニット１Ａをを基準とし、発光素子アレイユニット１Ｂはメカレイアウト上、感光体ドラム１０の回転方向に相当する副走査方向に７ｍｍずらして取り付けている。
【０３００】
このため、図３８、図３９におけるＡ郡の６個のＳＲＡＭ１〜ＳＬＡＭ６（符号５１４Ａ＿１〜５１４Ａ＿６が対応）、Ｂ郡の６個のＳＲＡＭ１〜ＳＬＡＭ６（符号５１４Ｂ＿１〜５１４Ｂ＿６が対応）から出力された画像データを同時に処理し、発光素子アレイユニット１Ｂへ転送すると発光素子アレイユニット１Ａに対して発光素子アレイユニット１Ｂは副走査方向に７ｍｍ（７ｍｍ／４２．３μｍ（６００ｄｐｉの１ｄｏｔ）＝１６５ライン）ずれて印字してしまう。
【０３０１】
この空間的なずれを補正するため、４．７５ＭＨｚでＡ群のＳＲＡＭ３、ＳＬＡＭ４（符号５１４Ａ＿３、５１４Ａ＿４が対応）、Ｂ群のＳＲＡＭ３、ＳＬＡＭ４（符号５１４Ｂ＿３、５１４Ｂ＿４が対応）から出力された発光素子アレイユニット１Ｂの２分割分の画像データ（各４ｂｉｔ）を、８ｂｉｔの画像データとして画像遅延メモリ部のフィールドメモリ    ５１５＿１に転送ライン順に４．７５ＭＨｚで１００ライン（固定）書き込む。
【０３０２】
書き込まれた順に４．７５ＭＨｚでフィールドメモリ    ５１５＿１より画像データを読み出すと同時に、カスケード接続されたフィールドメモリ    ５１５＿２に６５ライン（可変）書き込む。書き込まれた順に４．７５ＭＨｚでフィールドメモリ    ５１５＿２より画像データを読み出し、ＦＭＯＤ２（７．．０）として、第２ＩＣ回路７１４へ入力する。
【０３０３】
これにより発光素子アレイユニット１Ｂの画像データは、１６５ライン（７ｍｍ）遅延された事になる。遅延させるライン数は発光素子アレイユニット１Ｂの部品制度、組付のバラツキにより個々に異なるため、１ライン（４２．３μｍ）単位で  の制御が可能である。
（２）発光素子アレイユニット１Ｃについての画像データの遅延処理
図３７、図４８（ｂ）において、本例では、Ａ３幅の画像形成を可能にするため、発光素子アレイユニット１Ａ、１Ｂ、１Ｃの３本を千鳥配置している。発光素子アレイユニット１Ａと発光素子アレイユニット１Ｃとの位置関係については、発光素子アレイユニット１Ａを基準とすると、発光素子アレイユニット１Ｃはメカレイアウト上、副走査方向に１ｍｍずらして取り付けている。
【０３０４】
このため、Ａ郡の６個のＳＲＡＭ１〜ＳＬＡＭ６（符号５１４Ａ＿１〜５１４Ａ＿６が）、Ｂ郡のＳＲＡＭ１〜ＳＬＡＭ６（符号５１４Ｂ＿１〜５１４Ｂ＿６が対応）から出力されたデータを同時に処理し、発光素子アレイユニット１Ｃへ転送すると発光素子アレイユニット１Ａに対して発光素子アレイユニット１Ｃは副走査方向に１ｍｍ（７ｍｍ／４２．３μｍ（６００ｄｐｉに１ｄｏｔ）＝２３ライン）ずれて印字してしまう。
【０３０５】
この空間的なずれを補正するため、４．７５ＭＨｚでＡ群のＳＲＡＭ５、ＳＬＡＭ６（符号５１４Ａ＿５、５１４Ａ＿６が対応）、Ｂ群のＳＲＡＭ５、ＳＬＡＭ６（符号５１４Ｂ＿５、５１４Ｂ＿６が対応）から出力された発光素子アレイユニット１Ｂの２分割分の画像データ（各４ｂｉｔ）を、８ｂｉｔの画像データとしてフィールドメモリ    ５１５＿３に転送ライン順に４．７５ＭＨｚで２３ライン（可変）書き込む。
【０３０６】
書き込まれた順に４．７５ＭＨｚでフィールドメモリ    ５１５＿３より画像データを読み出し、ＦＭＯＤ３（７．．０）として第２ＩＣ回路７１４へ入力する。これにより、発光素子アレイユニット１Ｃの画像データは２３ライン（１ｍｍ）遅延されたことになる。
【０３０７】
遅延させるライン数はＬ発光素子アレイユニット１Ｃの部品精度、組付のバラツキにより個々に異なるため、１ライン（４２．３μｍ）単位での制御が可能である。
【０３０８】
［光量補正ＲＯＭ部］について説明する。  
図３８、図３９において、発光素子アレイユニット１Ａ〜１Ｃには各発光素子の発光量のバラツキを補正するために発光素子毎に５ｂｉｔの補正データ及び発光素子１９２個おきに発光素子アレイチップ補正データの入った光量補正ＲＯＭ    ５１６＿１、５１６＿２、５１６＿３が有り、電源投入時、光量バラツキ補正データを各発光素子アレイユニット１Ａ、１Ｂ、１Ｃに転送する。
【０３０９】
先ず、電源投入時及び発光素子書き込み制御回路６０２Ａ２＿１がリセットした後、最初に発光素子アレイユニット１Ｃの光量補正ＲＯＭ    ５１６＿１より第２ＩＣ回路７１４からのアドレス信号ＨＯＳＥＩＡＤＲ（１２．．０）により００００Ｈより順番に読み出され光量補正データはＨＯＳＥＩＤ（４．．０）として、第２ＩＣ回路７１４に入力される。
【０３１０】
第２ＩＣ回路７１４内部にて、００００ｈ（１ｄｏｔ目の補正データ）のデータをラッチし、０００１ｈ（３８４１ｄｏｔ目の補正データ）のデータと同時に発光素子アレイユニット１Ａへ９．５ＭＨｚで並列転送される。この処理を１Ｅ２８ｈ（７７２０個の補正データ）まで繰り返し発光素子アレイユニット１Ａの発光量補正を行う。
【０３１１】
発光素子アレイユニット１Ａの補正データ転送終了後、発光素子アレイユニット１Ａと同様に順次、発光素子アレイユニット１Ｂ、発光素子アレイユニット１Ｃの発光量補正を行う。
【０３１２】
転送した発光量補正データは、発光素子アレイユニット１Ａ、１Ｂ、１Ｃの電源をＯＦＦしない限り、発光素子アレイユニット１Ａ、１Ｂ、１Ｃ内部にて補正データが保持される構成となっている。
【０３１３】
［ダブルコピーＲＡＭ部］について説明する。  
図３８において、ダブルコピーＲＡＭ部  ５１３は、主走査方向最大４２０ｍｍ（Ａ２縦サイズ）までの画像を、最大８４１ｍｍ（Ａ０縦サイズ）の用紙に同じ画像を並べて２回印字しコピー、プリンターの生産性を２倍にする機能を有するものである。
【０３１４】
ダブルコピー時、画像ページメモリ部    ６０２Ａ１＿１からの画像データ（Ｅ［１．．０］、Ｏ［１．．０］）は、ＸＰＬＳＹＮＣは１／２以下で発光素子書き込み制御回路  ６０２Ａ２＿１に転送されてくる。これを利用し一つのＸＰＬＳＹＮＣの中で、画像データのダビング操作を行う構成としている。
【０３１５】
画像ページメモリ部  ６０２Ａ１＿１から２５ＭＨｚで送られてきた画像データ（Ｅ［１．．０］、Ｏ［１．．０］）は第１ＩＣ回路７１３よりＥＤＷ（１．．０）、ＯＤＷ（１．．０）としてダブルコピーＳＲＡＭ    ５１３にアドレス信号ＷＡＤＲ（１３．．０）と共に出力され、ダブルコピーＳＲＡＭ    ５１３に画像データを格納すると同時に、画像データＲＡＭ部のＡ群の６個のＳＲＡＭ１〜ＳＬＡＭ６（符号５１４Ａ＿１〜５１４Ａ＿６が対応）に格納する。
【０３１６】
画像ページメモリ部    ６０２Ａ１＿２からの画像データ格納終了と同時にダブルコピーＳＲＡＭ    ５１３に格納した画像データを読み出し第１ＩＣ回路７１３に取り込み、画像ページメモリ部６０２Ａ１＿１から送られてきた画像データと同様にＡ群の６個のＳＲＡＭ１〜ＳＬＡＭ６（符号５１４Ａ＿１〜５１４Ａ＿６が対応）に追加読み込みさせる。これによりＡ群の６個のＳＲＡＭ１〜ＳＬＡＭ６（符号５１４Ａ＿１〜５１４Ａ＿６が対応）には、ダブルコピー画像主走査１ライン分が格納されたことになる。この動作をＡ群の６個のＳＲＡＭ１〜ＳＬＡＭ６（符号５５１４Ａ＿１〜５１４Ａ＿６が対応）、Ｂ群の６個のＳＲＡＭ１〜ＳＬＡＭ６（符号５１４Ｂ＿１〜５１４Ｂ＿６が対応）をトグルさせることにより、ライン間の繋ぎを行う。
【０３１７】
［画像データ出力部］について説明する。  
第２ＩＣ回路７１４に入力された２ライン画像データＬＰＨ１〜３（符号５０３＿１  〜５０３＿３が対応）は第２ＩＣ回路７１４内部にて１ラインに合成される。次に１ラインに合成された画像データは、２ｂｉｔデータから５ｂｉｔデータにｂｉｔ変換され最終段として、発光素子アレイユニット１Ａの１分割目の画像データはＤ１Ａ（４．．０）、２分割目の画像データはＤ１Ｂ（４．．０）、発光素子アレイユニット１Ｂの１分割目の画像データはＤ２Ａ（４．．０）、２分割目の画像データはＤ２Ｂ（４．．０）、発光素子アレイユニット１Ｃの１分割目の画像データはＤ３Ａ（４．．０）、２分割目の画像データはＤ３Ｂ（４．．０）として第２ＩＣ回路７１４からタイミング信号と共に出力され、ドライバ      ５１９を介し、各発光素子アレイユニット１Ａ、１Ｂ、１Ｃ（５０３＿
１〜５０３＿３）に９．５ＭＨｚのスピードで転送される。
【０３１８】
［ダウンロード部］について説明する。  
第１ＩＣ回路７１３、第２ＩＣ回路７１４はＳＲＡＭタイプの書き換え可能なＩＣ回路であるため、電源オフにより、第１ＩＣ回路７１３、第２ＩＣ回路７１４内部の書き込み制御プログラムが全て消去される。そのため電源オン時、メモリとしてのＥＰＲＯＭ    ５１７よりプログラムのダウンロード（コンフィギュレーション）が毎回行われる。
【０３１９】
電源が投入されると、第１ＩＣ回路７１３にＥＰＲＯＭ    ５１７よりＤＯＷＮＲＯＡＤ＿第１ＩＣ回路７１３としてプログラムをシリアルデータで転送しダウンロードを行い第１ＩＣ回路７１３にダウンロードが終了すると同時に、第２ＩＣ回路７１４にＥＰＲＯＭ    ５１７よりＤＯＷＮＲＯＡＤ＿ＣＰＬＤ２としてプログラムをシリアルデータで転送し、プログラムがダウンロードされる。
【０３２０】
［リセット回路部］について説明する。  
電源オン時及び発光素子ヘッド制御回路８９（図３５参照）の供給電源の電圧降下によりリセットＩＣ    ５１８よりシステムリセット信号ＲＥＳＥＴ＿ＣＰＬＤ１及びＲＥＳＥＴ＿ＣＰＬＤ２が出力される。システムリセット信号ＲＥＳＥＴ＿ＣＰＬＤ１は第１ＩＣ回路７１３に、システムリセット信号ＲＥＳＥＴ＿ＣＰＬＤ２は第２ＩＣ回路７１４にそれぞれ入力され、これを基に第１ＩＣ回路７１３及び第２ＩＣ回路７１４内部のカウンターのリセットを行いシステムの初期化をする。
【０３２１】
［条件設定部］について説明する。  
図３５に示した発光素子ヘッド制御回路    ８９への書き込み条件設定（ダブルコピーの有無、書き込み用紙サイズｅｔｃ．）はプリンター駆動制御回路６０２Ａ２＿２からの制御信号入力ＬＤＡＴＡ（７．．０）、ＬＡＤＲ（６．．０）、ＶＤＢＣＳ、ＸＰＦＧＡＴＥ＿ＩＯＢ、ＸＰＳＧＡＴＥ、ＸＴＬＧＡＴＥを第１ＩＣ回路７１３、第２ＩＣ回路７１４に入力することにより、制御される。
【０３２２】
図４０で第１ＩＣ回路７１３、図４１で第２ＩＣ回路７１４の中の詳細説明を行うが、その前に図４２、図４３で発光素子アレイユニット内部の説明をする。先ず、図４２を参照して発光素子アレイユニット１Ａ、１Ｂ、１Ｃ中の任意の一つ、発光素子アレイユニット１Ａについて説明する。
【０３２３】
発光素子アレイユニットは内部で発光素子アレイ    ５３０＿１〜５３０＿４０の１９２個単位で４０分割され、矢視Ａで示す主走査方向に等間隔に配置されている。各々の発光素子ＢｂにはＩＣによるドライバ    ５３１＿１〜５３１＿４０がそれぞれ接続されている。
【０３２４】
ドライバ    ５３０＿１〜５３０＿４０の各ドットに対応する画像データ及び発光素子をその時間だけ点灯させるストローブ信号（以下、ＳＴＢという）、データ転送用のクロック（ＣＬＫ）、データをクリアするためのリセット（ＲＳＴ）信号、発光素子全体の明るさを設定する発光光量信号（以下、Ｖｒｅｆ信号という）などが入力信号として接続される。
【０３２５】
光書き込み装置９０（図３５参照）に転送されてきた画像データは、まず発光素子ヘッド制御回路    ８９を介し各発光素子アレイユニット１Ａの各発光素子Ｂｂに対応したドライバ    ５３１＿１〜５３１＿４０の何れかに入力される。次にＲＳＴ信号により前の画像データがクリアされ、ＳＴＢ信号により画像データに対応した発光素子Ｂｂが点灯し、感光体ドラム１０の表面、つまり感光体上に潜像を形成する。
【０３２６】
図４３を参照して図４２におけるドライバ    ５３１＿１〜５３１＿４０の一つのドライバ５３１＿１の内部回路及び発光素子回路について説明する。  
発光素子の例としてのＬＥＤ１〜ＬＥＤ１９２はカソードコモンでＧＮＤに接続され、アノードはドライバ    ５３１＿１内部のトランジスタ  ５３５＿１〜５３５＿１９２のエミッタに接続されている。トランジスタ    ５３５＿１〜５３５＿１９２の各コレクタはＶｃｃに全て接続されている。トランジスタ    ５３５＿１〜５３５＿１９２の各ベースは発光素子の電流を設定するアンプ    ５３６＿１〜５３６＿１９２の出力に接続されている。
【０３２７】
アンプ    ５３６＿１〜５３６＿１９２における各２つの入力の片方は共通で発光光量信号Ｖｒｅｆのラインと接続されている。もう一方はＡＮＤゲート    ５３７＿１〜５３７＿１９２の出力に接続されている。ＡＮＤゲート    ５３７＿１〜５３７＿１９２において、各２つの入力の片方は共通でＳＴＢ信号に接続されている。もう一方の端子は画像データに接続されている。
【０３２８】
図４０、図４１を参照して図３８、図３９の発光素子書き込み制御回路６０２Ａ２＿１における第１ＩＣ回路  ７１３と第２ＩＣ回路  ７１４について、内部回路の制御を説明をする。
【０３２９】
図４０において、第１ＩＣ回路７１３では、画像ページメモリ部  ６０２Ａ１＿１からの各２ビットイ−ブンデ−タ・オッドデ−タをＳＲＡＭに書き込み、読み出す制御を行う。またテストパタ−ンとのセレクタを可能としデ−タ転送に必要なゲ−ト信号を生成させている。
【０３３０】
図４１において、第２ＩＣ回路７１４では、第１ＩＣ回路７１３での制御によりＳＲＡＭ群に格納された２ビットイ−ブン・オッドデ−タを１ライン合成し更に２ビットデ−タを５ビットデ−タに変換して発光素子アレイユニット１Ａ、１Ｂ、１Ｃへ転送する制御を行う。
【０３３１】
以下に各ブロックにおける制御の詳細を述べる。  
図４０の第１ＩＣ回路７１３における入力デ−タ部・細線化部５２１についてその詳細を示した図４１により制御の説明をする。  
図４４（ａ）において、入力クロックＸＰＣＬＫに同期した２ビット単位のイ−ブンデ−タＰＫＥＤＩ・オッドデ−タＰＫＯＤＩを入力ＦＦ、２ｎｄＦＦ、３ｒｄＦＦ（符号５６０＿１〜３が対応）によりラッチさせ、任意の画素（以下、注目画素という）に対し前後のデ−タを組合わせ回路５６０＿１、５６０＿２に入力し、その出力を比較器６０９に入力する。比較器６０９より出力されたデ−タは、次段のＦＦマスク６１０に入力され、画像有効範囲信号の期間のみ出力するようマスクされる。マスクされたデ−タは、ＰＫＥＤＩ３、及びＰＫＯＤＩ３として出力される。
【０３３２】
上記制御を行うために操作装置６０４のキ−操作にて上記、注目画素を変換するモ−ドを選択することで画像ページメモリ部  ６０２Ａ１＿１より変換信号（細線化信号）が後述のレジスタ５３０に入力、出力され、本ブロックに入力される。
【０３３３】
図４０の第１ＩＣ回路７１３における信号セレクト部５４０について図４５（ａ）により制御の説明をする。  
図４５（ａ）において、信号セレクト部５４０は、入力クロック  ＸＰＣＬＫと内部回路に装備してある入力内部クロック  ＴＥＳＴ＿ＣＬＫと図４２（ｂ）にも示すレジスタ５３０からのＥＸＴＭＯＤ信号を入力し、セレクタ回路６２０によって選択し、次段ブロックのＳＲＡＭ書き込み制御部５２５に書き込みクロックＳＷＣＬＫを出力する。また、前記選択された書き込みクロックＳＷＣＬＫを内部ＬＳＹＮＣ生成回路６２２に入力して書き込み開始信号ＷＳＴＴＰを生成し、出力する。
【０３３４】
信号セレクト部５４０は、画像ページメモリ部  ６０２Ａ１＿１からの画像領域信号ＸＰＬＧＡＴＥをマスク領域設定部６２１に入力し、レジスタ画像マスクＩＳＲＥＧにより範囲を指定して画像有効範囲信号  ＰＬＧＡＴＥＩＳを出力してセレクタ６２５に入力し、書き込み開始信号ＷＳＴＴＰとの選択をレジスタＴＥＳＴＭＯＤにて行い主走査の書き込み開始信号ＷＲＳＴＡＲＴ信号を出力する。
【０３３５】
副走査のゲ−ト信号のセレクトは、画像ページメモリ部６０２Ａ１＿１より出力された画像期間信号ＸＰＦＧＡＴＥと内部ＬＳＹＮＣ同期回路  ６２３に同期したＩＯＢＦＧＡＴＥをセレクタ６２４に入力させ、レジスタＴＥＳＴＭＯＤ信号にて選択し、書き込み期間信号ＳＷＦＧＡＴＥを出力する。
【０３３６】
次に、内部ＬＳＹＮＣ生成回路  ６２２によって生成された書き込み開始信号ＷＳＴＴＰと画像ページメモリ部６０２Ａ１＿１より出力された主走査画素開始信号ＸＰＬＳＹＮＣをセレクタ６２６に入力し、図４５（ｂ）に示すレジスタ５３０からのＴＥＳＴＭＯＤ信号により選択し出力する。出力された信号をＳＹＳＣＬＫ同期回路６２７に入力させ、内部基準クロックＳＹＳＣＬＫと同期をはかり、読み出し主走査画像開始信号ＲＬＳＹＮＣを出力する。
【０３３７】
読み出し主走査画像開始信号ＲＬＳＹＮＣは、１ライン遅延回路６２８に入力され、選択された書き込み期間信号ＳＷＦＧＡＴＥと同期させ読み出し画像期間信号ＲＦＧＡＴＥを出力する。
【０３３８】
上記にて出力された各ゲ−ト信号は次段ブロックのＳＲＡＭ書き込み制御部５２５、ＳＬＡＭ読み出し制御部５２６及びブロック切換制御部５２４、ダブルコピ−制御５４５、テストパタ−ン発生制御部５２２へ転送される。
【０３３９】
図４０の第１ＩＣ回路７１３のテストパタ−ン発生制御部５２２について図４４（ｂ）により制御の説明をする。  
図４４（ｂ）において、図４０、図４５などに示した信号セレクト部５４０より生成された主走査書き込み開始信号ＷＳＴＴＰと副走査書き込み期間信号ＳＷＦＧＡＴＥを主走査カウンタ６３４、副走査カウンタ６３５に入力し、主走査カウンタ６３４によりＬＣＯＵＮＴ信号、副走査カウンタ６３５によりＦＣＯＵＮＴ信号をそれぞれ生成し、これらの信号を組み合わせ回路６３６＿１、組み合わせ回路６３６＿２に入力して、両者を組合わせることによりパタ−ンを生成する。
【０３４０】
生成された各々のパタ−ンはセレクタ６３７に入力され、レジスタ５３０からのパタ−ン選択によりセレクトされたデ−タ  ＴＰＤＡＴＡが出力される。出力されたデ−タ  ＴＰＤＡＴＡは２ビット変換器６３８に入力され、２ビットデ−タ  ＰＫＥＤＴＰ、ＰＫＯＤＴＰとして出力される。
【０３４１】
図４０の第１ＩＣ回路７１３の入力デ−タ部・細線化、テストパタ−ンセレクト部  ５２３について図４４（ｃ）により制御の説明をする。  
図４０、図４４（ａ）における入力デ−タ部・細線化部５２１から出力された２ビットイ−ブンデ−タ  ＰＫＥＤＩ３や、オッドデ−タ  ＰＫＯＤＩ３と、図４０におけるテストパタ−ン発生制御部５２２から出力されたテストパタ−ン２ビットイ−ブンデ−タ  ＰＫＥＤＴＰや、オッドデ−タ  ＰＫＯＤＴＰは図４４（ｃ）に示すセレクタ６３９に入力される。
【０３４２】
また、図３５における操作装置６０４により選択した条件が画像ページメモリ部６０２Ａ１＿１を経て信号として図４４（ｃ）に示すセレクタ６３９に入力される。セレクタ６３９は、図４０に示すレジスタ５３０より転送されたレジスタパタ−ン選択信号  ＴＥＳＴＭＯＤにより両者の選択をし図４４に示すように、デ−タ信号ＰＫＥＤ４、ＰＫＯＤ４を出力する。
【０３４３】
図４０の第１ＩＣ回路７１３のダブルコピ−制御部５４９について図４６により、制御及び信号発生のタイミングの説明をする。  
図４６において、入力クロック  ＸＰＣＬＫと図４０に示す信号セレクト部５４０からの書き込み開始信号  ＷＲＳＴＡＲＴ及び、レジスタ５３０からのダブルコピ−信号は、カウンタ生成回路６３０に入力され、レジスタ設定されたカウント分、入力クロック  ＸＰＣＬＫに同期したカウンタ信号として出力される。
出力された信号は、ＳＲＡＭ書き込み期間回路６３１とＳＲＡＭ読み出し期間回路６３２、セレクタ６３３に入力される。
【０３４４】
ＳＲＡＭ書き込み期間回路６３１には、前記カウンタ信号と、信号セレクト部５４０からの書き込み開始信号  ＷＲＳＴＡＲＴと、レジスタ５３０からのダブルコピ−信号が入力され、ダブルコピーＳＲＡＭ  ５１３への書き込み期間信号  ＷＣＰ＿ＷＥＮが出力される。
【０３４５】
ＳＲＡＭ読み出し期間回路６３２には、ダブルコピーＳＲＡＭ  ５１３への書き込み期間信号  ＷＣＰ＿ＷＥＮが入力され、該書き込み期間信号  ＷＣＰ＿ＷＥＮが終了後、ＳＲＡＭ読み出し期間信号ＷＣＰ＿ＲＥＮを発生させる。
【０３４６】
図４０に示すダブルコピー制御部５４９から図３８に示すダブルコピーＳＲＡＭ  ５１３へ出力される制御信号は、図４６に示すように、<１>書き込み信号ＷＲＷ、<２>読み出し信号ＲＤＷ、<３>カウンタＷＡＤＲからなる。
【０３４７】
図４６において、ＳＲＡＭ書き込み期間回路６３１より出力された書き込み期間信号ＷＣＰ＿ＷＥＮと、ＳＲＡＭ読み出し期間回路６３２より出力された読み出し期間信号ＷＣＰ＿ＲＥＮとが、組み合わせ回路６４０、反転回路６５１、セレクタ６３３に入力されることにより、これら組み合わせ回路６４０、反転回路６５１、セレクタ６３３において、上記<１>書き込み信号ＷＲＷ、<２>読み出し信号ＲＤＷ、<３>カウンタＷＡＤＲなどの信号として生成される。これらの信号は、ダブルコピーＳＬＡＭ５１３への制御信号としてダブルコピーＳＬＡＭ５１３へ出力される。
【０３４８】
図４０における入力デ−タ部・細線化部５２１及びテストパタ−ンセレクト部５２３で生成された、ＰＫＥＤ４、ＰＫＯＤ４等の入力データ信号は、図４６におけるセレクタ６４１及びセレクタ６４２に入力される。
【０３４９】
セレクタ６４１に入力された入力デ−タ信号は、ＳＲＡＭ書き込み期間回路６３１からの書き込み期間信号ＷＣＰ＿ＷＥＮと信号セレクト部５４０からの書き込み開始信号  ＷＲＳＴＡＲＴ及び書き込み期間信号  ＳＷＦＧＡＴＥによりセレクトされる。これによりセレクタ６４１は、デ−タ信号ＰＫＥＤ５、ＰＫＯＤ５をセレクタ６３５へ出力する。
【０３５０】
セレクタ６４３では、ＳＲＡＭ書き込み期間回路６３１からの書き込み期間信号ＷＣＰ＿ＷＥＮにより入力デ−タ信号のセレクトを行い、デ−タ  ＥＤＷ及び、データ  ＯＤＷの各信号を出力する。
【０３５１】
これらのデ−タ  ＥＤＷ及びデータ  ＯＤＷの各信号は、図３８に示すダブルコピーＳＲＡＭ５１３のデ−タであり、双方向性をもちダブルコピーＳＲＡＭ５１３からの読み出し信号がセレクタ６４４へ入力される。セレクタ６４４は、前記デ−タ  ＥＤＷ及びデータ  ＯＤＷの各信号をＳＲＡＭ読み出し期間信号ＷＣＰ＿ＲＥＮによりセレクトし、図４６に示すように出力デ−タ  ＰＫＥＤＤ、ＰＫＯＤＤの各信号としてセレクタ６４２へ出力する。
【０３５２】
セレクタ６４２は、前記デ−タ  ＰＫＥＤＤ、ＰＫＯＤＤの各信号と、入力デ−タ  ＰＫＥＤ４、ＰＫＯＤ４の各信号を入力し、ＳＲＡＭ書き込み期間回路６３１からの書き込み期間信号ＷＣＰ＿ＷＥＮと図４０に示したレジスタ５３０からのダブルコピ−信号により選択された出力デ−タ  ＰＫＥＤ、ＰＫＯＤの各信号を出力する。
【０３５３】
図４７のタイミングチャ−トを用い、上記のダブルコピー制御部５４９の制御回路における各信号の出力のタイミングについて説明する。  
ダブルコピ−モ−ドが選択された場合、書き込み開始信号  ＷＲＳＴＡＲＴはオンされると、ダブルコピ−用ＳＲＡＭ書き込み期間ＷＣＰ＿ＷＥＮがオンされ、入力画像デ−タが、通常動作のＳＲＡＭ群（ＳＬＡＭ５１４＿Ａ１〜５１４＿Ａ６、５１４＿Ｂ１〜５１４＿Ｂ６）にデ−タ転送されつつ、ダブルコピ−用ＳＲＡＭ５１３にも同じデ−タが書き込まれる。図中の主走査ラインの中点に相当する主走査方向の中間点に至ると、ダブルコピ−用ＳＲＡＭ読み出し期間ＷＣＰ＿ＲＥＮがオンされ、上記ＳＲＡＭ群のデ−タは、ダブルコピ−用ＳＲＡＭ５１３からのデ−タを読み出して転送される。これにより、主走査ラインに同じ画像デ−タが書き込まれる。
【０３５４】
図４０の、デ−タフォ−マット変換部５５０、ブロック切換制御部５２４、ＳＲＡＭ書き込み制御部５２５、ＳＲＡＭ読み出し制御部５２６、書き込みパルス生成部５２７、アドレスセレクタ部５２８について説明する前に、図４８、図４９の発光素子アレイユニット１Ａ、１Ｂ、１Ｃの３本のアレイユニットで書き込まれる画像領域について説明する。
【０３５５】
図４８（ａ）において、発光素子アレイユニット１Ａ、１Ｂ、１Ｃは、１本あたり７６８０ドットの画素数を有する。各発光素子アレイユニットの両端を重複させることで余白部をもたせ画像有効領域を発光制御させることにより、画像が重ならないように制御することができる。
【０３５６】
発光アレイユニット１Ｂは、有効画像領域を固定にして、両端２５８ドットは、余白領域で画像を取り込まないようにし、発光素子アレイユニット１Ａ、１Ｃにて有効画像領域を固定したままで画像をシフトさせて発光素子アレイユニット間（発光素子アレイユニット１Ａと発光素子アレイユニット１Ｂとの間、と発光素子アレイユニット１Ｂと発光素子アレイユニット１Ｃとの間）の位置を補正する。例えば、各発光素子アレイユニットの有効画像領域の画像を割り当てられたＳＲＡＭ  ５０１Ａ＿１〜５０１Ａ＿６、５０１Ｂ＿１〜５０１Ｂ＿６により２ドット単位のデ−タ（画素）で書き込みを行う。
【０３５７】
図４９により、前記図３８で説明したＳＲＡＭ  ５０１Ａ＿１〜５０１Ａ＿６、５０１Ｂ＿１〜５０１Ｂ＿６におけるデータの書き込み、読み出しに際しての各発光素子アレイユニット１Ａ、１Ｂ、１Ｃへの信号の転送方向とＳＲＡＭアドレスの関係について述べる。
【０３５８】
有効画素番号８０５は、図３７の画像ページメモリ部６０２Ａ１＿１から転送される１ライン相当分の１画素デ−タであり、最大画像デ−タ数２１６１２画素（ドット）に転送される順番に番号０から２１６１１に配列したものである。
【０３５９】
符号ＬＰＨ１は発光素子アレイユニット１Ａの有効画像領域、符号ＬＰＨ２は発光素子アレイユニット１Ｂの有効画像領域、符号ＬＰＨ３は発光素子アレイユニット１Ｃの有効画像領域を示す。
【０３６０】
３本の発光素子アレイユニット１Ａ、１Ｂ、１Ｃに対するデ−タ分担は、発光素子アレイユニット１Ａが、０から７２２３ドットであり、発光素子アレイユニット１Ｂは、７２２４ドットから１４３８７であり、発光素子アレイユニット１Ｃは、１４３８８ドットから２１６１１ドットとなる。
【０３６１】
各アレイユニット上の物理位置８０６＿１、２、３は、転送された１画素デ−タが、各発光素子アレイユニットにおける有効画素番号８０５のどの場所で点灯するかを示したものである。
【０３６２】
転送周波数を下げるために、発光素子アレイユニット１Ａ、１Ｂ、１Ｃの内部構成は、全デ−タが２分割して転送できるようにしてある。このため、１つの発光素子アレイについて、総ドット数に相当する７６８０ドットの半分の３８４０ドットずつで区分できる。
【０３６３】
３本の発光素子アレイユニット１Ａ、１Ｂ、１Ｃはそれぞれ形状、大きさが略同じであり、その長手方向を主走査方向に揃えた場合、発光素子アレイが副走査方向の中央にはなく片寄った配置になっている。このため、例えば、図１１（ｂ）に示したように、発光素子アレイユニット１Ａ、１Ｃと発光素子アレイユニット１Ｂとを、感光体ドラム１０の軸心Ｏを通る線Ｄ−Ｄを中心として対向する配置としかつ、振り分け距離を最小とするためには次の配置としなければならない。
【０３６４】
つまり、中央の発光素子アレイユニット１Ｂのみ、矢視Ａ方向について他の発光素子アレイユニット１Ａ、１Ｃとは長手方向の向きについて１８０度回転させた向きとするのである。
【０３６５】
しかし、このように配置すると、各発光素子アレイユニットについて同じ方向からデータ転送すると、例えば、発光素子アレイユニット１Ｂについてだけ、データの転送順が反対となってしまう。
【０３６６】
そこで、発光素子アレイユニット１Ａは、デ−タ転送が、下から（実際には、右から左へ）始まり、発光素子アレイユニット１Ｂは、デ−タ転送が、上から（実際には、左から右へ）始まり、発光素子アレイユニット１Ｃは、デ−タ転送が、下から（実際には、右から左へ）始まるようにして原稿データに忠実に画像を再現できるようにしている。
【０３６７】
３本の発光素子アレイユニット１Ａ、１Ｂ、１Ｃを重複させて一直線とすると、発光素子アレイユニット１ＡのＡブロック２５８ドット目の次に発光素子アレイユニット１ＢのＡブロック２５８ドット目が続くことで画像デ−タがずれることなくつながる。
【０３６８】
同様に、発光素子アレイユニット１ＢのＢブロック３５８１ドット目の次に発光素子アレイユニット１ＣのＢブロック３５８１ドット目が続き画像デ−タがずれることなくつながる。
【０３６９】
なお、感光体ドラムの軸線方向に複数個千鳥状に配列した発光素子アレイユニットを全て主走査方向上で同じ方向に配列させた場合、例えば、上記における中央の発光素子アレイユニット１Ｂについても他の発光素子アレイユニット１Ａ、１Ｃと同方向とした場合には、該発光素子アレイユニットＢに対するデ−タ転送を他の２本と同じにする。
【０３７０】
次にＳＲＡＭ上のアドレス８０７＿１〜６は、発光素子アレイユニット１本あたりデ−タ転送２分割の１分割に１ヶのＳＲＡＭを対応させている。発光素子アレイユニット３本×２分割＝６ヶであり、故に、ＳＲＡＭは、６ヶ必要となる。そこで、図４９には、ＳＲＡＭ１〜ＳＲＡＭ１を示し、アドレス番号８０７＿１〜８０７＿６を対応させた。
【０３７１】
１ライン目のデ−タを図３８に示したＡ群のＳＲＡＭ１〜ＳＲＡＭ６（符号５１４＿Ａ１〜５１４＿Ａ６が対応）に書き込み、次の２ライン目をＢ群のＳＲＡＭ１〜ＳＲＡＭ６（符号５１４＿Ｂ１〜５１４＿Ｂ６が対応）に書き込むので１２ヶのＳＲＡＭを使用する構成である。
【０３７２】
発光素子アレイユニットのデ−タ転送方向が、発光素子アレイユニット１Ａ、１Ｃは、下からで発光アレイユニット１Ｂは、上からであるので、各ＳＲＡＭへの書き込みアドレスを、発光素子アレイユニット１Ａ、１Ｃは、ダウンカウントし、発光素子アレイユニット１Ｂは、アップカウントさせる。
【０３７３】
また、符号８０７＿１で示すＳＲＡＭ１アドレスには、２ドット単位で書き込まれる（格納される）ので、発光素子アレイユニット１分割分のデ−タ、３８４０ドットの半分の１９２０アドレスとなる。ＳＲＡＭの書き込みスタ−トアドレス、書き込み終了アドレスは、原稿・転写紙サイズに依存し画像ページメモリ部６０２Ａ１＿１にて判断し、適切なアドレス値を出力し、レジスタ５３０により転送されるようにしている。
【０３７４】
一方、発光素子アレイユニット１Ａ〜発光素子アレイユニット１Ｂ間の繋ぎ目アドレス、発光素子アレイユニット１Ｂ〜発光素子アレイユニット１Ｃ間の繋ぎ目アドレスは、図３５の操作装置６０４からの操作パネルキ−操作にて入力し、画像ページメモリ部６０２Ａ１＿１からレジスタ５３０により転送される。
【０３７５】
前記操作により繋ぎ目の調整が可能である。また、前記調整に伴い、書き込みスタ−トアドレス、終了アドレスも変化する。次に各ＳＲＡＭ１〜ＳＲＡＭ６における符号８０８＿１〜６で示す読み出し方向については、各ＳＲＡＭ上のアドレス８０２＿１〜６に書き込まれたデ−タを  ＳＲＡＭ１〜ＳＲＡＭ６で同時に、アドレス０からアップカウントして読み出す。読み出し方向は、各発光素子アレイユニットの取り付け状態での転送方向となる。
【０３７６】
以上の動作を図３８に示すＡ群のＳＬＡＭ１〜ＳＬＡＭ６（符号５１４＿Ａ１〜５１４＿Ａ６が対応）、Ｂ群のＳＬＡＭ１〜ＳＬＡＭ６（符号５１４＿Ｂ１〜５１４＿Ｂ６が対応）と交互に行うことにより主走査ラインのデ−タを転送できる。
【０３７７】
図４０の第１ＩＣ回路７１３におけるブロック切換制御部  ５２４について図５０にて制御の説明をする。入力書き込みクロック  ＳＷＣＬＫと読み出し主走査画像開始信号ＲＬＳＹＮＣ、読み出し画像期間信号  ＲＦＧＡＴＥをブロック切換信号生成回路８１４に入力し、読み出し画像期間が有効のとき主走査ラインごとに切り替わるブロック信号  ＢＬＯＣＫを出力し、図３８に示すＡ群のＳＬＡＭ１〜ＳＬＡＭ６（符号５１４＿Ａ１〜５１４＿Ａ６が対応）、Ｂ群のＳＬＡＭ１〜ＳＬＡＭ６（符号５１４＿Ｂ１〜５１４＿Ｂ６が対応）の切り換えをする。
【０３７８】
図４０の第１ＩＣ回路７１３におけるＳＲＡＭ書き込み制御部  ５２５について図５１により制御の説明をする。
【０３７９】
入力書き込みクロック  ＳＷＣＬＫと基準同期クロックＳＹＳＣＫ及びレジスタ５３０（図４０参照）からのクリア信号ＭＣＬＲ、ＳＲＥＳＥＴをリセットパルス生成回路８１６に入力させてリセットパルス  ＳＲＥＳＲＰを出力させる。この出力であるリセットパルス  ＳＲＥＳＲＰは、ＳＲＡＭ書き込み制御回路８１７と書き込みアドレスカウンタ  ８１８に入力される。
【０３８０】
ＳＲＡＭ書き込み制御回路８１７では、レジスタ５３０からの書き込みスタ−トアドレス  ＨＳＴＡＤＲＳと書き込み開始ＳＲＡＭブロックＨＳＴＢＬＫ、書き込み終了アドレス  ＨＥＮＡＤＲＳと書き込み終了ＳＲＡＭブロックＨＥＮＢＬＫに基づき、図３８に示すＡ群のＳＬＡＭ１〜ＳＬＡＭ６（符号５１４＿Ａ１〜５１４＿Ａ６が対応）、Ｂ群のＳＬＡＭ１〜ＳＬＡＭ６（符号５１４＿Ｂ１〜５１４＿Ｂ６が対応）の、どのＳＲＡＭから書き込み動作を開始するか、そして、どの条件で次のＳＲＡＭへ移行するか、またスタ−ト位置に戻すかを処理し、ＳＲＡＭ書き込み処理シ−ケンサ  ｓｅｑ＿ｐを出力する。このＳＲＡＭ書き込み処理シ−ケンサ  ｓｅｑ＿ｐは書き込みアドレスカウンタ  ８１８に入力されて、該書き込みアドレスカウンタ  ８１８ＳＲＡＭ書き込み処理シ−ケンサ  ｓ
ｅｑ＿ｐによりＳＲＡＭ書き込みアドレスカウンタ  ＷＣＮＴが設定されて出力される。
【０３８１】
ＳＲＡＭ書き込み処理シ−ケンサ  ｓｅｑ＿ｐによりＳＲＡＭ書き込みアドレスカウンタＷＣＮＴが設定されるが、図４９に示すように発光素子アレイユニットのデ−タ転送方向が、発光素子アレイユニット１Ａ、１Ｃ（主走査方向の一端側から数えて奇数番目）と発光素子アレイユニット１Ｂ（主走査方向の一端側から数えて偶数番目）では、各ＳＲＡＭへの書き込みアドレス設定が、発光素子アレイユニット１Ａ、１Ｃは、ダウンカウント、発光素子アレイユニット１Ｂは、アップカウントとなり発光素子アレイユニットへのデ−タ転送を主走査方向の一端側から数えて奇数番目と偶数番目で逆にして制御させている。
【０３８２】
図４０の第１ＩＣ回路７１３におけるＳＲＡＭ読み出し制御部  ５２６について図５２により制御の説明をする。  
基準同期クロック  ＳＹＳＣＫと読み出し主走査画像開始信号  ＲＬＳＹＮＣ、読み出し画像期間信号  ＲＦＧＡＴＥを読み出しカウンタ生成回路８２２に入力し、基準同期クロック  ＳＹＳＣＫを４分周し、ＳＲＡＭ読み出しタイミングカウンタ  ＳＲＲＤＣＫを出力し、ＳＲＡＭ読み出し制御回路  ８２３に入力させる。
【０３８３】
ＳＲＡＭ読み出し制御回路８２３は、ＳＲＡＭ書き込み制御部  ５２５（図４０参照）からのＳＲＡＭ書き込み処理シ−ケンサ  ｓｅｑ＿ｐとＳＲＡＭ書き込みアドレスカウンタ  ＷＣＮＴ、リセットパルス  ＳＲＥＳＲＰを入力して、ＳＲＡＭ読み出しアドレスカウンタ  ＲＣＮＴを出力する。
【０３８４】
読み出しイネ−ブル信号生成回路８２４は、ＳＲＡＭ読み出し制御回路８２３から出力されたＳＲＡＭ読み出しアドレスカウンタ  ＲＣＮＴと、ブロック切換制御部  ５２４（図４０参照）からのライン切換ＢＬＯＣＫ信号と、読み出し主走査画像開始信号ＲＬＳＹＮＣ、読み出し画像期間信号ＲＦＧＡＴＥを入力し、Ａ群のＳＬＡＭ１〜ＳＬＡＭ６（符号５１４＿Ａ１〜５１４＿Ａ６が対応）と、Ｂ群のＳＬＡＭ１〜ＳＬＡＭ６（符号５１４＿Ｂ１〜５１４＿Ｂ６が対応）のどちらを有効にするかの信号である、Ａ群ＳＲＡＭ読み出し信号ＲＤＡ、Ｂ群ＳＲＡＭ読み出し信号ＲＤＢを出力する。
【０３８５】
図４０の第１ＩＣ回路７１３における書き込みパルス生成部  ５２７について図５３、図５５により制御及び信号発生などのタイミングの説明をする。  
書き込みパルス生成回路８１９は、ＳＲＡＭ書き込み制御部  ５２５（図４０参照）からのＳＲＡＭ書き込み処理シ−ケンサｓｅｑ＿ｐと、ブロック切換制御部  ５２４（図４０参照）からのライン切換ＢＬＯＣＫ信号を入力し、例えば、ＢＬＯＣＫ信号がＨｉｇｈならば、書き込みイネ−ブル信号  ＷＥＡ１〜６を選択し、ＳＲＡＭ書き込み処理シ−ケンサ  ｓｅｑ＿ｐの該当するＳＲＡＭ、つまり、Ａ群のＳＬＡＭ１〜ＳＬＡＭ６（符号５１４＿Ａ１〜５１４＿Ａ６が対応）と、Ｂ群のＳＬＡＭ１〜ＳＬＡＭ６（符号５１４＿Ｂ１〜５１４＿Ｂ６が対応）の何れかをＨｉｇｈイネ−ブルにする。
【０３８６】
よって、主走査１ライン目は、書き込みイネ−ブル信号ＷＥＡ１〜６を順番にイネ−ブルしていき、次のラインでは、書き込みイネ−ブル信号ＷＥＢ１〜６を順番にイネ−ブルしていく。出力された書き込みイネ−ブル信号ＷＥＡ１〜６とＷＥＢ１〜６は、書き込み信号生成回路８２０に入力される。
【０３８７】
書き込み信号生成回路８２０は、これらの入力信号を、入力書き込みクロックＳＷＣＬＫと同期させＡ群ＳＲＡＭ書き込み信号ＷＲＡ１〜６、Ｂ群ＳＲＡＭ書き込み信号ＷＲＢ１〜６を出力する。さらに、ＳＲＡＭ書き込みブロック信号生成回路８２１は、前記ＳＲＡＭ書き込み信号を有効にするためにゲ−ト信号により、Ａ群ＳＲＡＭバッファゲ−ト信号  ＡＳＥＬと、Ｂ群ＳＲＡＭバッファゲ−ト信号  ＢＳＥＬを出力する。
【０３８８】
図４０の第１ＩＣ回路７１３におけるアドレスセレクタ部  ５２８について図５４により、制御の説明をする。  
アドレスセレクタ８１５は、ブロック切換制御部  ５２４（図４０参照）より出力された読み出し画像期間が有効のとき主走査ラインごとに切り替わるブロック信号  ＢＬＯＣＫと、ＳＲＡＭ書き込み制御部  ５２５（図４０参照）より出力されたＳＲＡＭ書き込みアドレスカウンタ  ＷＣＮＴと、ＳＲＡＭ読み出し制御部  ２６（図４０参照）より出力されたＳＬＡＭ読み出しアドレスカウンタ  ＲＣＮＴを入力して、ラインブロック信号の切換えにより、Ａ群ＳＲＡＭアドレス  ＡＡＤＲ、及びＢ群ＳＲＡＭアドレス  ＢＡＤＲを出力する。
【０３８９】
図５５のタイミングチャ−トにより、上記のＳＲＡＭ書き込みパルス制御について説明する。  
仮に発光素子アレイユニット１Ａ、１Ｂ、１Ｃの３本を使用する全画像有効範囲の場合、１ライン目の画像デ−タ、ＥＤ，ＯＤを転送するため、Ａ群ＳＲＡＭバッファゲ−ト用のＡＳＥＬ信号がＬｏｗとなりＡ群ＳＲＡＭアドレスＡＡＤＲがカウントし、Ａ群ＳＲＡＭ１のＳＲＡＭ書き込み信号ＷＲＡ１の書き込みが開始される。
【０３９０】
上記Ａ群ＳＲＡＭ１の書き込み信号ＷＲＡ１の書き込みが終了すると、次に、Ａ群ＳＲＡＭ２のＳＲＡＭ書き込み信号ＷＲＡ２の書き込みが開始され順番に、ＷＲＡ６までの書き込みが行なわれ、１ライン分のデ−タがＡ群ＳＲＡＭに書き込まれる。
【０３９１】
次に２ライン目のデ−タは、今度はＢ群ＳＲＡＭバッファゲ−ト用のＢＳＥＬ信号をＬｏｗとし、Ｂ群ＳＲＡＭアドレスＢＡＤＲがカウントし、Ｂ群ＳＲＡＭ１のＳＲＡＭ書き込み信号ＷＲＢ１の書き込みが開始される。
【０３９２】
Ｂ群ＳＲＡＭ１の書き込み信号ＷＲＢ１による書き込みが終了すると、Ａ群ＳＲＡＭ１のＳＲＡＭ書き込みと同様、次に、Ｂ群ＳＲＡＭ２のＳＲＡＭ書き込み信号ＷＲＢ２の書き込みが開始され順番に、ＷＲＢ６までの書き込みが行なわれ、１ライン分のデ−タがＢ群ＳＲＡＭに書き込まれる。
【０３９３】
よって、Ａ群ＳＲＡＭアドレスＡＡＤＲとＳＲＡＭ書き込み信号ＷＲＡ１〜６により、奇数ラインのデ−タをＡ群ＳＲＡＭに書き込み、Ｂ群ＳＲＡＭアドレスＢＡＤＲとＳＲＡＭ書き込み信号ＷＲＢ１〜６により偶数ラインのデ−タをＢ群ＳＲＡＭに書き込むこととなる。
【０３９４】
図４０の第１ＩＣ回路７１３におけるデ−タフォ−マット変換部  ５５０について図５６により制御の説明をする。  
ＳＲＡＭへの１アドレスへのデ−タは、イ−ブンデ−タとオッドデ−タの２ドット単位である。このままでは、各発光素子アレイユニット間の繋ぎ目について２ドット単位での位置調整しかできない。
【０３９５】
そこで、発光素子アレイユニット１Ａと発光素子アレイユニット１Ｂとの繋ぎ目部及び発光素子アレイユニット１Ｂと発光素子アレイユニット１Ｃとの繋ぎ目部における各発光素子アレイユニット間の位置補正を１ドット単位で制御するために、ＳＲＡＭ書き込みアドレスを変更せず、入力デ−タを１ドットずらす変換をしている。
【０３９６】
このように、入力デ−タを１ドットずらす変換を行なうため、入力２ビットイ−ブンデ−タＰＫＥＤと、入力２ビットオッドデ−タＰＫＯＤを、ラッチ１回路８１０に入力し、入力書き込みクロックＳＷＣＬＫにてラッチさせ、出力デ−タＰＫＥＤ１Ｄ、ＰＫＯＤ１Ｄを出力する。出力されたＰＫＯＤ１Ｄをさらに、ラッチ２回路８１１にてラッチさせ、ＰＫＯＤ２Ｄを出力する。
【０３９７】
ラッチ１回路８１０、ラッチ２回路８１１より出力された各デ−タは、符号８１２の欄に示すように、<１>発光素子アレイユニット１Ｃ用の１ドット遅延したデ−タ、<２>発光素子アレイユニット１Ｂ、１Ｃ用の正規デ−タ、<３>発光素子アレイユニット１Ａ用の１ドット遅延したデ−タ、<４>発光素子アレイユニット１Ａ用の正規デ−タとなり、セレクタ８１３に入力される。
【０３９８】
こうして、セレクタ８１３に入力されたデ−タは、どのＳＲＡＭのデ−タかを決めているＳＲＡＭ書き込み処理シ−ケンサｓｅｑ＿ｐと、図３７に示す画像ページメモリ部６０２Ａ１＿１から図４０に示すレジスタ５３０により転送されたＳＨＩＦＴ１、３と、書き込み開始アドレス  ＨＳＴＡＤＲＳと発光素子アレイユニット１Ｂ−１Ｃ接続アドレス  ＨＣＨＡＤＲＳ２、そして、ＳＲＡＭ書き込みアドレスカウンタ  ＷＣＮＴにより選択され、セレクタ８１３より、出力デ−タＥＤ、ＯＤが出力される。
【０３９９】
図４０の第１ＩＣ回路７１３のフィ−ルドメモリ書き込み制御部５２９について図３９及び図５７により制御の説明をする。  
フィ−ルドメモリ書き込み制御部５２９は、Ａ、Ｂ群のＳＲＡＭ３〜６（符号５１４＿Ａ３〜５１４＿Ａ６、５１４＿Ｂ３〜５１４＿Ｂ６が対応）より出力された発光素子アレイユニット１Ｂ、１Ｃ相当のデ−タをフィ−ルドメモリ（ＦＭ１〜ＦＭ３）に書き込むためのゲ−ト信号を生成するブロックであり、発光素子アレイユニット１Ｂのデ−タには２ヶのＦＭ１、２（符号５１５＿１、５１５＿２が対応）を使用しフィ−ルドメモリＦＭ１（符号５１５＿１が対応）に１００ライン分のデ−タを書き込んだ（格納）後、フィ−ルドメモリＦＭ２（符号５１５＿２が対応）へのデ−タ転送させ、発光素子アレイユニット１Ｃデ−タは、フィ−ルドメモリＦＭ３（符号５１５＿３が対応）に書き込む。
【０４００】
まず、基準同期クロックＳＹＳＣＫと読み出し主走査画像開始信号ＲＬＳＹＮＣ、読み出し画像期間信号ＲＦＧＡＴＥを副走査カウンタ生成回路８２５に入力し、１００ライン遅延させてフィ−ルドメモリＦＭ１（符号５１５＿１が対応）からフィ−ルドメモリＦＭ２（符号５１５＿２が対応）にデ−タ転送させるための副走査遅延カウンタＳＳＤＣＮＴを出力する。
【０４０１】
次に、ＳＲＡＭ読み出し制御５２６（図４０参照）からのＳＲＡＭ読み出しアドレスカウンタＲＣＮＴ、基準クロックＳＹＳＣＫの４分周したＳＲＲＤＣＫをＦＭ書き込みアドレスリセット信号生成回路８２６に入力する。
【０４０２】
ＦＭ書き込みアドレスリセット信号生成回路８２６では、読み出し主走査画像開始信号ＲＬＳＹＮＣがオンされるとＦＭ書き込みアドレスリセット信号ＦＭＷＲＳＴが生成出力されフィ−ルドメモリＦＭのアドレスが初期化される。
【０４０３】
ＦＭ書き込みアドレスリセット信号ＦＭＷＲＳＴは、変換器８３１＿２に入力され、フィ−ルドメモリＦＭ１、２（符号５１５＿１、５１５＿２が対応）とフィ−ルドメモリＦＭ３（符号５１５＿３）の書き込みアドレスリセット信号ＦＭ２ＲＳＴＷ、ＦＭ３ＲＳＴＷを出力する。
【０４０４】
ＦＭの書き込みアドレスリセットが入り、後述記載する書き込みイネ−ブル信号がオンされデータがフィールドメモリＦＭ１（符号５１５＿１が対応）に書き込まれて、副走査ライン１００ラインデータが書き込まれたら（格納されたら）フィールドメモリＦＭ１（符号５１５＿１が対応）の読み出しアドレスをリセットさせデ−タをフィールドメモリＦＭ２（符号５１５＿２が対応）へ転送させるためにＦＭ１読み出しアドレスリセット信号生成回路８２７にてＦＭ１読み出しアドレスリセット信号ＦＭＲＲＳＴ１を出力させる。
【０４０５】
ＦＭ書き込みオン時間を決定させるため、ＦＭ書き込みイネ−ブル信号生成回路８２８にてＦＭ書き込みイネ−ブル信号ＦＭＷＥを出力させる。このＦＭ書き込みイネ−ブル信号ＦＭＷＥは、変換器８３１＿３に入力させフィ−ルドメモリＦＭ２、ＦＭ３（符号５１５−２、５１５−３が対応）の書き込みイネ−ブル信号ＦＭ２ＷＥ、ＦＭ３ＷＥとさせるとともに、フィ−ルドメモリＦＭ３（符号５１５−３が対応）の読み出しイネ−ブル信号ＦＭ３ＲＥとしても使用する。
【０４０６】
フィ−ルドメモリＦＭのクロックは基準クロックＳＹＳＣＫの４分周したＳＲＲＤＣＫを使用しクロック生成回路８２９にてクロックＦＭＷＣＬＫを出力させる。
【０４０７】
このクロックＦＭＷＣＬＫを変換器８３１＿４に入力させフィ−ルドメモリＦＭ２、ＦＭ３の書き込みクロック信号ＦＭ２ＳＷＣＫ、ＦＭ３ＳＷＣＫへ変更し出力させるとともに、フィ−ルドメモリＦＭ２（符号５１５＿２が対応）の読み出しクロックＦＭ２ＳＲＣＫとしても使用する。
【０４０８】
書き込みバッファゲ−ト生成器８３０は、ＳＲＡＭ読み出し制御部５２６（図４０参照）からのＡ、Ｂ群ＳＲＡＭ読み出し信号ＲＤＡ、ＲＤＢを入力し、フィ−ルドメモリＦＭ１（符号５１５＿１が対応）及びフィ−ルドメモリＦＭ３（符号５１５＿３が対応）において、Ａ群ＳＲＡＭデ−タを書き込みか、Ｂ群ＳＲＡＭデ−タを書き込みかセレクトし、ＦＭ１用Ａ群ＳＲＡＭデ−タ書き込みバッファゲ−トＦＭ１ＤＡＳＥＬ、ＦＭ１用Ｂ群ＳＲＡＭデ−タ書き込みバッファゲ−トＦＭ１ＤＢＳＥＬ、ＦＭ３用Ａ群ＳＲＡＭデ−タ書き込みバッファゲ−トＦＭ３ＤＡＳＥＬ、ＦＭ３用Ｂ群ＳＲＡＭデ−タ書き込みバッファゲ−トＦＭ３ＤＢＳＥＬを出力する。これらのゲ−ト信号は、Ａ、Ｂ群の、トグル動作となる。
【０４０９】
図３８及び図４０において、画像ページメモリ部６０２Ａ１＿１よりアドレス・デ−タが入力され、回路内部クロックＳＹＳＣＬＫにてラッチし入力デ−タを確定させ出力する。
【０４１０】
次に、図４１を参照して第２ＩＣ回路  ７１４内部の構成及び各制御方法について説明する。第２ＩＣ回路  ７１４では、内部クロックＳＹＳＣＫを基準同期クロックとして各制御ブロックに入力している。全体の流れは、図３９のフィ−ルドメモリ５１５＿１〜３のデ−タの読み出しゲ−ト信号の生成と、発光素子アレイユニット１Ａ、１Ｂ、１Ｃに転送するためのゲ−ト信号の生成を行う。第１ＩＣ回路７１３での制御よりＳＲＡＭ群に格納された発光素子アレイユニット１Ａの２ビットイ−ブン・オッドデ−タを１ライン合成にフォ−マット変換し、さらに、２ビットデ−タを５ビットデ−タに変換して発光素子アレイユニット１Ａへ転送する。
【０４１１】
同様に、フィ−ルドメモリに格納された発光素子アレイユニット１Ｂ及び発光素子アレイユニット１Ｃのデ−タを読み出し、発光素子アレイユニット１Ａのデ−タ同様、２ビットイ−ブン・オッドデ−タを１ライン合成にフォ−マット変換し、さらに、２ビットデ−タを５ビットデ−タに変換して発光素子アレイユニット１Ｂ、１Ｃへ各々転送させている。
【０４１２】
以下に、各ブロックの詳細な制御を述べる。  
図４１の第２ＩＣ回路７１４の転送制御回路５５１、テストパタ−ン発生回路５４１について図６０により制御の説明をする。  
基準同期クロックＳＹＳＣＫと第１ＩＣ回路７１３より出力された読み出し主走査画像開始信号ＲＬＳＹＮＣを主走査ＬＣＮＴ  ７０２と副走査ＦＣＮＴ７０１に入力させ、主走査カウンタと副走査カウンタを出力させる。
【０４１３】
出力された副走査カウンタは、テストパタ−ン生成回路７０３に入力され内部テストパタ−ンＴＰＤＡＴＡを出力する。一方、主走査カウンタはＰセンサ生成回路７０４、発光素子転送信号生成回路１  ７０５、発光素子転送信号生成回路２  ７０６、クロック生成回路７０７に入力される。
【０４１４】
Ｐセンサ生成回路７０４からの出力は、画像濃度検知用として使用され、発光素子アレイユニット１ＢのＡブロックの規定された部分のみに出力される。出力される信号はＰＳＬＧＡＴＥである。発光素子転送信号生成１  ７０５では発光素子画像デ−タクロック有効範囲信号ＨＣＬＫＥＮを出力し、発光素子転送信号２  ７０６に入力され、発光素子アレイユニットへの画像デ−タ有効範囲のみクロック  ＨＣＬＫを出力する。クロック生成回路７０７では、基準クロックＳＹＳＣＫを主走査カウンタごとにクリアした、２分周のクロックＣＬＫＥＮ９５（９．５ＭＨｚ）と４分周したＣＬＫＥＮ４７５（４．７５ＭＨｚ）を出力する。
【０４１５】
図４１の第２ＩＣ回路  ７１４の光量補正ＲＯＭ読み出し制御部  ５４３について図６１にて制御の説明をする。  
電源オンにて光量補正用カウンタＦＣＮＴ  ７０８に基準同期クロックＳＹＳＣＫと第１ＩＣ回路７１３より出力された読み出し主走査画像開始信号ＲＬＳＹＮＣと光量補正モ−ド切換信号ＫＨＳＴＡＴを入力させ、副走査カウンタＫＨＦＣＮＴを生成出力する。
【０４１６】
セレクタ・比較回路７０９は、出力された副走査カウンタＫＨＦＣＮＴをもとに光量補正用ＰＲＯＭへのアクセスイネ−ブル信号ＲＯＭＣＥ１、２、３を出力する。３本の信号は、発光素子アレイユニット１Ａ、１Ｂ、１Ｃ３本分の光量補正用ＰＲＯＭアクセス信号で、発光素子アレイユニット１Ａより発光量補正制御を行う。また、本セレクタ・比較回路７０９内にて、光量補正終了信号ＫＨＳＴＣＬＲ及び各発光素子ヘッドへの光量補正開始信号ＫＨＬＯＡＤＲを生成しゲ−ト信号として出力する。
【０４１７】
光量補正用ＰＲＯＭのアドレス設定はＲＯＭアドレス生成回路７１０にて生成される信号ＲＯＭＡＤＲＳにより行なわれる。ＰＲＯＭアドレス生成回路７１０内のデ−タ転送は、発光素子アレイユニット１本分の光量補正デ−タが光量補正用ＰＲＯＭに格納されており、発光素子アレイユニットは、２分割のデ−タ転送方式であるので、ＰＲＯＭアドレス生成回路７１０への格納デ−タは、Ａブロック目の１番目のデ−タ、次にＢブロック目の１番目のデ−タと交互に配列されている。
【０４１８】
そこで、デ−タＲＯＭＤＴ５ビットデ−タをＲＯＭ出力デ−タラッチ回路７１５に入力し、３度、カウンタＫＨＬＣＮＴにてラッチさせデ−タを発光素子アレイユニットＡブロック光量補正デ−タ  ＫＨＤＡＴＡ１ＲとＢブロック光量補正デ−タ  ＫＨＤＡＴＡ２Ｒに分割し同時出力する。更に、発光素子アレイユニットへの転送クロックを光量補正有効範囲回路７１１にて生成しＣＴＣＫＲを出力する。
【０４１９】
図４１に示す第２ＩＣ回路  ７１４のフィ−ルドメモリ読み出し制御部  ５３１（フィ−ルドメモリを以下ＦＭと称す）について図６２により制御の説明をする。  
本制御ブロックは、発光素子アレイユニット１Ｂ及び発光素子アレイユニット１Ｃの取り付けが発光素子アレイユニット１Ａに対し感光体ドラム１０の回転方向に位置がずれて接続された分のデ−タを遅延させるためのＦＭのゲ−ト信号生成をしている。
【０４２０】
ブロック内部は、<１>カウンタ副走査回路７２９とＦＭ遅延期間生成回路７３０とＦＭ読み出しリセット生成回路７３１とからなりＦＭ２、３の読み出しを開始するリセット信号の生成部と、<２>ＦＭ読み出し範囲生成回路７２８によるＦＭ読み出しイネ−ブル信号部と、<３>カウンタ７２７にてＦＭに格納されたデ−タを読み出すためのクロックと、<４>書き込み開始時期を遅延させるための回路７２２からなる。
【０４２１】
基準クロックＳＹＳＣＫは各回路に入力している。まず、第１ＩＣ回路７１３にて生成された、読み出し主走査画像開始信号ＲＬＳＹＮＣを読み出し開始信号生成回路７１５に入力し、クロックに同期した読み出し信号ＲＬＳＹＮＣＤＤを出力する。出力したＲＬＳＹＮＣＤＤは、各ブロックに入力される。  
カウンタ７２６では、基準クロックＳＹＳＣＫをカウントし同期した読み出し信号ＲＬＳＹＮＣＤＤにてリセットをかけ再びカウントアップする。
［ＦＭ２、３の読み出し開始するリセット信号  （ＦＭ３ＲＳＴＲ、ＦＭ２ＲＳＴＲ）の生成］  
第１ＩＣ回路７１３にて生成された、読み出し画像期間信号ＲＦＧＡＴＥとクロックに同期した読み出し信号ＲＬＳＹＮＣＤＤをカウンタ副走査回路７２９に入力し、ＦＭ２用のカウンタＤＬＣＮＴ２及びＦＭ３用のカウンタＤＬＣＮＴ３を出力し、ＦＭ読み出しリセット生成回路７３１と遅延された副走査分後端に遅延させるためのＦＭ遅延ＦＧＡＴＥ生成回路７３２へ入力される。
【０４２２】
また、操作装置６０４からキ−入力によりレジスタ５４２に設定された副走査遅延設定値、ＦＭ用ＦＭ２ＤＬとＦＭ用ＦＭ３ＤＬ及びクロックに同期した読み出し信号ＲＬＳＹＮＣ２ＤをＦＭ遅延期間生成回路７３０に入力し、各々ＦＭ２（発光素子アレイユニット１Ｂ用）、ＦＭ３（発光素子アレイユニット１Ｃ用）の遅延期間イネ−ブル信号ＤＬＣＮＴ２、３を出力する。
【０４２３】
カウンタ副走査回路７２９、ＦＭ遅延期間生成回路７３０、カウンタ７２６より出力された信号をＦＭ読み出しリセット生成回路７３１に入力させ、ＦＭ読み出しリセット信号ＦＭ２ＲＳＴＲとＦＭ３ＲＳＴＲを出力する。パルス幅は、カウンタ７２６より出力された４カウント分としている。
［ＦＭ２、３のクロック（ＦＭ３ＳＲＣＫ、ＦＭ２ＳＲＣＫ２）の生成］
カウンタ７２６より出力されたＲＤＣＫを入力しカウンタ７２７にて４分周したクロックＦＭ３ＳＲＣＫ、ＦＭ２ＳＲＣＫ２を出力させる。
［ＦＭ２、３の読み出し範囲（ＦＭ３ＲＥ、ＦＭ２ＲＥ２）の生成］  
ＦＭ読み出し範囲生成回路７２８は、カウンタ７２６より出力されたＲＤＣＫを入力し４クロック分を１カウントとしてカウントアップさせ、１９２０カウントでクリアしたカウンタにより、第１ＩＣ回路７１３で生成した読み出し画像期間信号ＲＦＧＡＴＥと後述する発光素子アレイユニット１Ｂの遅延されたＤＭＳＫ２の期間有効にする、ＦＭ３用データ読み出しイネーブル信号ＦＭ３ＲＥとＦＭ２用データ読み出しイネーブル信号ＦＭ２ＲＥ２を出力する。
【０４２４】
上記にて副走査の遅延開始の設定が可能となり、次に遅れて出力した分副走査を遅延させるためにＦＭ遅延ＦＧＡＴＥ生成回路７３２にて各発光素子アレイユニットの副走査遅延ＦＧＡＴＥを生成し、ＤＭＳＫ１、２、３を出力する。
【０４２５】
操作装置６０４からキー入力によりレジスタ５４２に設定された副走査遅延設定値、ＦＭ用ＦＭ２ＤＬとＦＭ用ＦＭ３ＤＬにより、３本の発光素子アレイユニットの副走査方向における位置のずれがあるのに拘わらず１本の書き込みラインを形成するための書き込み開始時期の遅延処理に係る調整をすることができる。
調整方法は、発光素子アレイユニットの取り付けが、機械的に合っていることを前提に基本の設定を発光素子アレイユニット１Ｂが発光素子アレイユニット１Ａに対して７ｍｍ離れているとして１６５ラインの値を、発光素子アレイユニット１Ｃが発光素子アレイユニット１Ａに対して１ｍｍ離れているとして２３ラインの値を、それぞれ設定しておき、副走査調整用テストチャート（格子など）を出力し、ズレ分を確認して更に操作装置６０４からキ−入力を行っていくことにより１ライン単位での調整が可能である。
【０４２６】
図４１の第２ＩＣ回路  ７１４における発光素子アレイユニット１Ａ１用の画像デ−タ入力セレクト部５３４、デ−タフォ−マット部５３５について図５８にて制御の説明をする。
【０４２７】
基準同期クロックＳＹＳＣＫと第１ＩＣ回路７１３より出力された読み出し主走査画像開始信号ＲＬＳＹＮＣと読み出し画像期間信号ＲＦＧＡＴＥを入力したデ−タ切換信号生成回路７２３にて、読み出し画像期間の間、読み出し主走査画像開始信号をトリガとして切り換えさせた信号ＢＡＮＫＳＥＬを出力し、デ−タ変換回路７２４へ入力させる。
【０４２８】
デ−タ変換回路７２４には、図６０で説明した転送制御回路５５１、テストパタ−ン発生回路５４１にて生成したクロックＣＬＫＥＮ９５とＣＬＫＥＮ４７５、更に発光素子アレイユニット１Ｂの副走査遅延ＦＧＡＴＥ、ＤＭＳＫ１を入力する。
【０４２９】
デ−タ変換回路７２４へ入力されるデ−タは、発光素子アレイユニット１Ａ用のデ−タとなり図３８に示すＳＲＡＭ群のＡ群、Ｂ群の１、２からの出力であり、Ａ群ＳＲＡＭ１から出力された２ビット単位のイ−ブン・オッドを４ビット単位としデ−タＳＯＤＡ１を入力する。
【０４３０】
以下デ−タは、Ｂ群ＳＲＡＭ１から出力された２ビット単位のイ−ブン・オッドデ−タ４ビットをＳＯＤＢ１、Ａ群ＳＲＡＭ２から出力された２ビット単位のイ−ブン・オッドデ−タ４ビットをＳＯＤＡ２、Ｂ群ＳＲＡＭ２から出力された２ビット単位のイ−ブン・オッドデ−タ４ビットをＳＯＤＢ２とする。
【０４３１】
ここでは、Ａ、Ｂ群ＳＲＡＭ１についてのデ−タフォ−マットを記す。Ａ、Ｂ群ＳＲＡＭ１の４ビットイ−ブン・オッドデ−タＳＯＤＡ１，ＳＯＤＢ１は、発光素子アレイユニット１Ａの取り付けが例えば図１１において画像転送方向左からに対し右からの転送方向であるため、発光素子アレイユニットのデ−タ転送Ａ、ＢブロックのＢブロックに相当する。このためＢブロックデ−タＩＭＤＡＴＡ２より出力される。
【０４３２】
まず、デ−タ切換信号ＢＡＮＫＡＳＥＬがＨｉｇｈの期間、Ａ群のＳＲＡＭ１（図３８における符号５１４＿Ａ１が相当）からの出力ＳＯＤＡ１が選択される。出力ＳＯＤＡ１は、前述の通り２ビットごとのイ−ブン・オッドデ−タで４ビットの上位２ビットがオッドデ−タ、下位２ビットがイ−ブンデ−タとなっている。
【０４３３】
この４ビットデ−タを図４１に示す転送制御回路５５１、テストパタ−ン発生回路５４１にて生成したクロックＣＬＫＥＮ９５とＣＬＫＥＮ４７５の関係よりクロックＣＬＫＥＮ９５がＨｉｇｈでＣＬＫＥＮ４７５がＬｏｗのとき、ＳＯＤＡ１の上位ビットであるオッドデ−タを２ビット単位のＩＭＤＡＴＡ２に出力する。
【０４３４】
更にクロックＣＬＫＥＮ９５がＨｉｇｈでＣＬＫＥＮ４７５がＨｉｇｈのときには、ＳＯＤＡ１の下位ビットであるイ−ブンデ−タを２ビット単位のＩＭＤＡＴＡ２に出力させ交互にデ−タを出力させる。
【０４３５】
次にデ−タ切換信号ＢＡＮＫＡＳＥＬがＬｏｗの期間には、Ｂ群のＳＲＡＭ１（図３８における符号５１４＿Ｂ１が相当）からの出力ＳＯＤＢ１が選択され、上記のＳＯＤＡ１のデ−タ同様上位２ビットオッドデ−タを出力しその後下位２ビットイ−ブンデ−タをＩＭＤＡＴＡ２へ出力させ、デ−タを主走査方向に２ビットシルアルデ−タにフォ−マット変換させる。Ａ群のＳＲＡＭ２（図３８における符号５１４＿Ａ２が相当）からの４ビット出力デ−タＳＯＤＡ２、Ｂ群のＳＲＡＭ２（図３８における符号５１４＿Ｂ２が相当）からの４ビット出力デ−タＳＯＤＢ２も上記の制御により２ビットシリアル変換されＩＭＤＡＴＡ１へ出力される。
【０４３６】
図４１の第２ＩＣ回路  ７１４における発光素子アレイユニット１Ｂ、１Ｃ画像デ−タ用のフォ−マット変換部  ５３２について図５９により制御の説明をする。
【０４３７】
発光素子アレイユニット１Ｂのデ−タフォ−マット変換、発光素子アレイユニット１Ｃのデ−タフォ−マット変換を本制御にて行う。以下に発光素子アレイユニット１Ｂでのデ−タフォ−マット変換について述べる。
【０４３８】
基準同期クロックＳＹＳＣＫと第１ＩＣ回路７１３より出力された読み出し主走査画像開始信号ＲＬＳＹＮＣと読み出し画像期間信号ＲＦＧＡＴＥ及び転送制御回路５５１、テストパターン発生回路５４１にて生成したクロックＣＬＫＥＮ９５とＣＬＫＥＮ４７５をデ−タ変換回路７２５へ入力させ、ＦＭ２からの８ビットデ−タを変換し発光素子アレイユニット１ＢのＡブロック２ビットデ−タＩＭＤＡＴＡ１とＢブロック２ビットデ−タＩＭＤＡＴＡ２を出力させる。
【０４３９】
ＦＭ２からの８ビット出力デ−タは、上位４ビットはＡ、Ｂ群のＳＲＡＭ４（図３８における符号５１４＿Ａ４、５１４＿Ｂ４が相当）からの２ビットイ−ブンデ−タ・２ビットオッドデ−タであり、下位４ビットはＡ、Ｂ群のＳＲＡＭ３（図３８における符号５１４＿Ａ３、５１４＿Ｂ３が相当）からの２ビットイ−ブンデ−タ・２ビットオッドデ−タとなっている。前者は、出力デ−タＩＭＤＡＴＡ２へ後者は出力デ−タＩＭＤＡＴＡ１へ出力される。
【０４４０】
４ビットデ−タから２ビット１ライン合成変換は、発光素子アレイユニット１Ａ用の画像デ−タ入力セレクト部５３４、デ−タフォ−マット部５３５での制御と同様で、転送制御回路５５１、テストパタ−ン発生回路  ５４１にて生成したクロックＣＬＫＥＮ９５とＣＬＫＥＮ４７５の関係よりクロックＣＬＫＥＮ９５がＨｉｇｈでＣＬＫＥＮ４７５がＬｏｗのとき、上位２ビットイ−ブンデ−タを出力する。更にクロックＣＬＫＥＮ９５がＨｉｇｈでＣＬＫＥＮ４７５もＨｉｇｈのとき、下位２ビットオッドデ−タを出力し、２ビットシリアル変換される。
なお、発光素子アレイユニット１Ｃでの制御も同様であるが、転送開始デ−タは、オッドより転送される。
【０４４１】
図４１の第２ＩＣ回路７１４における発光素子アレイユニット１Ａ、１Ｃ用の画像デ−タのγ補正・ビット変換部  ５５６＿１、５５６＿３について図６３にて制御の説明をする。
【０４４２】
発光素子アレイユニット１Ａのデ−タガンマ補正・ビット変換、発光素子アレイユニット１Ｃのデ−タガンマ補正・ビット変換を本制御にて行う。以下に発光素子アレイユニット１Ａでのデ−タガンマ補正・ビット変換について述べる。
【０４４３】
デ−タ変換器７５０は、基準同期クロックＳＹＳＣＫと図４２に示すレジスタ５４２より設定された５ビットのガンマ補正値  ２ビットデ−タ０１の変換デ−タ５ビットＧＭＤＴ１と、２ビットデ−タ１０の変換デ−タ５ビットＧＭＤＴ２を入力し、発光素子アレイユニット１Ａ用画像デ−タ入力セレクト部５３４、デ−タフォ−マット部５３５より出力された２ビットデ−タＩＭＤＡＴＡ１、ＩＭＤＡＴＡ２を５ビットデ−タに変換し、出力デ−タＧＭＭＯＤＡＴ１、２を出力する。出力された５ビットデ−タは、次のデ−タ変換器７５１に入力されテストパタ−ンのセレクトを行って信号ＧＣＯＭＢＤ１、ＧＣＯＭＢＤ１が出力される。
【０４４４】
図４１の第２ＩＣ回路  ７１４における発光素子アレイユニット１Ｂ用のγ補正ビット変換・繋ぎ目光量補正部  ５５６＿２について図６４により制御の説明をする。発光素子アレイユニット１Ｂのデ−タガンマ補正・ビット変換そして、発光素子アレイユニット１Ａと発光素子アレイユニット１Ｂと発光素子アレイユニット１Ｃ間での繋ぎ目における発光量補正処理を本制御にて行う。
【０４４５】
発光素子アレイユニット１Ｂの画像有効範囲を固定し、発光素子アレイユニットの全ドット数７６８０にたいし左右２５８ドットは余白領域でありデ−タ転送は２分割であるので１分割分は３８４０ドットとなり、Ａブロックでの先頭画素デ−タは、２５９ドット目となる。終了画素デ−タは、Ｂブロックの３５８２ドット目である。
【０４４６】
信号発生回路７６０では、基準同期クロックＳＹＳＣＫと、第１ＩＣ回路７１３より出力された読み出し主走査画像開始信号ＲＬＳＹＮＣと、読み出し画像期間信号ＲＦＧＡＴＥ（図３９参照）及び転送制御回路５５１、テストパタ−ン回路５４１にて生成したクロックＣＬＫＥＮ９５をカウンタに入力してカウント信号を生成し、このカウント信号のカウンタ値が２５９カウントになったら信号ＣＮＡＤＡＴ１をＨｉｇｈにする。
【０４４７】
この信号ＣＮＡＤＡＴ１は、発光素子アレイユニット１ＢのＡブロックデ−タＩＭＤＡＴＡ１の繋ぎ目光量補正有効ドットとなる。また、カウンタ値が３５８２カウントになったら信号ＣＮＡＤＡＴ２をＨｉｇｈにする。この信号ＣＮＡＤＡＴ２は、発光素子アレイユニット１ＢのＢブロックデ−タＩＭＤＡＴＡ２の繋ぎ目光量補正有効ドットとなる。
【０４４８】
上記生成された繋ぎ目光量補正有効ドット信号ＣＮＡＤＡＴ１とＣＮＡＤＡＴ２をデ−タ変換器７７０に入力し、さらに、図４１に示すレジスタ５４２にて設定された５ビットガンマ補正デ−タＧＭＤＴ１、ＧＭＤＴ２と同じくレジスタ５４２にて設定された５ビット繋ぎ目光量補正デ−タＡＤＪＬ１、２、３とフォ−マット変換部５３２から出力された２ビットデ−タＩＭＤＡＴＡ１、ＩＭＤＡＴＡ２をデ−タ変換器７７０に入力する。
【０４４９】
入力２ビットデ−タＩＭＤＡＴＡ１は、デ−タ値が００の場合は、０を出力し、デ−タ１１では５ビットＭＡＸの３２値を出力し、デ−タ値が０１の場合は、レジスタ設定された５ビットガンマ補正デ−タＧＭＤＴ１を出力し、デ−タ値が１０の場合は、レジスタ設定された５ビットガンマ補正デ−タＧＭＤＴ２を出力する。（出力５ビットデ−タ  ＧＭＭＯＤＡＴ１）入力デ−タＩＭＤＡＴＡ２についても同様となる。通常は、上記により２ビットデ−タを５ビットデ−タへ変換する。
【０４５０】
データ変換器７６５は、データ変換器７７０より出力されたＧＭＭＯＤＡＴ１［４：０］、ＧＭＭＯＤＡＴ２［４：０］を入力し、入力クロックＳＹＳＣＬＫでラッチをかけてＧＯＭＢＤ１［４：０］、ＧＯＭＢＤ２［４：０］を出力する。
【０４５１】
次に繋ぎ目光量補正制御について述べる。図１１等に示したように発光素子アレイユニット１Ａ、１Ｂ、１Ｃの端部はオ−バ−ラップさせて配列してあり、第１ＩＣ回路７１３のＳＲＡＭ制御にてデ−タのシフトは可能となるが、１ビット単位であり、１ビット以下でのデ−タのシフトはできない。
【０４５２】
仮に発光素子アレイユニット１Ａの終端ビットデ−タと発光素子アレイユニット１Ｂの画像有効開始ビットデ−タつまりＡブロックデ−タの２５９ドット目の間隔が所定の（４２．３μｍ）より離れている場合、まわりより暗くなり、画像では白スジが発生する可能性がある。
【０４５３】
そこで発光素子アレイユニット１Ｂでの画像有効範囲は固定しているので、発光素子アレイユニット１Ａの画像デ−タを第１ＩＣ回路７１３のＳＲＡＭ制御にて１ドット発光素子ヘッド２側へ移動させ、画像デ−タをオ−バ−ラップさせる。すると今度は、繋ぎ目のドット間隔が狭くなりまわりより明るくなり黒スジが発生してしまう。
【０４５４】
そこで、図３２に示す操作装置６０４よりキ−入力し、図４１に示すレジスタ５４２から繋ぎ目光量補正モ−ド有りにすると、前記生成した発光素子アレイユニット１ＢのＡブロックデ−タＩＭＤＡＴＡ１の繋ぎ目光量補正有効ドット信号ＣＮＡＤＡＴ１により入力２ビットデ−タＩＭＤＡＴＡ１の２５９ドット目を注目させレジスタＡＤＪＬ１、２、３の繋ぎ目光量補正デ−タを５ビット可変できる。
【０４５５】
レジスタＡＤＪＬ１、２、３の繋ぎ目光量補正デ−タは、それぞれ入力デ−タ０１，１０，１１に相当し、ＭＡＸ３２値の変換ができる。よって黒スジが発生した場合、２５９ドット目の入力２ビットデ−タＩＭＤＡＴＡ１が１１であればレジスタＡＤＪＬ３の繋ぎ目光量補正デ−タを小さな値に５ビット変換することで黒スジが目立たなくなる。
【０４５６】
繋ぎ目光量補正は、発光素子アレイユニット１Ｂだけでなく、発光素子アレイユニット１Ａの端部デ−タと両方で行うことにより効果が高くなる。発光素子アレイユニット１ＢのＢブロックと発光素子アレイユニット１Ｃの繋ぎ目についても同様の制御となる。
【０４５７】
図４１の第２ＩＣ回路７１４におけるＰセンサ出力部５３７、光量補正デ−タセレクト部５３８について図６５により制御の説明をする。  
電源オン時、発光素子アレイユニットのドット単位及びチップ単位の光量補正デ−タかつゲ−ト信号を、図３７の画像ページメモリ部６０２Ａ１＿１からの光量補正デ−タ、ゲ−ト信号を使用するか、図４１における光量補正ＲＯＭ読み出し制御部５４３で制御した光量補正ＲＯＭからの光量補正デ−タとゲ−ト信号を使用するか、セレクタ７８０に入力してモ−ド切換信号ＫＨＳＥＬにより選択して出力する。
【０４５８】
また、プロセス条件、トナ−濃度出力用に生成したＰセンサイネ−ブル信号と発光素子ヘッド２のＡブロックデ−タをセレクタ７７５へ入力させ両者を出力デ−タＰＳＯＤとして出力させる。出力された光量補正デ−タと光量補正用ゲ−ト信号  及び発光素子ヘッド２画像デ−タであるガンマ補正ビット変換・繋ぎ目光量補正部  ５５６＿２（図４１参照）からの画像デ−タと発光素子アレイユニット１Ａ、１Ｃの画像デ−タに係る、繋ぎ目光量補正部  ５５６＿２、γ補正ビット変換部５５６＿３、からの画像データをセレクタ７８５に入力させ、モード切換信号ＫＨＥＮＢＬにより、光量補正モード、通常画像データ転送（階調モード）の切換を行い、発光素子アレイユニットへ出力させる。
【０４５９】
図４１の第２ＩＣ回路７１４における、発光素子アレイユニットへのストローブ出力制御部５３９について図６６により、発光素子点灯制御・点灯タイミングの説明をする。
【０４６０】
本制御は、発光素子アレイユニットを点灯させるための点灯パルス信号を生成する。発光素子アレイユニットの点灯方式は、主走査１ライン分の５ビットデータをラッチさせた後、主走査期間から設定した３２カウント分のクロック点灯期間を基準に４本の信号ラインに順に出力することで点灯させ、画像を印字するが、ここでは、電源の負担を減らすため、発光素子アレイユニットを４分割して点灯するようにしている。
【０４６１】
まず、第１ＩＣ回路７１３より生成された画像開始信号ＲＬＳＹＮＣと基準同期信号ＳＹＳＣＫをカウンタ７９０に入力してカウントアップさせ、カウンタＳＴＢＷＤを出力する。
【０４６２】
前記カウンタＳＴＢＷＤは、発光素子アレイユニットへ出力する点灯ストローブの１クロック分の内部カウンタである。カウンタリセットは、図４１におけるレジスタ５４２で設定されたストローブ１クロック分の周期ＳＴＢＣＹＣにてリセットさせる。
【０４６３】
また、ストロ−ブ１クロック分の周期ＳＴＢＣＹＣでの中間カウント値を周期ＳＴＢＣＹＣと同様、期間ＳＴＢＤＴＹを設定させカウンタＳＴＢＷＤと組み合わせてストロ−ブ１クロック分の中間イネ−ブル信号ＳＴＢＷＤＤＴＹを生成し出力する。
【０４６４】
次に１クロック周期信号ＳＴＢＷＤＣＹＣ（ＳＴＢＷＤ＝ＳＴＢＣＹＣ）をカウンタ７９１に入力させ同信号を基準にカウンタＳＴＢＣＮＴを出力させる。カウンタリセットは、カウンタＳＴＢＣＮＴが３１カウント（０〜３１で３２カウント）になったらリセットさせる。次にカウンタＳＴＢＣＮＴが３１カウントをカウンタ７９２に入力させ同信号を基準にカウンタＳＴＢＢＬＫを出力させる。カウンタリセットは、カウンタＳＴＢＢＬＫが３カウントになったらリセットさせる。
【０４６５】
次に上記カウンタＳＴＢＢＬＫが３カウントした信号と第１ＩＣ回路７１３より生成された読み出し主走査画像開始信号ＲＬＳＹＮＣを主走査ＳＴＢ期間生成回路７９３に入力させ、主走査１ラインでのストロ−ブ信号期間ＳＴＢＬＥＮを出力する。また、副走査ストロ−ブ期間は、回路７９４にて生成し出力する。
【０４６６】
カウンタ７９０、７９１、７９２、７９３、７９４で生成された信号をＳＴＢクロック生成回路７４１に入力させ４本のストロ−ブクロックに順に出力させる（ＳＴＢＣＬＫ０〜３）。
【０４６７】
ストロ−ブ１クロック分の周期ＳＴＢＣＹＣと中間カウント値期間ＳＴＢＤＴＹの設定について述べる。  
発光素子アレイユニットの点灯時間は、主走査期間に対して８％〜１５％としている。仮に点灯時間１０％とすると主走査期間４７０．３μｓｅｃだと４７．０３μｓｅｃがストロ−ブクロック周期となり３２クロックが含まれている。１クロックの周期は、４７．０３μｓｅｃ／３２クロックで１．４７μｓｅｃとなる。基準同期クロックＳＹＳＣＫは１９ＭＨｚであり０．０５２μｓｅｃの周期なので１クロックの周期１．４７μｓｅｃは、基準同期クロックＳＹＳＣＫが２８カウント分となる。（カウンタＳＴＢＷＤ  ０〜２７カウント）よって、ストロ−ブ１クロック分の周期ＳＴＢＣＹＣは、設定値２７となり、中間カウント値期間ＳＴＢＤＴＹは、設定値１３となる。
【０４６８】
さらに、前記記載した制御方法、５ビット画像デ−タに対応させた点灯期間のパルス制御の他に、図４３の発光素子アレイユニット内部回路に記載した、発光素子の電流を設定しているＶｒｅｆ信号をＤ／Ａコンバ−タで電圧を変化させ印可電流を制御することでも可能である。
６−ｂ．書き込み範囲シフト処理
複数個の発光ダイオードアレイユニットの書き込み幅方向の領域を、互いにオーバラックして配列させ、分割された画像データを各々の発光素子アレイユニット内の任意の位置に発光素子単位で制御し書き込み範囲シフト処理を行なう書き込み範囲シフト手段について説明する。
【０４６９】
書き込み範囲シフト手段を構成する制御部６０２の回路構成は、前記６−ａ項で述べた構成と同じである。  
まず、書き込み範囲シフト手段の基本構成について図３８、図３９を参照しながら説明する。
【０４７０】
第１ＩＣ回路７１３に入力された画像データは、２ビットイ−ブンデ−タＥＤ（１．．０）、２ビットオッドデ−タＯＤ（１．．０）としてＳＲＡＭアドレス信号ＡＡＤＲ（１０．．０）及びＢＡＤＲ（１０．．０）と共にＡ群の６個のＳＲＡＭ（符号５１４Ａ＿１〜５１４Ａ＿６が相当）、Ｂ群の６個のＳＲＡＭ（符号５１４Ｂ＿１〜５１４Ｂ＿６が相当）に転送周波数２５ＭＨｚで同時入力される。
【０４７１】
発光素子アレイユニット１Ａ、１Ｂ、１Ｃは、総ｄｏｔ数２３０４０ｄｏｔ（Ａ３幅７６８０ｄｏｔ×３本）でデータ転送が６分割（１本／２分割×３本）方式のため、Ａ３幅ＬＥＤヘッド１本の１分割分である３８４０ｄｏｔ（７６８０ｄｏｔ／２分割）毎に、Ａ群としてＳＲＡＭ    ５１４Ａ＿１〜５１４Ａ＿６の６個を設け、２ｄｏｔ（ＥＤ：２ｂｉｔ、ＯＤ：２ｂｉｔ）分の画像データを４ｂｉｔとして１アドレスに割り当て、主走査１ライン分の画像データをＡ群のＳＲＡＭ１    ５１４Ａ＿１に発光素子アレイユニット１Ａの１分割目の画像データ、ＳＲＡＭ２    ５１４Ａ＿２に発光素子アレイユニット１ＡＡの２分割目の画像データ、ＳＲＡＭ３    ５１４Ａ＿３に発光素子アレイユニット１Ｂの１分割目の画像データ、ＳＲＡＭ４    ５１４Ａ４に発光素子アレイユニット１Ｂの
２分割目の画像データ、ＳＲＡＭ５    ５１４Ａ＿５に発光素子アレイユニット１Ｃ    ５０３＿３の１分割目の画像データ、ＳＲＡＭ６    ５１４Ａ＿６に発光素子アレイユニット１Ｃの２分割目の画像データを格納する。
【０４７２】
画像転送周波数２５ＭＨｚでＡ群の６個のＳＲＡＭ（符号５１４Ａ＿１〜５１４Ａ＿６が相当）に順次格納された画像データは、画像転送周波数４．７５ＭＨｚでＡ群の６個のＳＲＡＭ（符号５１４Ａ＿１〜５１４Ａ＿６が相当）から同時に読み出され、ＳＲＡＭ１    ５１４Ａ＿１、ＳＲＡＭ２    ５１４Ａ＿２から読み出された発光素子アレイユニット１Ａ    ５０３＿１の画像データは第２ＩＣ回路７１４へＳＯＤＡ１（３．．０）、ＳＯＤＡ２（３．．０）、ＳＯＤＢ１（３．．０）、ＳＯＤＢ２（３．．０）として入力され、ＳＲＡＭ３    ５１４Ａ＿３、ＳＲＡＭ４    ５１４Ａ＿４から読み出された発光素子アレイユニット１Ｂ    ５０３＿２の画像データ及び、ＳＲＡＭ５    ５１４Ａ＿５、ＳＲＡＭ６    ５１４Ａ＿６から読み出された発光素子アレイユニット１Ｃ  ５０３＿３
の画像データは画像遅延メモリ部のフィールドメモリ    ５１５＿１〜５１５＿３に送られる。
【０４７３】
Ａ群の６個のＳＲＡＭ（符号５１４Ａ＿１〜５１４Ａ＿６が相当）が読み出しを行っている間に、次のラインをＢ群の６個のＳＲＡＭ（符号１５１４Ｂ＿１〜５１４Ｂ＿６が相当）にＡ群と同様に格納する。
【０４７４】
このリード、ライト動作をＡ郡の６個のＳＲＡＭ（符号５１４Ａ＿１〜５１４Ａ＿６が相当）、Ｂ郡の６個のＳＲＡＭ（符号５１４Ｂ＿１〜５１４Ｂ＿６が相当）をトグル動作させることによりライン間の繋ぎを行う。  
上記構成により主走査方向の各ＬＥＤヘッドへの画像デ−タ転送分割が可能となる。
【０４７５】
次に主走査１ラインでの発光素子アレイユニットへの転送デ−タからみると、複数個（本例は３本）の発光素子アレイユニットを図４８（ａ）に示すように発光素子アレイユニット１Ａの右側と発光素子アレイユニット１Ｂの左側、さらに発光素子アレイユニット１Ｂの右側と発光素子アレイユニット１Ｃの左側の端部を重複させた取り付けにし、各発光素子アレイユニットの有効画像範囲は、両端部に余白をもたせた構成としている。
【０４７６】
仮に最大画像領域２１６１２ドットの画像を発光素子アレイユニットへ書き込むものとすると、基本書き込みは、図４８（ａ）に示すように発光素子アレイユニット１Ａについては左画像余白１９８ドットであり、右画像余白、つまり発光素子アレイユニット１Ｂとの繋ぎ目部では２５８ドットとなり、有効画像は７２２４ドットとなる。  
発光素子アレイユニット１Ｂについては両端部でそれぞれ２５８ドットを余白部とし、有効画像は７１６４ドットとなる。
【０４７７】
発光素子アレイユニット１Ｃは右画像余白が１９８ドットであり、左画像余白、つまり発光素子アレイユニット１Ｂとの繋ぎ目部では２５８ドットとなり、有効画像は７２２４ドットとなる。
【０４７８】
画像デ−タは、発光素子アレイユニット１Ａの左１９９ドット目から転送されてきて右側の２５９ドットまで転送し、発光素子アレイユニット１Ｂの左２５９ドットに続く。さらに発光素子アレイユニット１Ｂの右２５９ドットまでデ−タ転送されると発光素子アレイユニット１Ｃの左２５９ドットに転送される。
【０４７９】
ここで、発光素子アレイユニット１Ａの取り付けが、発光素子アレイユニット１Ｂ側に寄っていた場合、上記の画像デ−タ転送では、発光素子アレイユニット１Ａ、１Ｂ間において発光素子アレイユニット１Ａの右デ−タと発光素子アレイユニット１Ｂの左デ−タが重なってしまい、発光素子の点灯が重なった部分だけ明るくなり黒スジ画像が発生する。
【０４８０】
そこで、書き込み範囲シフト処理として、本制御であるＳＲＡＭ書き込み制御にて、発光素子アレイユニット１Ｂの有効画像範囲つまり余白部は固定で２５８ドットとして発光素子アレイユニット１Ａの書き込む領域を左にシフトさせて画像を重ならないように制御する。
【０４８１】
また、発光素子アレイユニット１Ａの取り付けが、発光素子アレイユニット１Ｂ側から離れて取り付いていた場合、上記の画像デ−タ転送では、発光素子アレイユニット１Ａ、１Ｂ間において発光素子アレイユニット１Ａの右デ−タと発光素子アレイユニット１Ｂの左デ−タが離れてしまい発光素子を点灯させても画像デ−タが離れた部分は点灯しないので白スジ画像が発生する。
【０４８２】
そこで、ＳＲＡＭ書き込み制御にて、発光素子アレイユニット１Ｂの有効画像範囲つまり余白部は固定で２５８ドットとしているので、発光素子アレイユニット１Ａの書き込む領域を右にシフトさせて画像を重ならないように制御する。上記発光素子アレイユニット１Ａの左右のシフト制御（ＳＲＡＭ書き込み制御）にて、１ドット単位でのシフトを可能とし発光素子アレイユニット間の繋ぎ目位置調整が制御できる。
【０４８３】
次に、図４９により、ＳＲＡＭ書き込み、読み出しの各発光素子アレイユニットの転送方向とＳＲＡＭアドレスについて述べる。  
有効画素番号８０５は、図３８の画像ページメモリ部６０２Ａ１＿１から転送される１画素デ−タであり最大画像デ−タ数２１６１２画素（ドット）に転送される順番に番号０から２１６１１に配列したものである。
【０４８４】
３本の発光素子アレイユニットのデ−タ分担は発光素子アレイユニット１Ａが、０から７２２３ドットであり、発光素子アレイユニット１Ｂは、７２２４ドットから１４３８７であり、発光素子アレイユニット１Ｃは、１４３８８ドットから２１６１１ドットとなる。
【０４８５】
図４９における、発光素子アレイユニット上の物理位置８０６＿１、２、３は、有効画素番号８０５の転送された１画素デ−タが各発光素子アレイユニットのどの場所で点灯するかを記したものである。
【０４８６】
発光素子アレイユニットは、内部の構成が転送周波数を下げる為に、デ−タ転送を２分割にしてあり、１本あたり７６８０ドットの半分の３８４０ドットずつとなる。
【０４８７】
３本の発光素子アレイユニットは、副走査方向のズレ量を少なくするため、中央の発光素子アレイユニット１Ｂのみが主走査方向上、他の発光素子アレイユニットと比べて１８０度反転させ、左右逆方向で千鳥状に取り付けられいるので、発光素子アレイユニット１Ａは、デ−タ転送が、下から（実際には、右から左へ）始まり、発光素子アレイユニット１Ｂは、デ−タ転送が、上から（実際には、左から右へ）始まり、発光素子アレイユニット１Ｃは、デ−タ転送が、下から（実際には、右から左へ）始まる。
【０４８８】
３本の発光素子アレイユニットを重複させて一直線とすると、発光素子アレイユニット１ＡのＡブロック２５８ドット目の次に発光素子アレイユニット１ＢのＡブロック２５８ドット目が続くことで画像デ−タがずれることなく繋がる。
【０４８９】
同様に、発光素子アレイユニット１ＢのＢブロック３５８１ドット目の次に発光素子アレイユニット１ＢのＢブロック３５８１ドット目が続き画像デ−タがずれることなく繋がる。
【０４９０】
次に図４９において、ＳＲＡＭ上のアドレス８０７＿１〜６  は、発光素子アレイユニット１本あたりデ−タ転送２分割の１分割に１ヶのＳＲＡＭを対応させている。（発光素子アレイユニット３本×２分割  ＝６ヶ  ＳＲＡＭは、６ヶ必要）１ライン目のデ−タをＡ群の６個のＳＲＡＭに書き込み、次の２ライン目を別のＢ群ＳＲＡＭに書き込むので１２ヶのＳＲＡＭを使用する構成である。
【０４９１】
発光素子アレイユニットのデ−タ転送方向が、発光素子アレイユニット１Ａ、１Ｃは、下からで、発光素子アレイユニット１Ｂは、上からであるので、各ＳＲＡＭへの書き込みアドレスを、発光素子アレイユニット１Ａ、１Ｃは、ダウンカウントし、発光素子アレイユニット１Ｂは、アップカウントさせる。
【０４９２】
画像デ−タ転送制御回路に転送されてきた入力デ−タは、１ライン転送期間、画像密度の関係より画像転送周波数２５ＭＨｚにて２ビットイ−ブンデ−タ、２ビットオッドデ−タの２ドット単位同時にＳＲＡＭ１アドレスに、書き込まれる（格納される）。よって発光素子アレイユニット１Ａの１分割分のデ−タ、３８４０ドットの半分の１９２０アドレスとなる。
【０４９３】
ＳＲＡＭの書き込みスタ−トアドレス、書き込み終了アドレスは、原稿・転写紙サイズに依存し画像ページメモリ部６０２Ａ１＿２にて判断し適切なアドレス値を出力し、図４０に示すレジスタ５３０により転送される。
【０４９４】
ここで、前記記載したＬＥＤヘッド１と２の繋ぎ目部が仮に２ドット分（４２．３μｍ×２ドット）オ−バ−ラップしていて画像に黒縦スジが発生する場合、ＳＲＡＭアドレス  ８０７＿２のＳＲＡＭ２  アドレス８１Ｈでのダウンカウント終了を仮に８０Ｈまでとし、発光素子アレイユニット１Ｂ用の  ＳＲＡＭ３のアドレス８１Ｈへ転送する。よって、上記デ−タをＳＲＡＭの書き込みアドレス（格納部）の変更により入力デ−タをずらすことで画像が重ならないため黒スジにならなくなる。更に、前記ＳＲＡＭへの書き込みは、２ドット単位であり１ドットずらして画像を転送する制御として図５６で説明した制御を用いる。
【０４９５】
ＳＲＡＭへの１アドレスへのデ−タは、イ−ブンデ−タとオッドデ−タの２ドット単位である。このままでは、２ドット単位の繋ぎ目位置調整しかできず、発光素子アレイユニット１Ａと発光素子アレイユニット１Ｂとの繋ぎ目部、発光素子アレイユニット１Ｂと発光素子アレイユニット１Ｃとの繋ぎ目部の各発光素子アレイユニット間の位置補正を１ドット単位で制御するために、ＳＲＡＭ書き込みアドレスを変更せず、入力デ−タを１ドットずらす変換をしている。
【０４９６】
図５６において、入力２ビットイ−ブンデ−タＰＫＥＤと入力２ビットオッドデ−タＰＫＯＤをラッチ１回路８１０に入力し、入力書き込みクロックＳＷＣＬＫにてラッチさせ、出力デ−タＰＫＥＤ１Ｄ、ＰＫＯＤ１Ｄを出力する。出力したＰＫＯＤ１Ｄを更にラッチ２回路８１１にてラッチさせ、ＰＫＯＤ２Ｄを出力する。ラッチ１回路８１０、ラッチ２回路８１１にて出力されたデ−タは、符号８１２で示す発光素子アレイユニット１Ｃの１ドット遅延したデ−タ、発光素子アレイユニット１Ｂ、発光素子アレイユニット１Ｃの正規デ−タ、発光素子アレイユニット１Ａの１ドット遅延したデ−タ、発光素子アレイユニット１Ａの正規デ−タとなりセレクタ８１３に入力される。
【０４９７】
セレクタ８１３に入力されたデ−タは、どのＳＲＡＭのデ−タかを決めているＳＲＡＭ書き込み処理シ−ケンサｓｅｑ＿ｐと図３７の画像ページメモリ部６０２Ａ１＿１からレジスタ５３０（図４０参照）により転送された信号  ＳＨＩＦＴ１、ＳＨＩＦＴ３と、書き込み開始アドレスと、発光素子アレイユニット１Ｂ−１Ｃ接続アドレス、そしてＳＲＡＭカウンタＷＣＮＴにより選択され、出力デ−タＥＤ、ＯＤが出力される。
【０４９８】
上記、発光素子アレイユニット１Ａ−１Ｂ間繋ぎ目アドレス、発光素子アレイユニット１Ｂ−１Ｃ間繋ぎ目アドレスは、操作装置６０４からの操作パネルキ−操作にて入力し、画像ページメモリ部６０２Ａ１＿１からレジスタ５３０（図４０参照）により転送される。前記操作により繋ぎ目の調整が可能である。また、前記調整に伴い、書き込みスタ−トアドレス、終了アドレスも変化する。
【０４９９】
図４９において、ＳＲＡＭ読み出し方向８０８＿１〜６では、ＳＲＡＭ上のアドレス８０７＿１〜６に書き込まれたデ−タを  ＳＲＡＭ１〜６同時に、アドレス０からアップカウントして読み出す。読み出し方向は、各発光素子アレイユニット取り付けでの転送方向となり画像転送周波数は、ＳＲＡＭ書き込み周波数２５ＭＨｚに対し約５分の１の４，７５ＭＨｚにて制御する。  
以上の制御動作を行うことで、複数の発光素子アレイユニットに転送する画像データの主走査方向分割位置（繋ぎ目位置）を制御可能になる。
６−ｃ．発光量補正処理
ここでは、複数の発光素子アレイユニット間の繋ぎ目での主走査方向の発光素子間隔が、所定の間隔より短い場合には発光量を小さくなるように、長い場合は発光量を大きくなるように制御し、繋ぎ目位置での光量ムラをなくするようにする発光量補正処理について述べる。発光量補正処理に係る制御部６０２の回路構成は、前記６−ａ項、６−ｂ項で述べた構成と同じである。
【０５００】
前記「６−ｂ．書き込み範囲シフト処理」におけるＳＲＡＭ書き込み制御では、画像デ−タにたいして１ドットまでの発光素子アレイユニット間の繋ぎ目位置調整が制御できるが、仮に発光素子アレイユニット１Ａの画像有効範囲デ−タの終端ビットと発光素子アレイユニット１Ｂの画像有効開始ビットつまり発光素子アレイユニット１ＢのＡブロックデ−タの２５９ドット目の間隔が１ドットより広く、２ドットより狭い場合、（１ドットより広いの意味は、１ドット４２．３μｍであり、発光素子アレイユニット１Ａの画像有効範囲デ−タの終端ビットの中央部から発光素子アレイユニット１Ｂの画像有効開始ビットつまり、発光素子アレイユニット１ＢのＡブロックデ−タの２５９ドット目の中央部との間隔が４２．３μｍであれば、繋ぎ目は一直線になっている。
【０５０１】
また、上記、「２ドットより狭い」の意味は、前述同様、発光素子アレイユニット１Ａの画像有効範囲デ−タの終端ビットの中央部から発光素子アレイユニット１Ｂの画像有効開始２ビット目との間隔が２ドット分の８４．６μｍであれば、ＳＲＡＭ書き込み制御にて１ドットシフトを行うことで繋ぎ目が一直線になる。
【０５０２】
しかし、発光素子アレイユニット１Ａの画像有効範囲デ−タの終端ビットと発光素子アレイユニット１Ｂの画像有効開始ビットが、４２．３μｍから８４．６μｍまでだとＳＲＡＭ書き込み制御ではデ−タのシフトができないため、まわりより暗くなり、画像では白スジが発生する可能性がある。
【０５０３】
そこで、発光素子アレイユニット１Ｂでの画像有効範囲は固定しているので、発光素子アレイユニット１Ａの画像デ−タを第１ＩＣ回路７１３のＳＲＡＭ制御にて１ドット、発光素子アレイユニット１Ｂ側へ移動させ、画像デ−タをオ−バ−ラップさせる。すると今度は、繋ぎ目のドット間隔が１ドット以下で狭くなりまわりより明るくなり黒スジが発生してしまう。
【０５０４】
そこで、図６４の制御回路を用い重なった発光素子アレイユニット１Ｂの画像有効開始ビットつまり発光素子アレイユニット１ＢのＡブロックデ−タの２５９ドット目をデ−タをシフトさせるのではなく、デ−タを置換することでデ−タ整列を行う。
【０５０５】
以下にデ−タの置換について述べる。  
図６４において、発光素子アレイユニット１Ｂのデ−タガンマ補正・ビット変換、そして、繋ぎ目光量補正を本制御にて行う。図４８（ａ）、図４９において、発光素子アレイユニット１Ｂの画像有効範囲を固定し、発光素子アレイユニットの全ドット数７６８０に対し、左右２５８ドットは余白領域でありデ−タ転送は２分割であるので１分割分は３８４０ドットとなり、Ａブロックでの先頭画素デ−タは、２５９ドット目となる。終了画素デ−タは、Ｂブロックの３５８２ドット目である。
【０５０６】
基準同期クロックＳＹＳＣＫと第１ＩＣ回路７１３より出力された読み出し主走査画像開始信号ＲＬＳＹＮＣと読み出し画像期間信号ＲＦＧＡＴＥ（図３９参照）及び図４１に示した転送制御回路５５１、テストパタ−ン発生５４１にて生成したクロックＣＬＫＥＮ９５にてカウンタを生成しカウンタ値が２５９カウントになったら信号ＣＮＡＤＡＴ１をＨｉｇｈにする。
【０５０７】
この信号ＣＮＡＤＡＴ１は、発光素子アレイユニット１ＢのＡブロックデ−タＩＭＤＡＴＡ１の繋ぎ目光量補正有効ドットとなる。また、カウンタ値が３５８２カウントになったら信号ＣＮＡＤＡＴ２をＨｉｇｈにする。この信号ＣＮＡＤＡＴ２は、発光素子アレイユニット１ＢのＢブロックデ−タＩＭＤＡＴＡ２の繋ぎ目光量補正有効ドットとなる。
【０５０８】
上記生成された繋ぎ目光量補正有効ドット信号ＣＮＡＤＡＴ１とＣＮＡＤＡＴ２をデ−タ変換器７７０に入力し更にレジスタ５４２（図４０参照）にて設定された５ビットガンマ補正デ−タＧＭＤＴ１、ＧＭＤＴ２と同じくレジスタ５４２にて設定された５ビット繋ぎ目光量補正デ−タＡＤＪＬ１、２、３とフォ−マット変換部５３２（図５９参照）から出力された２ビットデ−タＩＭＤＡＴＡ１、ＩＭＤＡＴＡ２を入力する。
【０５０９】
入力２ビットデ−タＩＭＤＡＴＡ１は、デ−タ値が００の場合は、０を出力し、デ−タ１１では５ビットＭＡＸの３２値を出力し、デ−タ値が０１の場合は、レジスタ設定された５ビットガンマ補正デ−タＧＭＤＴ１を出力し、デ−タ値が１０の場合は、レジスタ設定された５ビットガンマ補正デ−タＧＭＤＴ２を出力する。（出力５ビットデ−タ  ＧＭＭＯＤＡＴ１）入力デ−タＩＭＤＡＴＡ２についても同様となる。通常は、上記により２ビットデ−タを５ビットデ−タへ変換する。
【０５１０】
次に上記発光素子アレイユニット間の繋ぎ目ドット間隔が狭くなりまわりより画像が明るくなり画像に縦黒スジが発生したのならば、操作装置６０４よりキ−入力し、レジスタ５４２（図４１参照）から繋ぎ目光量補正モ−ド有りにすると、前記生成した発光素子アレイユニット１ＢのＡブロックデ−タＩＭＤＡＴＡ１の繋ぎ目光量補正有効ドット信号ＣＮＡＤＡＴ１により入力２ビットデ−タＩＭＤＡＴＡ１の２５９ドット目を注目させレジスタＡＤＪＬ１，２，３の繋ぎ目光量補正デ−タを５ビットに変えることができる。
【０５１１】
レジスタＡＤＪＬ１，２，３の繋ぎ目光量補正デ−タは、それぞれ入力デ−タ０１、１０、１１に相当し、ＭＡＸ３２値の変換ができる。よって黒スジが発生した場合、２５９ドット目の入力２ビットデ−タＩＭＤＡＴＡ１が１１であればレジスタＡＤＪＬ３の繋ぎ目光量補正デ−タを３２値ＭＡＸでの出力をせず、例えば、半分の５ビット１６値を代入することで重なったデ−タの発光素子点灯が暗くなり画像の黒スジが目立たなくなる。入力デ−タが０１、１０についても同様で５ビットデ−タ値を小さくすることで黒スジを目立たなくすることができる。
【０５１２】
また、繋ぎ目光量補正は、発光素子アレイユニット１Ｂの有効画像領域の両端だけでなく、発光素子アレイユニット１Ａの端部デ−タと両方で行うことにより効果が高くなる。発光素子アレイユニット１ＢのＢブロックと発光素子アレイユニット１Ｃの繋ぎ目についても同様の制御となる。
【０５１３】
前記繋ぎ目デ−タを変換後における、発光素子アレイユニットからの明るさ制御手段について述べる。図６６を参照しながら説明する。  
本制御は、発光素子アレイユニットを点灯させるための点灯パルス信号を生成する。発光素子アレイユニットの点灯方式は、主走査１ライン分の５ビットデ−タをラッチさせた後、主走査期間から設定した３２カウント分のクロック点灯期間を基準に４本の信号ラインに順に出力することで点灯し画像が印字される。電源の負担を減らすため、発光素子アレイユニットを４分割して点灯するようにしている。
【０５１４】
まず、第１ＩＣ回路７１３より生成された画像開始信号ＲＬＳＹＮＣと基準同期信号ＳＹＳＣＫをカウンタ７９０に入力しカウントアップさせカウンタＳＴＢＷＤを出力する。前記カウンタＳＴＢＷＤは、発光素子アレイユニットへ出力する点灯ストロ−ブの１クロック分の内部カウンタである。
【０５１５】
カウンタリセットは、レジスタ５４２（図４１参照）で設定されたストロ−ブ１クロック分の周期ＳＴＢＣＹＣにてリセットさせる。また、ストロ−ブ１クロック分の周期ＳＴＢＣＹＣでの中間カウント値を周期ＳＴＢＣＹＣと同様、期間ＳＴＢＤＴＹを設定させカウンタＳＴＢＷＤと組み合わせてストロ−ブ１クロック分の中間イネ−ブル信号ＳＴＢＷＤＤＴＹを生成出力する。
【０５１６】
次に１クロック周期信号ＳＴＢＷＤＣＹＣ（ＳＴＢＷＤ＝ＳＴＢＣＹＣ）をカウンタ７９１に入力させ同信号を基準にカウンタＳＴＢＣＮＴを出力させる。カウンタリセットは、カウンタＳＴＢＣＮＴが３１カウント（０〜３１で３２カウント）になったらリセットさせる。次にカウンタＳＴＢＣＮＴが３１カウントをカウンタ７３８に入力させ同信号を基準にカウンタＳＴＢＢＬＫを出力させる。カウンタリセットは、カウンタＳＴＢＢＬＫが３カウントになったらリセットさせる。
【０５１７】
次に上記カウンタＳＴＢＢＬＫが３カウントした信号と第１ＩＣ回路７１３より生成された読み出し主走査画像開始信号ＲＬＳＹＮＣを主走査ＳＴＢ期間生成回路に入力させ、主走査１ラインでのストロ−ブ信号期間ＳＴＢＬＥＮを出力する。また、副走査ストロ−ブ期間は、回路７９４にて生成し出力する。前記カウンタ７９０、７９１、７９２、７９３、７９４で生成された信号をＳＴＢクロック生成回路７９５に入力させ４本のストロ−ブクロックに順に出力させる（ＳＴＢＣＬＫ０〜３）
ストロ−ブ１クロック分の周期ＳＴＢＣＹＣと中間カウント値期間ＳＴＢＤＴＹの設定について述べる。  
発光素子アレイユニットの点灯時間は、主走査期間に対して８％〜１５％としている。仮に点灯時間１０％とすると主走査期間４７０．３μｓｅｃだと４７．０３μｓｅｃがストロ−ブクロック周期となり３２クロックが含まれている。１クロックの周期は、４７．０３μｓｅｃ／３２クロックで１．４７μｓｅｃとなる。基準同期クロックＳＹＳＣＫは１９ＭＨｚであり０．０５２μｓｅｃの周期なので１クロックの周期１．４７μｓｅｃは、基準同期クロックＳＹＳＣＫが２８カウント分となる。（カウンタＳＴＢＷＤ  ０〜２７カウント）よって、ストロ−ブ１クロック分の周期ＳＴＢＣＹＣは、設定値２７となり、中間カウント値期間ＳＴＢＤＴＹは、設定値１３となる。
【０５１８】
更に、前記記載した制御方法、５ビット画像デ−タに対応させた点灯期間のパルス制御の他に、図４３の発光素子アレイユニットの内部回路に記載した、発光素子の電流を設定しているＶｒｅｆ信号をＤ／Ａコンバ−タで電圧を変化させ印可電流を制御することでも可能とする。
【図面の簡単な説明】
【０５１９】
【図１】この発明の一実施形態例である光書き込み装置の複数の発光素子アレイユニットにおける相対位置関係を説明するための平面図である。
【図２】画像形成装置の一部であって、図１における光書き込み装置を感光体ドラムと共に示した斜視図である。
【図３】互いに隣接する発光素子アレイユニットを接続部材で繋ぐ位置が書き込みドットの切り替わり位置から距離Ｌｄ離れていると画像に不具合が発生することを説明した図である。
【図４】３個の発光素子アレイユニットを互いに位置をずらしてそれぞれ隣接させて配置した光書き込み装置の実施の形態を示す図１と同様な平面図である。
【図５】画像形成装置の一部であって、図４における光書き込み装置を感光体ドラムと共に示した斜視図である。
【図６】互いに隣接する発光素子アレイユニットの書き込みドットの切り替わり位置の相対位置が温度上昇時にずれてしまうのを説明した図である。
【図７】各基板を筐体からそれぞれ一部を突出させるようにした光書き込み装置の実施の形態を示した図１と同様の平面図である。
【図８】発光素子アレイユニットの斜視図である。
【図９】アレイ位置調整手段を設けた画像書き込み装置の実施の形態を示す図１と同様な平面図である。
【図１０】基板上における発光素子の配列状態を例示した模式的な説明図である。
【図１１】図１１（ａ）は接続部材で接続された３つの発光素子アレイユニットの平面図、図１１（ｂ）は図１１（ａ）を矢視Ｂ方向からみた図である。
【図１２】発光素子アレイユニットからの光の結像位置を発光素子アレイユニットの断面共に示した図である。
【図１３】発光素子アレイユニットの分解斜視図である。
【図１４】発光素子アレイユニットの分解斜視図である。
【図１５】図１５（ａ）は接続部材で接続された３つの発光素子アレイユニットの平面図、図１５（ｂ）は図１５（ａ）を矢視Ｂ方向からみた図である。
【図１６】図１６（ａ）は接続部材で接続された３つの発光素子アレイユニットの平面図、図１６（ｂ）は図１６（ａ）を矢視Ｂ方向からみた図である。
【図１７】図１７（ａ）は接続部材で接続された３つの発光素子アレイユニットの平面図、図１７（ｂ）は図１７（ａ）を矢視Ｂ方向からみた図である。
【図１８】図１８（ａ）は接続部材で接続された３つの発光素子アレイユニットの平面図、図１８（ｂ）は図１８（ａ）を矢視Ｂ方向からみた図である。
【図１９】光書き込み装置の分解斜視図である。
【図２０】ピント調節手段及び副走査調節手段を基板の固定手段と共に説明した斜視図である。
【図２１】ピント調節手段及び副走査調節手段を基板の可動支持手段と共に説明した斜視図である。
【図２２】補助支持手段を説明した斜視図である。
【図２３】補助支持手段を説明した図１９における矢視Ｇ−Ｇ断面図である。
【図２４】補助支持手段を説明した斜視図である。
【図２５】取り付け手段を説明した分解斜視図である。
【図２６】取り付け手段を説明した正面図である。
【図２７】図２７（ａ）は接続部材で接続された３つの発光素子アレイユニットの平面図、図２７（ｂ）は図２７（ａ）を矢視Ｂ方向からみた図である。
【図２８】図２８（ａ）、図２８（ｂ）は、図５に示した発光素子アレイユニットの継ぎ目における照射光の感光体上でのドット配列を拡大して示した図である。
【図２９】図２９（ａ）、図２９（ｂ）は、感光体上の発光素子アレイユニットの継ぎ目部に対応する部分での主走査方向の位置と照射光量との関係を示す線図である。
【図３０】図３０（ａ）、図３０（ｂ）は、感光体上の発光素子アレイユニットの継ぎ目部に対応する部分での主走査方向の位置と照射光量との関係を示す線図である。
【図３１】図５に示した発光素子アレイユニットの継ぎ目における照射光の感光体上でのドット配列を拡大して示した図である。
【図３２】図５に示した発光素子アレイユニットの継ぎ目における照射光の感光体上でのドット配列を拡大して示した図である。
【図３３】図５に示した発光素子アレイユニットの継ぎ目における照射光の感光体上でのドット配列を模式的に示した図である。
【図３４】画像形成装置の概略構成を説明した正面図である。
【図３５】画像形成のための画像情報処理システムを示したブロック図である。
【図３６】操作パネルの正面図である。
【図３７】画像データの流れを説明したブロック図である。
【図３８】発光素子書き込み制御回路のブロック図である。
【図３９】発光素子書き込み制御回路のブロック図である。
【図４０】第１ＩＣ回路の内部構成を説明したブロック図である。
【図４１】第２ＩＣ回路の内部構成を説明したブロック図である。
【図４２】発光素子アレイユニット内部構成及び制御系を説明したブロック図である。
【図４３】発光素子を発光させるための回路図である。
【図４４】図４４（ａ）は入力データ部・細線化部のブロック図、図４４（ｂ）はテストパターン発生制御部のブロック図、図４４（ｃ）はテストパターンセレクト部のブロック図である。
【図４５】図４５（ａ）は信号セレクト部のブロック図、図４５（ｂ）は画像情報記憶装置からのアドレスデータの流れを説明したブロック図である。
【図４６】ダブルコピー制御部を説明したブロック図である。
【図４７】ダブルコピー用の各種信号のタイミングチャートである。
【図４８】図４８（ａ）は発光素子アレイユニットの配置を模視的に示した図、図４８（ｂ）は図４８（ａ）における発光素子アレイユニットの配置を矢視Ａ方向から見た図である。
【図４９】発光素子アレイユニットの各発光素子と発光制御系における各種制御因子との対応関係を模視的に示した図である。
【図５０】ブロック切換制御部のブロック図である。
【図５１】ＳＬＡＭ書き込み制御部のブロック図である。
【図５２】ＳＬＡＭ読み出し制御部のブロック図である。
【図５３】書き込みパルス生成部のブロック図である。
【図５４】アドレスセレクタ部のブロック図である。
【図５５】画像データＲＡＭ部におけるＳＬＡＭ書き込みにおける各種信号のタイミングチャートである。
【図５６】リセットＩＣにおける信号処理を模視的に説明した図である。
【図５７】フィールドメモリ書き込み制御部のブロック図である。
【図５８】レジスタのブロック図である。
【図５９】フォ−マット変換部のブロック図である。
【図６０】転送制御回路等のブロック図である。
【図６１】光量補正ＲＯＭ読み出し制御部のブロック図である。
【図６２】フィ−ルドメモリ読み出し制御部のブロック図である。
【図６３】アンプのブロック図である。
【図６４】γ補正ビット変換・繋ぎ目光量補正部のブロック図である。
【図６５】Ｐセンサ出力部、光量補正デ−タセレクト部のブロック図である。
【図６６】ストロ−ブ出力制御部のブロック図である。
【符号の説明】
【０５２０】
２ａ、２ｂ、２ｃ、２２ａ、２２ｂ、２２ｃ  基板
４ａ、４ｂ、４ｃ、２４ａ、２４ｂ、２４ｃ  （保持体としての）筐体
３、３Ａ、３Ｂ、１３、１６Ｒ、１６Ｌ、３３Ａ、３３Ｂ、４３、４４、１６
００Ｒ、１６００Ｌ、１６０１Ｒ、１６０１Ｌ、１６０００Ｒ、１６０００Ｌ、
１６００１Ｒ、１６００１Ｌ  接続部材
９０  光書き込み装置
１Ａ、１Ａ'、１Ａ"、１Ｂ、１Ｂ'、１Ｂ"、１Ｃ、１Ｃ'、１Ｃ"、１１Ａ、１１
Ｂ  発光素子アレイユニット
４０  アレイ位置調節手段
１０２、１０２  揃え部材
１０２ａ、１０３ａ  揃え部
６０２  制御部
Ｐ１Ａ、Ｐ１Ａ１、Ｐ１ＢＲ、Ｐ１ＢＬ、Ｐ１Ｃ、Ｐ１Ｃ１  ピント調節手段
Ｆ１Ａ、Ｆ１Ａ１、Ｆ１ＢＲ、Ｆ１ＢＬ、Ｆ１Ｃ、Ｆ１Ｃ１、Ｆ１ＢＬ１、Ｆ
１ＢＲ１  副走査調節手段
【図１】
2006315406.tif 000004
【図２】
2006315406.tif 000005
【図３】
2006315406.tif 000006
【図４】
2006315406.tif 000007
【図５】
2006315406.tif 000008
【図６】
2006315406.tif 000009
【図７】
2006315406.tif 000010
【図８】
2006315406.tif 000011
【図９】
2006315406.tif 000012
【図１０】
2006315406.tif 000013
【図１１】
2006315406.tif 000014
【図１２】
2006315406.tif 000015
【図１３】
2006315406.tif 000016
【図１４】
2006315406.tif 000017
【図１５】
2006315406.tif 000018
【図１６】
2006315406.tif 000019
【図１７】
2006315406.tif 000020
【図１８】
2006315406.tif 000021
【図１９】
2006315406.tif 000022
【図２０】
2006315406.tif 000023
【図２１】
2006315406.tif 000024
【図２２】
2006315406.tif 000025
【図２３】
2006315406.tif 000026
【図２４】
2006315406.tif 000027
【図２５】
2006315406.tif 000028
【図２６】
2006315406.tif 000029
【図２７】
2006315406.tif 000030
【図２８】
2006315406.tif 000031
【図２９】
2006315406.tif 000032
【図３０】
2006315406.tif 000033
【図３１】
2006315406.tif 000034
【図３２】
2006315406.tif 000035
【図３３】
2006315406.tif 000036
【図３４】
2006315406.tif 000037
【図３５】
2006315406.tif 000038
【図３６】
2006315406.tif 000039
【図３７】
2006315406.tif 000040
【図３８】
2006315406.tif 000041
【図３９】
2006315406.tif 000042
【図４０】
2006315406.tif 000043
【図４１】
2006315406.tif 000044
【図４２】
2006315406.tif 000045
【図４３】
2006315406.tif 000046
【図４４】
2006315406.tif 000047
【図４５】
2006315406.tif 000048
【図４６】
2006315406.tif 000049
【図４７】
2006315406.tif 000050
【図４８】
2006315406.tif 000051
【図４９】
2006315406.tif 000052
【図５０】
2006315406.tif 000053
【図５１】
2006315406.tif 000054
【図５２】
2006315406.tif 000055
【図５３】
2006315406.tif 000056
【図５４】
2006315406.tif 000057
【図５５】
2006315406.tif 000058
【図５６】
2006315406.tif 000059
【図５７】
2006315406.tif 000060
【図５８】
2006315406.tif 000061
【図５９】
2006315406.tif 000062
【図６０】
2006315406.tif 000063
【図６１】
2006315406.tif 000064
【図６２】
2006315406.tif 000065
【図６３】
2006315406.tif 000066
【図６４】
2006315406.tif 000067
【図６５】
2006315406.tif 000068
【図６６】
2006315406.tif 000069
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
複数個の発光素子アレイユニットを感光体の主走査方向に沿って配置し、前記各発光素子アレイユニットに列設された発光素子からの照射光によって前記感光体を露光して静電潜像を書き込む光書き込み装置において、
前記各発光素子アレイユニットの継ぎ目で前記感光体に対する主走査方向の露光量が均一になるように前記発光素子アレイユニットの継ぎ目部に位置する発光素子の発光量を補正する発光量補正手段を設けたことを特徴とする光書き込み装置。
【請求項２】
請求項１記載の光書き込み装置において、
前記発光量補正手段が、前記発光量の補正を前記継ぎ目部で接続された各発光素子アレイユニットの少なくとも一方の端部に位置する発光素子の発光量を調節する手段であることを特徴とする光書き込み装置。
【請求項３】
請求項２記載の光書き込み装置において、
前記発光量補正手段が、
前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドット中心同士の間隔（以下、実間隔という）が前記任意の発光素子アレイユニットにおいて隣接する２つの発光素子からの照射光のドットの中心同士の間隔（以下、基準間隔という）よりも大きいときは、前記発光量の補正を、
該継ぎ目部で接続された各発光素子アレイユニットの少なくとも一方の端部に位置する発光素子の発光量を増加させるように調節して行なう手段を有することを特徴とする光書き込み装置。
【請求項４】
請求項２記載の光書き込み装置において、
前記発光量補正手段が、
前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドット中心同士の間隔（以下、実間隔という）が前記任意の発光素子アレイユニットにおいて隣接する２つの発光素子からの照射光のドット中心同士の間隔（以下、基準間隔という）よりも小さいときは、
前記発光量の補正を、該継ぎ目部で接続された各発光素子アレイユニットの少なくとも一方の端部に位置する発光素子の発光量を減少させるように調節して行なう手段を有することを特徴とする光書き込み装置。
【請求項５】
複数個の発光素子アレイユニットを感光体の主走査方向に沿って配置し、前記各発光素子アレイユニットに列設された発光素子からの照射光によって前記感光体を露光して静電潜像を書き込む光書き込み装置において、
前記継ぎ目部で接続された各発光素子アレイユニットの少なくとも一方の発光素子アレイユニットによる書き込み範囲を前記主走査方向へシフトさせる書き込み範囲シフト手段を設けたことを特徴とする光書き込み装置。
【請求項６】
請求項５記載の光書き込み装置において、
前記書き込み範囲シフト手段が、
前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドットの中心同士の間隔（以下、実間隔という）が前記任意の発光素子アレイユニットにおいて隣接する２つの発光素子からの照射光のドットの中心同士の間隔（以下、基準間隔という）の２倍以上のときは、
前記書き込み範囲が前記主走査方向で離間しかつ前記実間隔が前記基準間隔の２倍未満となるように、前記各発光素子アレイユニットの少なくとも一方による書き込み範囲をシフトさせることを特徴とする光書き込み装置。
【請求項７】
請求項５記載の光書き込み装置において、
前記書き込み範囲シフト手段が、前記継ぎ目部で接続された一方の発光素子アレイユニットによる書き込み範囲と、他方の発光素子アレイユニットによる書き込み範囲とが主走査方向上で重なるときは、
前記書き込み範囲が前記主走査方向で離間しかつ前記実間隔が前記基準間隔の２倍未満となるように、前記各発光素子アレイユニットの少なくとも一方による書き込み範囲をシフトさせることを特徴とする光書き込み装置。
【請求項８】
請求項１記載の光書き込み装置において、
前記発光量補正手段が、前記発光量の補正を前記継ぎ目部で接続された各発光素子アレイユニットの少なくとも一方の端部に位置する発光素子の発光量を調節する手段であり、  前記継ぎ目部で接続された各発光素子アレイユニットの少なくとも一方の発光素子アレイユニットによる書き込み範囲を前記主走査方向へシフトさせる書き込み範囲シフト手段を設けたことを特徴とする光書き込み装置。
【請求項９】
請求項８記載の光書き込み装置において、
前記書き込み範囲シフト手段が、
前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドットの中心同士の間隔（以下、実間隔という）が前記任意の発光素子アレイユニットにおいて隣接する２つの発光素子からの照射光のドットの中心同士の間隔（以下、基準間隔という）よりも大きいとき、または前記書き込み範囲同士が主走査方向上で重なり合うときは、
前記書き込み範囲が前記主走査方向で離間しかつ前記実間隔が前記基準間隔以下となるように、前記各発光素子アレイユニットの少なくとも一方による書き込み範囲をシフトさせる手段であり、
前記発光量補正手段が、
前記実間隔が前記基準間隔よりも小さいときは各発光素子アレイユニットの少なくとも一方による書き込み範囲の端部に対応する発光素子の発光量を減少させるように調節する手段であることを特徴とする光書き込み装置。
【請求項１０】
請求項８記載の光書き込み装置において、
前記継ぎ目部で接続された一方の発光素子アレイユニットによる書き込み範囲と他方の発光素子アレイユニットによる書き込み範囲について、これら各書き込み範囲の前記継ぎ目部側の端部に対応する発光素子からの照射光のドットの中心同士の間隔を実間隔とし、前記任意の発光素子アレイユニットにおいて隣接する２つの発光素子からの照射光のドットの中心同士の間隔を基準間隔とするとき、
前記書き込み範囲シフト手段が、
前記実間隔が前記基準間隔の２倍以上のとき、前記書き込み範囲同士が主走査方向で重なり合うとき、前記実間隔が前記基準間隔未満であるときの何れかの場合に、前記実間隔が前記基準間隔以上かつ前記基準間隔の２倍未満となるように、前記各発光素子アレイユニットの少なくとも一方による書き込範囲をシフトさせる手段であり、
前記発光量補正手段が、
前記実間隔が前記基準間隔よりも大きいときは、前記継ぎ目部で接続された各発光素子アレイユニットの少なくとも一方の端部に位置する発光素子の発光量を増加させる手段であることを特徴とする光書き込み装置。
【請求項１１】
請求項８記載の光書き込み装置において、
前記継ぎ目部で接続された一方の発光素子アレイユニットによる書き込み範囲と他方の発光素子アレイユニットによる書き込み範囲について、これら各書き込み範囲の前記継ぎ目部側の端部に対応する発光素子からの照射光のドットの中心同士の間隔を実間隔とし、前記任意の発光素子アレイユニットにおいて隣接する２つの発光素子からの照射光のドットの中心同士の間隔を基準間隔とするとき、
前記書き込み範囲シフト手段が、
前記継ぎ目部で接続された一方の発光素子アレイユニットによる書き込み範囲と、他方の発光素子アレイユニットによる書き込み範囲同士が主走査方向上で重なり合うとき、または前記実間隔が前記基準間隔の２倍以上のときの何れかの場合に、
前記書き込み範囲が前記主走査方向で離間しかつ前記実間隔が前記基準間隔の２倍未満となるように、前記各発光素子アレイユニットの少なくとも一方による書き込み範囲をシフトさせる手段であり、
前記発光量補正手段が、
前記実間隔が前記基準間隔よりも小さいときは、前記継ぎ目部で接続された各発光素子アレイユニットの少なくとも一方の端部に位置する発光素子の発光量を減少させるように調節し、
前記実間隔が前記基準間隔よりも大きいときは、該継ぎ目部で接続された各発光素子アレイユニットの少なくとも一方の端部に位置する発光素子の発光量を増加させるように調節する手段であることを特徴とする光書き込み装置。
【請求項１２】
請求項１乃至４、９乃至１１の何れか１つに記載の光書き込み装置において、
前記発光量補正手段が、前記発光量の調節を前記発光素子の発光パワーを補正して行なう手段であることを特徴とする光書き込み装置。
【請求項１３】
請求項１乃至４、９乃至１１の何れか１つに記載の光書き込み装置において、
前記発光量補正手段が、前記発光量の調節を前記発光素子の発光時間を補正して行なう手段であることを特徴とする光書き込み装置。
【手続補正２】
【補正対象書類名】明細書
【補正対象項目名】０００１
【補正方法】変更
【補正の内容】
【０００１】
この発明は、光書き込み装置に関する。
【手続補正３】
【補正対象書類名】明細書
【補正対象項目名】０００６
【補正方法】変更
【補正の内容】
【０００６】
一例として、複数の発光素子アレイユニットを繋ぐ前記別部材の継ぎ目間の距離を２０ｍｍ、その材質を線膨張係数が０．００００１２／ｄｅｇの鉄とし、温度上昇を３０ｄｅｇとすると、単純計算による温度変化だけで７．２μｍのピッチずれが発生してしまう。これに複数の発光素子アレイユニットの初期の位置決め精度等を加えると、さらにドットピッチ誤差が大きくなるので、発光素子アレイユニットの継ぎ目部分が画像上不具合が発生するドットピッチ誤差になってしまう。
通常、そのドットピッチ誤差を５μｍ程度以下にしないと、感光体上に縦方向の黒すじ画像や白すじ画像が生じたり、画像中で線のずれが発生したりしてしまうので、各発光素子アレイユニットの継ぎ目で両書き込み範囲のドットピッチ誤差が５μｍ以下に納まるようにつなげなければならない。
しかし、各発光素子アレイユニットの継ぎ目で両書き込み範囲のドットピッチ誤差を５μｍ以下におさめることは、技術的に難しく、光書き込み装置に上記両書き込み範囲のドットピッチ誤差を５μｍ以下に納めるための調整機構を設けるようにすると、装置の製造コストがアップしてしまうという新たな問題が生じてしまう。
【手続補正４】
【補正対象書類名】明細書
【補正対象項目名】０００８
【補正方法】変更
【補正の内容】
【０００８】
本発明の課題は、光書き込み装置において、感光体の主走査方向へ複数個の発光素子アレイユニットを高精度に位置決めして配置しなくても、なお且つ各発光素子アレイユニットの継ぎ目部での発光素子のドットピッチ誤差を調整するための高コストな機構を設けなくても、感光体への書き込み画像に黒すじ，白すじ，及び線のずれなどの不具合が発生しないようにすることである。
【手続補正５】
【補正対象書類名】明細書
【補正対象項目名】０００９
【補正方法】変更
【補正の内容】
【０００９】
本発明は、前記目的を達成するため、以下の構成とした。
（１）．複数個の発光素子アレイユニットを感光体の主走査方向に沿って配置し、前記各発光素子アレイユニットに列設された発光素子からの照射光によって前記感光体を露光して静電潜像を書き込む光書き込み装置において、前記各発光素子アレイユニットの継ぎ目で前記感光体に対する主走査方向の露光量が均一になるように前記発光素子アレイユニットの継ぎ目部に位置する発光素子の発光量を補正する発光量補正手段を設けた（請求項１）。
（２）．（１）記載の光書き込み装置において、前記発光量補正手段が、前記発光量の補正を前記継ぎ目部で接続された各発光素子アレイユニットの少なくとも一方の端部に位置する発光素子の発光量を調節する手段であることとした（請求項２）。
（３）．  （２）記載の光書き込み装置において、前記発光量補正手段が、前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドット中心同士の間隔（以下、実間隔という）が前記任意の発光素子アレイユニットにおいて隣接する２つの発光素子からの照射光のドットの中心同士の間隔（以下、基準間隔という）よりも大きいときは、前記発光量の補正を、該継ぎ目部で接続された各発光素子アレイユニットの少なくとも一方の端部に位置する発光素子の発光量を増加させるように調節して行なう手段を有することとした（請求項３）。
（４）．（２）記載の光書き込み装置において、前記発光量補正手段が、前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドット中心同士の間隔（以下、実間隔という）が前記任意の発光素子アレイユニットにおいて隣接する２つの発光素子からの照射光のドット中心同士の間隔（以下、基準間隔という）よりも小さいときは、前記発光量の補正を、該継ぎ目部で接続された各発光素子アレイユニットの少なくとも一方の端部に位置する発光素子の発光量を減少させるように調節して行なう手段を有することとした（請求項４）。
（５）．複数個の発光素子アレイユニットを感光体の主走査方向に沿って配置し、前記各発光素子アレイユニットに列設された発光素子からの照射光によって前記感光体を露光して静電潜像を書き込む光書き込み装置において、前記継ぎ目部で接続された各発光素子アレイユニットの少なくとも一方の発光素子アレイユニットによる書き込み範囲を前記主走査方向へシフトさせる書き込み範囲シフト手段を設けた（請求項５）。
（６）．（５）記載の光書き込み装置において、前記書き込み範囲シフト手段が、前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドットの中心同士の間隔（以下、実間隔という）が前記任意の発光素子アレイユニットにおいて隣接する２つの発光素子からの照射光のドットの中心同士の間隔（以下、基準間隔という）の２倍以上のときは、前記書き込み範囲が前記主走査方向で離間しかつ前記実間隔が前記基準間隔の２倍未満となるように、前記各発光素子アレイユニットの少なくとも一方による書き込み範囲をシフトさせることとした（請求項６）。
（７）．（５）記載の光書き込み装置において、前記書き込み範囲シフト手段が、前記継ぎ目部で接続された一方の発光素子アレイユニットによる書き込み範囲と、他方の発光素子アレイユニットによる書き込み範囲とが主走査方向上で重なるときは、前記書き込み範囲が前記主走査方向で離間しかつ前記実間隔が前記基準間隔の２倍未満となるように、前記各発光素子アレイユニットの少なくとも一方による書き込み範囲をシフトさせることとした（請求項７）。
（８）．（１）記載の光書き込み装置において、前記発光量補正手段が、前記発光量の補正を前記継ぎ目部で接続された各発光素子アレイユニットの少なくとも一方の端部に位置する発光素子の発光量を調節する手段であり、前記継ぎ目部で接続された各発光素子アレイユニットの少なくとも一方の発光素子アレイユニットによる書き込み範囲を前記主走査方向へシフトさせる書き込み範囲シフト手段を設けた（請求項８）。
（９）．（８）記載の光書き込み装置において、前記書き込み範囲シフト手段が、前記継ぎ目部で接続された一方の発光素子アレイユニットによる書き込み範囲と、他方の発光素子アレイユニットによる書き込み範囲とが主走査方向上で離間していて、前記各書き込み範囲の前記継ぎ目部側の端部に対応する発光素子からの照射光のドットの中心同士の間隔（以下、実間隔という）が前記任意の発光素子アレイユニットにおいて隣接する２つの発光素子からの照射光のドットの中心同士の間隔（以下、基準間隔という）よりも大きいとき、または前記書き込み範囲同士が主走査方向上で重なり合うときは、前記書き込み範囲が前記主走査方向で離間しかつ前記実間隔が前記基準間隔以下となるように、前記各発光素子アレイユニットの少なくとも一方による書き込み範囲をシフトさせる手段であり、前記発光量補正手段が、前記実間隔が前記基準間隔よりも小さいときは各発光素子アレイユニットの少なくとも一方による書き込み範囲の端部に対応する発光素子の発光量を減少させるように調節する手段であることとした（請求項９）。
（１０）．（８）記載の光書き込み装置において、前記継ぎ目部で接続された一方の発光素子アレイユニットによる書き込み範囲と他方の発光素子アレイユニットによる書き込み範囲について、これら各書き込み範囲の前記継ぎ目部側の端部に対応する発光素子からの照射光のドットの中心同士の間隔を実間隔とし、前記任意の発光素子アレイユニットにおいて隣接する２つの発光素子からの照射光のドットの中心同士の間隔を基準間隔とするとき、前記書き込み範囲シフト手段が、前記実間隔が前記基準間隔の２倍以上のとき、前記書き込み範囲同士が主走査方向で重なり合うとき、前記実間隔が前記基準間隔未満であるときの何れかの場合に、前記実間隔が前記基準間隔以上かつ前記基準間隔の２倍未満となるように、前記各発光素子アレイユニットの少なくとも一方による書き込範囲をシフトさせる手段であり、前記発光量補正手段が、前記実間隔が前記基準間隔よりも大きいときは、前記継ぎ目部で接続された各発光素子アレイユニットの少なくとも一方の端部に位置する発光素子の発光量を増加させる手段であることとした（請求項１０）。
（１１）．（８）記載の光書き込み装置において、前記継ぎ目部で接続された一方の発光素子アレイユニットによる書き込み範囲と他方の発光素子アレイユニットによる書き込み範囲について、これら各書き込み範囲の前記継ぎ目部側の端部に対応する発光素子からの照射光のドットの中心同士の間隔を実間隔とし、前記任意の発光素子アレイユニットにおいて隣接する２つの発光素子からの照射光のドットの中心同士の間隔を基準間隔とするとき、前記書き込み範囲シフト手段が、前記継ぎ目部で接続された一方の発光素子アレイユニットによる書き込み範囲と、他方の発光素子アレイユニットによる書き込み範囲同士が主走査方向上で重なり合うとき、または前記実間隔が前記基準間隔の２倍以上のときの何れかの場合に、前記書き込み範囲が前記主走査方向で離間しかつ前記実間隔が前記基準間隔の２倍未満となるように、前記各発光素子アレイユニットの少なくとも一方による書き込み範囲をシフトさせる手段であり、前記発光量補正手段が、前記実間隔が前記基準間隔よりも小さいときは、前記継ぎ目部で接続された各発光素子アレイユニットの少なくとも一方の端部に位置する発光素子の発光量を減少させるように調節し、前記実間隔が前記基準間隔よりも大きいときは、該継ぎ目部で接続された各発光素子アレイユニットの少なくとも一方の端部に位置する発光素子の発光量を増加させるように調節する手段であることとした（請求項１１）。
（１２）．（１）乃至（４）、（９）乃至（１１）の何れか１つに記載の光書き込み装置において、前記発光量補正手段が、前記発光量の調節を前記発光素子の発光パワーを補正して行なう手段であることとした（請求項１２）。
（１３）．（１）乃至（４）、（９）乃至（１１）の何れか１つに記載の光書き込み装置において、前記発光量補正手段が、前記発光量の調節を前記発光素子の発光時間を補正して行なう手段であることとした（請求項１３）。
【手続補正６】
【補正対象書類名】明細書
【補正対象項目名】００１０
【補正方法】変更
【補正の内容】
【００１０】
請求項１記載の発明では、発光量補正手段を設けたことにより、感光体の主走査方向へ複数個の発光素子アレイユニットを高精度に位置決めして配置しなくても、なお且つ各発光素子アレイユニットの継ぎ目部の発光素子のドットピッチ誤差を調整するための高コストな機構を設けなくても、感光体への書き込み画像に黒スジ、白スジ及び線のずれなどの不具合が発生しないようにすることができる。
請求項２記載の発明では、継ぎ目部で接続された両方の発光素子アレイユニットについて発光素子の発光量を調整することなく、少なくとも一方の発光素子の発光量を調整するだけで、簡単に十分な補正効果をあげることができる。
請求項３記載の発明では、少なくとも一方の発光素子の発光量を増加することで、十分な補正効果をあげ白スジ画像を解消することができる。
請求項４記載の発明では、少なくとも一方の発光素子の発光量を減少するだけで、簡単に十分な補正効果をあげ黒スジ画像を解消することができる。
請求項５記載の発明では、シフト操作のみで補正することができ、発光量の補正の手段を伴わない点で構成が簡易であり、実施も容易である。
請求項６記載の発明では、光量補正だけでは十分な補正ができないほど両書き込み範囲が離れている場合であっても簡便な書き込み範囲シフト手段によるシフト操作により補正することができる。
請求項７記載の発明では、光量補正だけでは十分な補正ができないほど両書き込み範囲が重なっている場合であっても簡便な書き込み範囲手段によるシフト操作により補正することができる。
請求項８記載の発明では、発光量補正手段と、書き込み範囲シフト手段を備えた光書き込み装置であるので、製造後、実際に装置を駆動する段階での光書き込み調整において、誤差の状況に応じた柔軟な補正操作が可能となる。
請求項９記載の発明では、書き込み範囲シフト手段と発光量補正手段を合わせもつので、シフト操作ののち、残余のずれを発光量補正手段の光量減少機能により補正するという２段階補正により、現状のずれがかなり大きくても高度な補正が可能である。
請求項１０記載の発明では、書き込み範囲シフト手段と発光量補正手段を合わせもつので、シフト操作ののち、残余のずれを発光量補正手段の光量増加機能により補正するという２段階補正により、現状のずれがかなり大きくても高度な補正が可能である。
請求項１１記載の発明では、書き込み範囲シフト手段と発光量補正手段を合わせ有し、発光量補正手段については光量減少及び増加機能を有するので、現状に広範なずれがあっても、シフトにより狙いの範囲に収め、その後の光量補正により高度な補正が可能である。
請求項１２記載の発明では、発光時間を増減する場合と比べて、発光時間の制御に伴う時間ロスがない。
請求項１３記載の発明では、発光素子の発光パワーを増減させるように調整する場合と比べて、パワー能力を有する発光素子を用いることなく、通常の発光素子を使用できるので実施が比較的簡便である。
【手続補正７】
【補正対象書類名】明細書
【補正対象項目名】００１１
【補正方法】変更
【補正の内容】
【００１１】
以下、参考例および本発明の実施の形態を説明する。なお、各図および表１の丸付き数字は、以下の文中では<>付きの数字で表示している。
［１］第１の参考例
１−ａ．参考例１：
図１は、光書き込み装置の複数の発光素子アレイユニットの相対位置関係を説明するための平面図、図２は同じくその光書き込み装置を感光体ドラムと共に示す斜視図である。
【手続補正８】
【補正対象書類名】明細書
【補正対象項目名】００３７
【補正方法】変更
【補正の内容】
【００３７】
１−ｂ．参考例２：
図４は３個の発光素子アレイユニットを互いに位置をずらしてそれぞれ隣接させて配置した光書き込み装置を示す図１と同様な平面図、図５は同じくその光書き込み装置を感光体ドラムと共に示す図２と同様な斜視図であり、図１及び図２と対応する部分には同一の符号を付してある。
【手続補正９】
【補正対象書類名】明細書
【補正対象項目名】００４５
【補正方法】変更
【補正の内容】
【００４５】
本例においても、基板２ａと筐体４ａとの固定、基板２ｂと筐体４ｂとの固定、基板２ｃと筐体４ｃとの固定、更に筐体４ａ、４ｂと接続部材３Ａとの固定、筐体４ｂ、４ｃと接続部材３Ｂとの固定は、上述したねじ止めに限るものではなく、これらの相対位置がずれることなしに固定することができるものであれば、例えば接着による固定であったり、リベットによるかしめ固定であったりしてもよい。
【手続補正１０】
【補正対象書類名】明細書
【補正対象項目名】００５１
【補正方法】変更
【補正の内容】
【００５１】
本例の光書き込み装置は、図４及び図５で説明したような構成にしているので、例えばＡ３サイズ幅の発光素子アレイユニット１Ａ、１Ｂ、１Ｃを図４に示したように発光素子アレイの並び方向に３個並べてＡ０サイズ幅の光書き込み装置を構成しても、隣接する発光素子アレイユニット１Ａと１Ｂの発光素子アレイの各基板上の書き込みドットの切り替わり位置Ｄｃ１とＤｃ２との相対位置と、発光素子アレイユニット１Ｂと１Ｃの発光素子アレイの各基板上の書き込みドットの切り替わり位置Ｄｃ３とＤｃ４との相対位置は、共に発光素子の並び方向（図４の矢視Ａ方向）に狂わないので、良好な画像が得られる。
【手続補正１１】
【補正対象書類名】明細書
【補正対象項目名】００５２
【補正方法】変更
【補正の内容】
【００５２】
１−ｃ．参考例３：
図７は各基板を筐体からそれぞれ一部を突出させるようにした光書き込み装置の実施例を示す図１と同様な平面図、図８は同じくその基板が取り付けられた筐体を示す斜視図である。この光書き込み装置は、図７に示すように３つの発光素子アレイユニット１Ａ”、１Ｂ”、１Ｃ”で構成されており、（２つあるいは４つ以上で構成してもよい）、その各発光素子アレイユニット１Ａ”、１Ｂ”、１Ｃ”は、各基板２２ａ、２２ｂ、２２ｃが、それを保持する各筐体２４ａ、２４ｂ、２４ｃにそれぞれ一部が図示のように突出した状態で固定されている。
【手続補正１２】
【補正対象書類名】明細書
【補正対象項目名】００５６
【補正方法】変更
【補正の内容】
【００５６】
基板２２ａ、２２ｂと接続部材３３Ａとの固定、及び基板２２ｂ、２２ｃと接続部材３３ｂとの固定は、前述した各例と同様にねじ止めに限るものではない。また、基板２２ａ、２２ｂ、２２ｃ、接続部材３３Ａ、３３Ｂ、筐体２４ａ、２４ｂ、２４ｃは、特別な材質のものを使用したり、特定の線膨張係数のものを使用したりする必要もない。
【手続補正１３】
【補正対象書類名】明細書
【補正対象項目名】００５９
【補正方法】変更
【補正の内容】
【００５９】
本例において、前記参考例２におけるように、保持体と接続部材との固定位置Ｆｐ１、Ｆｐ２、Ｆｐ３、Ｆｐ４に代えて、基板の突出した部分同士を接続部材３３Ａ，３３Ｂを介して固定するねじ３４、３５、３６、３７の固定位置とし、ねじ３４，３５の中心と基板上のドットの切り替わり位置Ｄｃ１、Ｄｃ２を矢視Ａ方向における同一の位置となる線Ｌ５上とし、ねじ３６，３７の中心と基板上のドットの切り替わり位置Ｄｃ３、Ｄｃ４を矢視Ａ方向における同一の位置となる線Ｌ６上とした。
【手続補正１４】
【補正対象書類名】明細書
【補正対象項目名】００６１
【補正方法】変更
【補正の内容】
【００６１】
さらに発展させた例としては、接続部材３３Ａ、３３Ｂを介在させずに、基板２２ａ、２２ｂ同士を重ね、また、基板２２ｂ、２２ｃ同士を重ねて、これら基板同士を直接固定することもできる。
【手続補正１５】
【補正対象書類名】明細書
【補正対象項目名】００６５
【補正方法】変更
【補正の内容】
【００６５】
１−ｄ．参考例４：
図９はアレイ位置調節手段を設けた光書き込み装置の例を示す図１と同様な平面図であり、図１と対応する部分には同一の符号を付してある。  
この光書き込み装置は、隣接する２つの発光素子アレイユニット１Ａ、１Ｂの各基板２ａ、２ｂの発光素子の並び方向である矢視Ａ方向の相対位置関係を調節するアレイ位置調節手段４０を設けている。
【手続補正１６】
【補正対象書類名】明細書
【補正対象項目名】００７１
【補正方法】変更
【補正の内容】
【００７１】
なお、図９で調節ねじ４５を使用したアレイ位置調節手段４０を一例として示したが、アレイ位置調節手段は微調節が可能な機構であれば、図９に示した機構に限るものではない。
［２］第２の参考例
２−ａ．参考例１：
前記［１］で説明した参考例では、発光素子の並び方向で隣接する一方の基板と他方の基板とを直接固定し、或いは、一方の基板から他方の基板までの間に基板と別体の付帯部材が介在するときは、付帯部材と基板を含む各部材相互間の各固定位置を発光素子の並び方向での同一位置としている。さらに、基板上の書き込みドットの切り替わり位置についても発光素子の並び方向上、上記固定位置と同一の線上としている。
【手続補正１７】
【補正対象書類名】明細書
【補正対象項目名】００７２
【補正方法】変更
【補正の内容】
【００７２】
このような構成の光書き込み装置では、矢視Ａ方向で隣り合う発光素子アレイユニット同士を接続部材３を介して基板上のドットの切り替わり位置で固定しているので、一方の基板２ａからの光によるおける書き込みと他方の基板２ｂからの光による書き込みにおける位置合わせは、書き込み時間をずらす書き込み時間遅延処理によって行う。この書き込み時間遅延処理は［６］第６の参考例で説明する制御部６００によって行なう。
【手続補正１８】
【補正対象書類名】明細書
【補正対象項目名】００７４
【補正方法】変更
【補正の内容】
【００７４】
このような例において、環境温度の変化等により発光素子アレイユニットが伸張、収縮しても基板同士は実質的に１本の基板を構成しているので、黒すじ、白すじ等の異常画像の発生は減少するし、特に、基板上の書き込みドットの切り替わり位置を発光素子の並び方向上、上記固定位置と同一の線上とした例では環境温度の変化による黒すじ、白すじの発生はなくなる。
【手続補正１９】
【補正対象書類名】明細書
【補正対象項目名】００７６
【補正方法】変更
【補正の内容】
【００７６】
ところが、前記参考例におけるように、発光素子の並び方向で隣接する一方の基板と他方の基板とを直接或いは他部材を介して固定してしまう構成では、光書き込み装置全体を動かすことで一方の基板を含む発光素子アレイユニットのピント調節はできる。しかし、この１つの発光素子アレイユニットについてピント調節のため光書き込み装置全体を移動すると、他の発光素子アレイユニットからの光のピントがずれてしまう。
【手続補正２０】
【補正対象書類名】明細書
【補正対象項目名】０１０８
【補正方法】変更
【補正の内容】
【０１０８】
２−ｂ．参考例２：
前記２−ａの参考例１では、図１１（ａ）、（ｂ）において、発光素子アレイユニット１Ａ、１Ｂ、１Ｃを含む光書き込み装置全体を動かすなどして、発光素子アレイユニット１Ｂについてピント調節した後で、ピント調節手段Ｐ１Ｃ、Ｐ１Ａにより発光素子アレイユニット１Ａ、１Ｃについて個別にピント調節を行なうことができる。
【手続補正２１】
【補正対象書類名】明細書
【補正対象項目名】０１１０
【補正方法】変更
【補正の内容】
【０１１０】
そこで本例では、発光素子アレイユニット１Ａ、１Ｃばかりでなく、発光素子アレイユニット１Ｂについても、独立してピント調節を可能にすることとした。本例は図１５（ｂ）に示すように、前記２−ａの参考例１で説明したと同じ構成のピント調節手段を、一方の基板２ａと他方の基板２ｂとの中点を通る線Ｄ−Ｄを対称軸として、左右に設けた。これにより、隣接する一方の基板と他方の基板についてそれぞれ個別にピント調節を行なうことができ、ピント調節作業の煩雑を免れる。
【手続補正２２】
【補正対象書類名】明細書
【補正対象項目名】０１１５
【補正方法】変更
【補正の内容】
【０１１５】
発光素子アレイユニット１Ｂの矢視Ａ方向の左端部に設けられたピント調節手段Ｐ１ＢＬについても、図１５（ａ）、（ｂ）において、基板２ｂにスペーサ１４Ｌ’を介して接続部材１６０Ｌがねじ５０’により固定された構成と、調節ねじ１９Ｌ’の先端部がレンズアレイ１２ｂ及び基板２ｂの直上位置に相当する接続部材１６０Ｌ上面の位置で当接するように調節板１７０Ｌに螺入された構成を要部としている。このピント調節手段では、第１外力手段としての調節ねじ１９Ｒ’を回すことにより、基板２ｂを含む発光素子アレイユニット１Ｂの矢視Ａ方向の右端部を基板２ｂの厚さ方向に相当するピント調節方向ｃ'に調節することができる。
［３］第３の参考例
３−ａ．参考例１：
例えば、図３に示した構成では、発光素子アレイユニット１Ａ又は発光素子アレイユニット１Ｃでラインを書き込んだ後、矢印の向きに感光体ドラム１０が回転するのを所定の遅延時間だけ待って、発光素子アレイユニット１Ｂでラインを書き込む。そうすることによって全幅１本の主走査ラインを書き込むことができる。
【手続補正２３】
【補正対象書類名】明細書
【補正対象項目名】０１３１
【補正方法】変更
【補正の内容】
【０１３１】
３−ｂ．参考例２：
前記３−ａの参考１では、図１６（ａ）、（ｂ）において、発光素子アレイユニット１Ａ、１Ｂ、１Ｃを含む光書き込み装置全体を動かすなどして、発光素子アレイユニット１Ｂについて副走査方向での書き込み位置を調節した後で、副走査調節手段Ｆ１Ｃ（Ｆ１Ａ）により発光素子アレイユニット１Ａ、１Ｃについて個別に副走査方向での書き込み位置の調節を行なうことができる。
【手続補正２４】
【補正対象書類名】明細書
【補正対象項目名】０１４１
【補正方法】変更
【補正の内容】
【０１４１】
３−ｃ．参考例３：
前記２−ａ．参考例１、２−ｂ．参考例２では基板を含む発光素子アレイユニットのピント調節はできるが、副走査方向での書き込み位置の調節はできない。また、前記３−ａ．参考例１、３−ｂ．参考例２では、基板を含む発光素子アレイユニットの副走査方向での書き込み位置の調節はできるがピント調節はできない。
【手続補正２５】
【補正対象書類名】明細書
【補正対象項目名】０１４８
【補正方法】変更
【補正の内容】
【０１４８】
３−ｄ．参考例４：
前記３−ｃ．参考例３における図１８（ａ）、（ｂ）の例では、前記２−ａ．参考例１の前記図１３〜図１４で説明した構成が適用される。つまり、基板２ｂ、レンズケースＺ、筐体４ｂが板ばね３０により各々可動状態に取り付けられている。ここで、可動状態に取り付けられることにより、熱膨張、熱収縮による部材の変位が拘束されないで支持されることになる。基板２ａ、２ｃについても基板２ｂにおけると同じような構成により付帯部材が可動状態に取り付けられて発光素子アレイユニット１Ａ、１Ｂ、１Ｃ等が構成されている。
【手続補正２６】
【補正対象書類名】明細書
【補正対象項目名】０１９０
【補正方法】変更
【補正の内容】
【０１９０】
３−ｅ．参考例５：
前記図１８（ａ）、（ｂ）で説明したように、前記３−ｂ．参考例２、３−ｃ．参考例３における例では、発光素子アレイユニット１Ａ、１Ｂ、１Ｃを含む光書き込み装置全体を動かすなどして、発光素子アレイユニット１Ｂについてピント調節方向、副走査方向での書き込み位置等を調節した後で、副走査調節手段Ｆ１Ｃ１（Ｆ１Ａ１）により発光素子アレイユニット１Ａ、１Ｃについて個別に副走査方向での書き込み位置の調節を行ない、また、ピント調節手段Ｐ１Ｃ１（Ｐ１Ａ１）により発光素子アレイユニット１Ａ、１Ｃについて個別にピント調節を行なうことができる。
【手続補正２７】
【補正対象書類名】明細書
【補正対象項目名】０１９３
【補正方法】変更
【補正の内容】
【０１９３】
本例は図２７（ｂ）に示すように、前記３−ｂ．参考例２、３−ｃ．参考例３で説明したと同じ構成のピント調節手段及び副走査調節手段を、一方の基板２ａと他方の基板２ｂとの中点を通る線Ｄ−Ｄを対称軸として、左右に設けた。
【手続補正２８】
【補正対象書類名】明細書
【補正対象項目名】０２０１
【補正方法】変更
【補正の内容】
【０２０１】
３−ｆ．参考例６：
【手続補正２９】
【補正対象書類名】明細書
【補正対象項目名】０２０２
【補正方法】変更
【補正の内容】
【０２０２】
前記図１１（ａ）、（ｂ）における接続部材１６Ｒ（１６Ｌ）と調節板１７Ｒ（１７Ｌ）との間隔を広狭調節する外力手段としての調節ねじ１９Ｒ（１９Ｌ）、前記図１５（ａ）、（ｂ）における接続部材１６０Ｒ（１６０Ｌ）と調節板１７０Ｒ（１７０Ｌ）との間隔を広狭調節する外力手段としての調節ねじ１９Ｒ（１９Ｌ）、１９Ｒ’（１９Ｌ’）、図１６（ａ）、（ｂ）における接続部材１６００Ｒ（１６００Ｌ）と調節板１７０Ｒ（１７０Ｌ）との間隔を広狭調節する外力手段としての調節ねじ３９Ｒ（３９Ｌ）、図１７（ａ）、（ｂ）における接続部材１６０００Ｒ（１６０００Ｌ）と調節板１７００Ｒ（１７００Ｌ）との間隔を広狭調節する外力手段としての調節ねじ３９Ｒ（３９Ｌ）、３９Ｒ’（３９Ｌ’）、図１８（ａ）、（ｂ）における接続部材１６０１Ｒ（１６０１Ｌ）と調節板１７１Ｒ（１７１Ｌ）との間隔を広狭調節する外力手段としてのねじ３９０Ｒ（３９０Ｌ）、３９Ｒ’（３９Ｌ’）、１９００Ｒ（１９００Ｌ）、図２７（ａ）、（ｂ）における接続部材１６００１Ｒ（１６００１Ｌ）と調節板１７０１Ｒ（１７０１Ｌ）との間隔を広狭調節する外力手段としてのねじ３９０Ｒ（３９０Ｌ）、３９０Ｒ’（３９０Ｌ’）、１９００Ｒ（１９００Ｌ）、１９００Ｒ’（１９００Ｌ’）は、何れもねじ手段として構成されており、回転量に応じて微少量の変位を調節板に与えて、調整量が微少量であるピント調整や、副走査方向での書き込み量の調整を精密に行なうことができる。
［４］実施の形態
本実施の形態は主として請求項１ないし１３に記載の発明に対応する。  
上述した参考例における光書き込み装置では、例えば、感光体に４００ｄｐｉの解像度で静電潜像を書き込むには、感光体に対する発光素子アレイユニットの各発光素子からの照射光のドットピッチを６３．５μｍ程度にすればよいが、通常、そのドットピッチ誤差を５μｍ程度以下にしないと、感光体上に縦方向の黒すじ画像や白すじ画像が生じたり、画像中で線のずれが発生したりしてしまうので、各発光素子アレイユニットの継ぎ目で両書き込み範囲のドットピッチ誤差が５μｍ以下に納まるようにつなげなければならない。
【手続補正３０】
【補正対象書類名】明細書
【補正対象項目名】０２０５
【補正方法】変更
【補正の内容】
【０２０５】
このため光書き込み装置は、［６］第５の参考例で説明する制御部６０２を設けている。この制御部６０２はＣＰＵ，ＲＯＭ，及びＲＡＭ等からなるマイクロコンピュータによって構成され、各発光素子アレイユニットに列設された発光素子の発光制御、その照射光によって感光体ドラム１を露光して静電潜像を書き込む際に、各発光素子アレイユニット毎に書き込み時間に差をもたせる書き込み時間遅延処理を行なうと共に、この発明に関わる発光量補正処理、書き込み範囲シフト処理などを実行し、発光素子アレイユニットの継ぎ目に位置する発光素子の発光量や発光時間、各発光素子の発光領域等の制御を行なうようにしている。
【手続補正３１】
【補正対象書類名】明細書
【補正対象項目名】０２２６
【補正方法】変更
【補正の内容】
【０２２６】
感光体の主走査方向へ複数個の発光素子アレイユニットを高精度に位置決めして配置しなくても、なお且つ各発光素子アレイユニットの継ぎ目部の発光素子のドットピッチ誤差を調整するための高コストな機構を設けなくても、感光体への書き込み画像に黒スジ、白スジ及び線のずれなどの不具合が発生しないようにすることができる。本例では、少なくとも一方の発光素子の発光量を減少するだけで、簡単に十分な補正効果をあげ黒スジ画像を解消することができる。
２．ケースＩＩ
ケースＩＩ−１．
光書き込み装置において、各発光素子アレイユニット１Ａ、１Ｂ、１Ｃの継ぎ目部における接続精度が上述した場合よりも悪く、継ぎ目部で接続された各発光素子アレイユニット１Ｂと１Ｃ、又は各発光素子アレイユニット１Ｃと１Ａによる各書き込み範囲の端部に対応する発光素子による照射光のドット中心間隔である実間隔が隣接する２つの発光素子の間隔である基準間隔の２倍を超え、又は、各発光素子アレイユニットによる書き込み範囲同士がアレイの並び方向で重なるときは、上述の例で示した手段では感光体ドラム１０上の白スジ画像、黒スジ画像、線のずれなどの発生を防止することが難しくなる。
【手続補正３２】
【補正対象書類名】明細書
【補正対象項目名】０２２８
【補正方法】変更
【補正の内容】
【０２２８】
本例では、［６］第５の参考例で説明する制御部６０２に付加した書き込み範囲シフト手段の制御により、両書き込み範囲が離間し、かつ、実間隔Ｊが基準間隔Ｐ１の２倍未満となるように、例えば、発光素子アレイユニット１Ｃによる書き込み範囲の継ぎ目部側の端部において発光させる発光素子を３ドット、又は４ドット分だけ増やし、発光素子アレイユニット１Ｂの書き込み範囲を３ドット分だけ発光素子アレイユニット１Ｃ側へシフトさせ書き込むように調整する。このように、発光させる発光素子の領域をずらす操作をシフトすると称し、書き込み範囲シフト手段により実行する。
ケースＩＩ−２．
これと逆に、図３２に示すように、発光素子アレイユニット１Ｂと１Ｃの継ぎ目部において、その両書き込み範囲が符号Ｒで示す範囲で２〜３ドット分のオーバーラップを生じると、感光体ドラム１０上の該当する範囲Ｒで画像の書き込みが２重になり、黒スジ画像が発生する。また、オーバーラップ部分が大きい場合は線のずれなどの異常画像が生じてしまう。
【手続補正３３】
【補正対象書類名】明細書
【補正対象項目名】０２２９
【補正方法】変更
【補正の内容】
【０２２９】
そこで、［６］第５の実施の形態で説明する制御部６０２の書き込み範囲シフト手段の制御により、例えば発光素子アレイユニット１Ｂの端部において発光させる発光素子を３ドット分だけ減らし、発光素子アレイユニット１Ｂの書き込み範囲を３ドット分だけ発光素子アレイユニット１Ｃとは反対側へシフトさせて書き込むように調整する。
３．ケースＩＩＩ
前記ケースＩＩにおいて書き込み範囲シフト手段のみによるシフト操作を行なっても、隣接する発光素子アレイユニット同士で発光素子間の位相ずれがあり、また、製造誤差などがあるため、残余のずれが存在する場合がある。
【手続補正３４】
【補正対象書類名】明細書
【補正対象項目名】０２６２
【補正方法】変更
【補正の内容】
【０２６２】
発光素子の発光パワーを増減させるように調整する場合には、パワーの変動能力を有する発光素子を用いねばならならず、場合によっては特殊な発光素子を必要とするものの、発光Ｄｕｔｙ（発光時間）を増減する場合と比べて、発光時間の制御に伴う時間ロスがない。また、発光Ｄｕｔｙ（発光時間）を増減させるように調整する場合には、発光素子の発光パワーを増減させるように調整する場合と比べて、パワー能力を有する発光素子を用いることなく、通常の発光素子を使用できるので実施が比較的簡便であるが、発光時間の制御に伴う時間ロスがある。
［５］第４の参考例
これまで説明した各例における発光素子アレイユニットによる光書き込み装置は、以下の図３４に説明するデジタル式の画像形成装置の光書き込み装置に適用することができる。
【手続補正３５】
【補正対象書類名】明細書
【補正対象項目名】０２７６
【補正方法】変更
【補正の内容】
【０２７６】
このような画像形成装置において、短尺の基板だけを用いて実質的に１つの基板を構成した光源部を有する発光素子アレイユニットを用いた光書き込み装置により、他の光書き込み装置、例えばレーザー装置に比べてコンパクトな装置構成により、広幅な画像を書き込むことができ、広幅の記録を可能にする。よって、画像形成装置も広幅画像の形成が可能であるにも拘わらず、コンパクトな構成とすることができる。
【手続補正３６】
【補正対象書類名】明細書
【補正対象項目名】０２７７
【補正方法】変更
【補正の内容】
【０２７７】
なお、本例における光書き込み装置は、上記構成の画像形成装置に限らず、光書き込みを行ない画像形成を行なう、複写機、プリンター、ファクシミリ、マイクロフィルムリーダプリンター等に広く適用可能である。
【手続補正３７】
【補正対象書類名】明細書
【補正対象項目名】０２７８
【補正方法】変更
【補正の内容】
【０２７８】
これらの画像形成装置では、記録媒体Ｐとして前記のように給紙トレイ上に規格サイズのカット紙を積載した構成とすることができるほか、ロール状に巻かれたロール紙を用い、このロール紙から引き出された紙を所要の長さに切断して使用する給紙方式を採用することもできる。
［６］第５の参考例
図３４では、画像形成装置６００のうち、機械的な構成である画像形成部６０１を主として説明したが、以下では、原稿読み取り装置６０３による原稿の読み取りから、この読み取られた画像情報を処理して光書き込み装置９０を発光させるまでの読み取り情報の電気的な加工、処理を主体に、制御部６０２における書き込み時間遅延処理や発光量補正処理、書き込み範囲シフト処理などについて説明する。
６−ａ．制御部の全体構成及び発光素子アレイユニットに対する基本的な書き込み制御内容・書き込み時間遅延処理
図３４における画像形成のためのシステムの内容を画像情報を処理するシステムの観点で表現した図３５において、原稿読み取り装置６０３は原稿を読み取る機械的な構成部分である原稿読み取り部６０３Ａと読み取った画像情報を処理する画像処理部６０３Ｂからなる。
【手続補正３８】
【補正対象書類名】明細書
【補正対象項目名】０５１９
【補正方法】変更
【補正の内容】
【０５１９】
【図１】光書き込み装置の複数の発光素子アレイユニットにおける相対位置関係を説明するための平面図である。
【図２】画像形成装置の一部であって、図１における光書き込み装置を感光体ドラムと共に示した斜視図である。
【図３】互いに隣接する発光素子アレイユニットを接続部材で繋ぐ位置が書き込みドットの切り替わり位置から距離Ｌｄ離れていると画像に不具合が発生することを説明した図である。
【図４】３個の発光素子アレイユニットを互いに位置をずらしてそれぞれ隣接させて配置した光書き込み装置を示す図１と同様な平面図である。
【図５】画像形成装置の一部であって、図４における光書き込み装置を感光体ドラムと共に示した斜視図である。
【図６】互いに隣接する発光素子アレイユニットの書き込みドットの切り替わり位置の相対位置が温度上昇時にずれてしまうのを説明した図である。
【図７】各基板を筐体からそれぞれ一部を突出させるようにした光書き込み装置の実施の形態を示した図１と同様の平面図である。
【図８】発光素子アレイユニットの斜視図である。
【図９】アレイ位置調整手段を設けた画像書き込み装置を示す図１と同様な平面図である。
【図１０】基板上における発光素子の配列状態を例示した模式的な説明図である。
【図１１】図１１（ａ）は接続部材で接続された３つの発光素子アレイユニットの平面図、図１１（ｂ）は図１１（ａ）を矢視Ｂ方向からみた図である。
【図１２】発光素子アレイユニットからの光の結像位置を発光素子アレイユニットの断面共に示した図である。
【図１３】発光素子アレイユニットの分解斜視図である。
【図１４】発光素子アレイユニットの分解斜視図である。
【図１５】図１５（ａ）は接続部材で接続された３つの発光素子アレイユニットの平面図、図１５（ｂ）は図１５（ａ）を矢視Ｂ方向からみた図である。
【図１６】図１６（ａ）は接続部材で接続された３つの発光素子アレイユニットの平面図、図１６（ｂ）は図１６（ａ）を矢視Ｂ方向からみた図である。
【図１７】図１７（ａ）は接続部材で接続された３つの発光素子アレイユニットの平面図、図１７（ｂ）は図１７（ａ）を矢視Ｂ方向からみた図である。
【図１８】図１８（ａ）は接続部材で接続された３つの発光素子アレイユニットの平面図、図１８（ｂ）は図１８（ａ）を矢視Ｂ方向からみた図である。
【図１９】光書き込み装置の分解斜視図である。
【図２０】ピント調節手段及び副走査調節手段を基板の固定手段と共に説明した斜視図である。
【図２１】ピント調節手段及び副走査調節手段を基板の可動支持手段と共に説明した斜視図である。
【図２２】補助支持手段を説明した斜視図である。
【図２３】補助支持手段を説明した図１９における矢視Ｇ−Ｇ断面図である。
【図２４】補助支持手段を説明した斜視図である。
【図２５】取り付け手段を説明した分解斜視図である。
【図２６】取り付け手段を説明した正面図である。
【図２７】図２７（ａ）は接続部材で接続された３つの発光素子アレイユニットの平面図、図２７（ｂ）は図２７（ａ）を矢視Ｂ方向からみた図である。
【図２８】図２８（ａ）、図２８（ｂ）は、図５に示した発光素子アレイユニットの継ぎ目における照射光の感光体上でのドット配列を拡大して示した図である。
【図２９】図２９（ａ）、図２９（ｂ）は、感光体上の発光素子アレイユニットの継ぎ目部に対応する部分での主走査方向の位置と照射光量との関係を示す線図である。
【図３０】図３０（ａ）、図３０（ｂ）は、感光体上の発光素子アレイユニットの継ぎ目部に対応する部分での主走査方向の位置と照射光量との関係を示す線図である。
【図３１】図５に示した発光素子アレイユニットの継ぎ目における照射光の感光体上でのドット配列を拡大して示した図である。
【図３２】図５に示した発光素子アレイユニットの継ぎ目における照射光の感光体上でのドット配列を拡大して示した図である。
【図３３】図５に示した発光素子アレイユニットの継ぎ目における照射光の感光体上でのドット配列を模式的に示した図である。
【図３４】画像形成装置の概略構成を説明した正面図である。
【図３５】画像形成のための画像情報処理システムを示したブロック図である。
【図３６】操作パネルの正面図である。
【図３７】画像データの流れを説明したブロック図である。
【図３８】発光素子書き込み制御回路のブロック図である。
【図３９】発光素子書き込み制御回路のブロック図である。
【図４０】第１ＩＣ回路の内部構成を説明したブロック図である。
【図４１】第２ＩＣ回路の内部構成を説明したブロック図である。
【図４２】発光素子アレイユニット内部構成及び制御系を説明したブロック図である。
【図４３】発光素子を発光させるための回路図である。
【図４４】図４４（ａ）は入力データ部・細線化部のブロック図、図４４（ｂ）はテストパターン発生制御部のブロック図、図４４（ｃ）はテストパターンセレクト部のブロック図である。
【図４５】図４５（ａ）は信号セレクト部のブロック図、図４５（ｂ）は画像情報記憶装置からのアドレスデータの流れを説明したブロック図である。
【図４６】ダブルコピー制御部を説明したブロック図である。
【図４７】ダブルコピー用の各種信号のタイミングチャートである。
【図４８】図４８（ａ）は発光素子アレイユニットの配置を模視的に示した図、図４８（ｂ）は図４８（ａ）における発光素子アレイユニットの配置を矢視Ａ方向から見た図である。
【図４９】発光素子アレイユニットの各発光素子と発光制御系における各種制御因子との対応関係を模視的に示した図である。
【図５０】ブロック切換制御部のブロック図である。
【図５１】ＳＬＡＭ書き込み制御部のブロック図である。
【図５２】ＳＬＡＭ読み出し制御部のブロック図である。
【図５３】書き込みパルス生成部のブロック図である。
【図５４】アドレスセレクタ部のブロック図である。
【図５５】画像データＲＡＭ部におけるＳＬＡＭ書き込みにおける各種信号のタイミングチャートである。
【図５６】リセットＩＣにおける信号処理を模視的に説明した図である。
【図５７】フィールドメモリ書き込み制御部のブロック図である。
【図５８】レジスタのブロック図である。
【図５９】フォ−マット変換部のブロック図である。
【図６０】転送制御回路等のブロック図である。
【図６１】光量補正ＲＯＭ読み出し制御部のブロック図である。
【図６２】フィ−ルドメモリ読み出し制御部のブロック図である。
【図６３】アンプのブロック図である。
【図６４】γ補正ビット変換・繋ぎ目光量補正部のブロック図である。
【図６５】Ｐセンサ出力部、光量補正デ−タセレクト部のブロック図である。
【図６６】ストロ−ブ出力制御部のブロック図である。